(57)【特許請求の範囲】
【請求項１】
受動吸引装置であって、
ガス、液体、固体、又はそれらの任意の組み合わせを受け取るように構成された入口ポートと、
第１の開口部と、
前記第１の開口部を少なくとも部分的に包囲する第１の対向面
とを備える中心軸を有する第１の中空セグメントと、
前記ガス、前記液体、前記固体又はそれらの任意の組み合わせを放出するように構成された出口ポートと、
前記第１の開口部に対向する第２の開口部と、
前記第２の開口部を少なくとも部分的に包囲し、前記第１の対向面に対向する第２の対向面
とを備える内部を有する第２の中空セグメントと、
加圧ガス流を受け取るように構成された加圧ガスポートと、
前記第１の対向面と前記第２の対向面によって画定される導管
とを備えた空気流増幅器
とを備え、
前記導管は、前記加圧ガスポートと流体連通しており、前記第１の対向面は、前記第１の中空セグメントの中心軸に対して９０度未満の角度を有し、前記導管は、前記加圧ガス流を受け取り、前記第２の開口部を通る前記加圧ガス流が、前記入口ポートに前記ガス、前記液体、前記固体又はそれらの組み合わせを受け取らせる吸引流を生成する低圧領域を生成するように、前記加圧ガス流を前記第２の開口部に導くように構成され、
また、滑動本体とダイヤフラムとを備え、前記ガス、前記液体又はそれらの組み合わせの逆流を防止するように構成された逆流防止弁を含み、前記滑動本体は、前記ダイヤフラムを介して圧力源から前記滑動本体に伝達される圧力によって影響を受けると前記装置内の中心軸に沿って移動するように構成され、前記ダイヤフラムは、前記滑動本体に対して移動するように構成される、前記受動吸引装置。
【請求項２】
前記入口ポートは、さらに前記ガス、前記液体、又は前記それらの組み合わせの逆流を防止するように構成された弁を備える請求項１に記載の装置。
【請求項３】
前記ガス、前記液体、又は前記それらの組み合わせの逆流が起きた時に起動するように構成されたアラームをさらに備える請求項１に記載の装置。
【請求項４】
前記アラームポートは、前記第１のセグメントと流体連通している請求項１に記載の装置。
【請求項５】
さらに、前記ガス、前記液体、前記固体、又は前記それらの組み合わせを濾過するように構成されたフィルタを備える請求項１に記載の装置。
【請求項６】
前記導管の幅を調整するように構成された調整アームをさらに備え、前記調整アームは前記第１の中空セグメント及び前記第２の中空セグメントの一以上を互いに対して移動さ
せ、前記第１の対向面と前記第２の対向面との間の距離を変更する請求項１に記載の装置。
【請求項７】
前記導管の幅は、０ミリメートル（ｍｍ）より大きく２ｍｍ以下に調整可能である請求項１に記載の装置。
【請求項８】
角度調整制御器をさらに備え、前記角度調整制御器は角度を調整するように構成される請求項１に記載の装置。
【発明の詳細な説明】
【技術分野】
【０００１】
相互参照
本出願は、ここに援用することにより組み込まれる、２０１５年７月１３日に提出の米国特許仮出願番号Ｎｏ．６２／１９１，６８９の利益を主張するものである。
【０００２】
吸引力は、多くの異なる用途において、多くの方法で生成され得る。一般に、吸引発生装置は、ガス、液体、又はそれらの任意の組み合わせを環境から除去するために使用される。吸引力は、一般的に、ノイズが大きく扱いにくい電気又はモーター駆動の装置によって生成される。
【発明の概要】
【０００３】
本明細書では、吸引力を提供するための装置、システム及び方法について説明する。一実施形態では、吸引力は受動的に生成される。
【０００４】
本明細書では、空気増幅器を含む外科的吸引装置について説明する。一実施形態では、空気増幅器は、第１の端部に第１の開口部を有し、第２の端部に第２の開口部を有する略円筒形のキャビティを画定する構造を含む。一実施形態では、円筒形のキャビティは、キャビティの内壁によって画定される。一実施形態では、空気増幅器は、第１の端部近くの内壁に環状開口部を含む。一実施形態では、環状開口部は、加圧ガスを環状開口部から流出させて、低圧領域が第１の端部で生成され、増幅された流れが第２の端部で生成されるように構成された射出開口部を画定する。環状開口部は、さらに、加圧ガスが、第２の端部に向かうキャビティの内壁に対してある角度でキャビティに入るように構成されている。キャビティは、環状開口部がキャビティと連通する大きな直径に広がっている。
【０００５】
本説明書では、受動吸引装置について説明する。受動吸引装置は、ガス、液体、又はそれらの組み合わせを受け取るように構成された入口ポートと、第１の開口部と、前記第１の開口部を包囲する第１の外面とを備えた第１の中空セグメントと、内部を有し、ガス、液体、又はそれらの組み合わせをハウジングから放出するように構成された出口ポートを備える第２の中空セグメントと、前記第１の開口部に対向する第２の開口部と、前記第２の開口部を包囲し、前記第１の外面に対向する第２の外面とを備えた前記ハウジングと、加圧ガス流を受け取るように構成された加圧ガスポートを備えた空気流増幅器と、間隙空間を前記第１の外面と前記第２の外面の間に備える導管と、を備え、前記導管は加圧ガスポートと流体連続しており、前記導管は、前記加圧ガスポートから前記加圧ガス流を受け取り、前記加圧ガス流が前記第２の中空セグメントの中を通った時に、前記加圧ガス流が本質的に全体的に前記第２の中空セグメントの一以上の内面に沿って移動するように前記加圧ガス流を前記第２の開口部に向けるために前記第２の開口部に対して角度を有して位置している受動吸引装置について説明する。一実施形態では、入口ポートは、さらにガス、液体、又はそれらの組み合わせの逆流を防止するように構成された弁を備え、一実施形態では、受動吸引装置は、ハウジングを通るガス、液体、又はそれらの組み合わせの逆流が起きた時に起動するように構成されたアラームをさらに備える。一実施形態では、アラームポートは第１のセグメントと連続している。一実施形態では、受動吸引装置は、さらにフィルタを備える。一実施形態では、第１の中空セグメント及び第２の中空セグメントは、互いに対して移動して、第１の外面と第２の外面との間の距離を変化させることによって、導管の間隙空間の幅を調整するように構成される。一実施形態では、加圧ガス流が第２のセグメントの中空内部の一以上の表面の本質的に全体に沿って移動するとき、低圧領域が前記第２のセグメントの内部に形成され、入口ポート、第１の中空セグメント、第１の開口部、第２の開口部、第２の中空セグメント、及び出口ポートを通ってガス、液体、固体、又はそれらの任意の組み合わせを引き寄せる吸引力を生成する。一実施形態では、導管は、第１の表面の角度によって決定される角度で位置し、第１の表面の角度は０度からと９０度の間の角度を含む。
【０００６】
本明細書では、第１の中空セグメントと第２の中空セグメントとを備えた装置と、加圧ガス流を受け取るように構成された加圧ガスポートと、第１の中空セグメントと第２の中空セグメントの間に間隙空間を備えた導管とを有する空気増幅器とを設けることを含み、導管は加圧ガスポートと流体連続しており、導管は、加圧ガスポートから加圧ガス流を受け取り、加圧ガス流が第２の中空セグメントの中を通った時に、加圧ガス流が本質的に全体的に第２の中空セグメントの一以上の内面に沿って移動するように加圧ガス流を第２の開口部に導くように位置している、受動的に吸引を行う方法を説明する。一実施形態では、装置は、さらにガス、液体、又はそれらの組み合わせの逆流を防止するように構成された弁を備え、一実施形態では、装置は、ハウジングを通るガス、液体、又はそれらの組み合わせの逆流が起きた時に起動するように構成されたアラームをさらに備える。一実施形態では、装置は、空気の逆流がアラームポートを通過するときにアラームを鳴らすように構成された空気動力アラームを含むアラームポートをさらに備える。一実施形態では、アラームポートは第１のセグメントと連続している。一実施形態では、装置は、さらにフィルタを備える。一実施形態では、導管の間隙空間の幅は調整可能である。一実施形態では、第２の中空セグメントを通る加圧ガス流は、第２の中空セグメントの内部に低圧領域を形成し、それによって吸引力を生成する。一実施形態では、第２の中空セグメントは、導管から加圧ガス流を受け取るように構成された開口部を備え、導管は、第１の中空セグメントに対して０度から９０度の間の角度で加圧ガス流を導くように配置される。
【０００７】
本説明書では、加圧ガス流を吸引装置の導管内に受け取ることと、装置の第１の中空セグメントと第２の中空セグメントの間の間隙空間を通って加圧ガスの流れを、加圧ガスが第２の中空セグメントを通って本質的に全体的に第２の中空セグメントの中空内部の一以上の表面に沿って移動して、それによって吸引力を生成するように導くこととを含む受動吸引装置を使って受動的に吸引力を生成する方法について説明する。一実施形態では、この方法は、間隙空間の寸法を調整して吸引の強度を変更することをさらに含む。一実施形態では、この方法は、吸引を利用して、固体、液体、又はそれらの混合物を含む吸引流を受け取ることをさらに含む。一実施形態では、この方法は、吸引流を濾過することをさらに含む。一実施形態では、この方法は、吸引流の遮断時にアラームを鳴らすステップをさらに含む。一実施形態では、第２の中空セグメントは、導管から加圧ガス流を受け取るように構成された開口部を備え、導管は、第１の中空セグメントに対して０度から９０度の間の角度で加圧ガス流を導くように配置される。
【０００８】
本明細書では、吸引装置を介して加圧ガスの流れを導くことにより受動的に吸引力を生成するように構成された吸引装置を受け入れることと、前記加圧ガスを前記装置に送達して、外科処置中に吸引力を提供することと、手術部位に吸引力を与えて、外科的処置の結果として生じるガス、液体、固体、又はそれらの任意の組み合わせに吸引力をかけることを含む、手術野を吸引するための方法について説明する。一実施形態では、本方法は、吸引の強度を調整することをさらに含む。一実施形態では、本方法は、吸引されたガス、液体、固体、又はそれらの任意の組み合わせを濾過することをさらに含む。一実施形態では、本方法は、装置に閉塞が存在するときにアラームを鳴らすステップをさらに含む。一実施形態では、装置は、容器及び吸引管を含む外科用吸引システムと結合するように構成されている。一実施形態では、吸引装置は、さらに、吸引したガス、液体、固体、又はそれらの任意の組み合わせの逆流を防止するように構成された弁を備える。一実施形態では、装置の吸引能力は、約１０ポンド／平方インチから約２５ポンド／平方インチの間である。
【０００９】
本開示の一態様は受動吸引装置を提供する。この装置は、（ａ）（ｉ）ガス、液体、固体又はそれらの任意の組み合わせを受け取るように構成された入口ポートと、（ｉｉ）第１の開口部と、（ｉｉｉ）第１の開口部を少なくとも部分的に囲む第１の対向面とを備える中心軸を有する第１の中空セグメントと、（ｂ）（ｉ）ガス、液体、固体又はそれらの任意の組み合わせを放出するように構成された出口ポートと、（ｉｉ）第１の開口部に対向する第２の開口部と、（ｉｉｉ）第２の開口部を少なくとも部分的に囲み、第１の外面に対向する第２の対向面とを備える内部を有する第２の中空セグメントと、（ｃ）（ｉ）加圧ガス流を受け取るように構成された加圧ガスポートと、（ｉｉ）第１の対向面及び第２の対向面によって画定される導管とを備えた空気流増幅器とを備える。いくつかの実施形態では、導管は、加圧ガスポートと流体連通している。いくつかの実施形態では、第１の対向面は、第１の中空セグメントの中心軸に対して９０度未満の角度を有する。いくつかの実施形態では、導管は、加圧ガス流を受け取り、加圧ガス流を第２の開口部に導くように構成され、第２の開口部を通る加圧ガス流は、入口ポートが、ガス、液体、固体、又はそれらの組み合わせを受け取る吸引流を生成する低圧領域を生成する。
【００１０】
いくつかの実施形態では、入口ポートは、さらにガス、液体、又はそれらの組み合わせの逆流を防止するように構成された弁を備え、いくつかの実施形態では、装置は、ガス、液体、又はそれらの組み合わせの逆流が起きた時に起動するように構成されたアラームをさらに備える。いくつかの実施形態では、アラームポートは、第１のセグメントと流体連通している。いくつかの実施形態では、装置は、さらにガス、液体、固体、又はそれらの組み合わせを濾過するように構成されたフィルタを備える。いくつかの実施形態では、装置は、導管の幅を調整するように構成された調整アームをさらに備え、調整アームは、第１の中空セグメント及び第２の中空セグメントの一以上を互いに対して移動させ、第１の対向面と第２の対向面との間の距離を変更する。いくつかの実施形態では、導管の幅は、約０ミリメートル（ｍｍ）から約２ｍｍの間で調整可能である。いくつかの実施形態では、装置は角度調整制御器をさらに備え、角度調整制御器は角度を調整するように構成される。
【００１１】
本開示の一局面は空気流増幅器を提供する。空気増幅器は、（ａ）第１の壁と第２の壁とを含む直径を有し、加圧ガス流を受け取るように構成される導管と、（ｂ）前記導管と流体連通し、中心軸を有する中空セグメントと、（ｃ）導管の幅を調整するように構成された調整アームとを含む。いくつかの実施形態では、導管の第１の壁は、受容チャネルの中心軸に対して９０度未満の角度で傾斜している。いくつかの実施形態では、導管は、中空セグメントを通る加圧ガス流が吸引流を生成し、加圧ガスの流れを増幅する低圧領域を生成するように、加圧ガス流を中空セグメントに導くように構成される。いくつかの実施形態では、調整アームは、第１の壁及び第２の壁のうちの一以上を互いに対して移動させるように構成される。
【００１２】
いくつかの実施形態では、増幅器は、加圧ガスの流れによって吸引流が生成されるチャンバをさらに備える。いくつかの実施形態では、増幅器は、吸引流が通過するフィルタをさらに備える。いくつかの実施形態では、チャンバは、チャンバの外側の吸引流の逆流を防止するように構成されたフロー弁をさらに備える。いくつかの実施形態では、増幅器は、受容チャネルが閉塞すると鳴るように構成されたアラームをさらに備える。いくつかの実施形態では、導管の幅は、約０ミリメートル（ｍｍ）から約２ｍｍの間で調整可能である。
【００１３】
本開示の一態様は吸引システムを提供する。この吸引システムは、（ａ）加圧ガスと、（ｂ）（ｉ）加圧ガスを受け取るように構成された加圧ガスポートと、（ｉｉ）直径を有し、第１の壁と第２の壁を有し、加圧ガス流を受け取るように構成された導管と、（ｉｉｉ）前記導管と流体連通し、中心軸を有する中空セグメントとを備える吸引装置と、（ｃ）ガス、液体、固体、又はそれらの組み合わせを受容するように構成された容器とを備える。いくつかの実施形態では、導管の第１の壁は、受容チャネルの中心軸に対して９０度未満の角度で傾斜している。いくつかの実施形態では、導管は、中空セグメントを通る加圧ガス流が吸引流を生成する低圧領域を生成するように、加圧ガス流を中空セグメントに導くように構成される。いくつかの実施形態では、容器は、吸引装置と流体連通しており、吸引装置によって生成された吸引力が容器に伝達され、容器にガス、液体、固体又はそれらの組み合わせを受容させる。
【００１４】
いくつかの実施形態では、加圧ガス流の導管は、直径を有し、直径が調整可能である。いくつかの実施形態では、吸引装置は、受容チャネルが閉塞すると鳴るように構成されたアラームをさらに備える。いくつかの実施形態では、容器は液体、固体、又はそれらの組み合わせを含むように構成され、ガスは容器を通って吸引装置に吸引される。いくつかの実施形態では、吸引装置は、吸引されたガスが通過するフィルタをさらに備える。いくつかの実施形態では、吸引システムは、導管の幅を調整するように構成された調整アームをさらに備え、前記調整アームは、第１の壁及び第２の壁のうちの一以上を互いに対して移動させるよう構成される。
文献の援用
【００１５】
個々の刊行物、特許、又は特許出願が、具体的かつ個々に参照により援用されると示されているのと同様に、本明細書中で言及されたすべての刊行物、特許及び特許出願は本明細書に援用される。
【００１６】
本明細書に記載された主題の新規な特徴は、添付の特許請求の範囲に詳細に記載されている。本主題の特徴及び利点については、本明細書に記載される主題の原理が利用される例示的な実施形態を示す以下の詳細な説明及び添付の図面を参照することによってよりよい理解が得られる。
【図面の簡単な説明】
【００１７】
【図１】吸引システムを示すブロック図である。
【００１８】
【図２】吸引システムの操作方法を示すブロック図である。
【００１９】
【図３】逆流防止機能付き吸引システムを示すブロック図である。
【００２０】
【図４】逆流アラート機能付き吸引システムを示すブロック図である。
【００２１】
【図５】安全機能付き吸引システムを示すブロック図である。
【００２２】
【図６】安全機能付き吸引システムの操作方法を示すブロック図である。
【００２３】
【図７】閉塞除去制御機能付き吸引システムを示すブロック図である。
【００２４】
【図８】安全機能及び閉塞除去制御機能付き吸引システムを示すブロック図である。
【００２５】
【図９】安全機能及び閉塞除去制御機能付き吸引システムの操作方法を示すブロック図である。
【００２６】
【図１０Ａ】濾過吸引システムを示すブロック図である。
【００２７】
【図１０Ｂ】濾過吸引システムの操作を示すブロック図である。
【００２８】
【図１１】濾過吸引システムの操作方法を示すブロック図である。
【００２９】
【図１２】正圧駆動吸引装置を示すブロック図である。
【００３０】
【図１３】逆流防止機能付き正圧駆動吸引装置を示すブロック図である。
【００３１】
【図１４】逆流アラート機能付き正圧駆動吸引装置を示すブロック図である。
【００３２】
【図１５】安全機能付き正圧駆動吸引装置を示すブロック図である。
【００３３】
【図１６】安全機能付き濾過吸引装置を示すブロック図である。
【００３４】
【図１７】補償濾過吸引装置を示すブロック図である。
【００３５】
【図１８】補償濾過吸引装置の操作方法を示すブロック図である。
【００３６】
【図１９】圧力差調整機能付き吸引装置を示すブロック図である。
【００３７】
【図２０】圧力差調整機能付き吸引装置の操作方法を示す図である。
【００３８】
【図２１Ａ】逆流防止弁を備えた吸引装置を示す図である。
【００３９】
【図２１Ｂ】逆流防止弁を備えた吸引装置の導管を示す図である。
【００４０】
【図２１Ｂ１】逆流防止弁を備えた吸引装置の導管を示す拡大図である。
【００４１】
【図２１Ｃ】逆流防止弁を備えた吸引装置の導管を示す図である。
【００４２】
【図２１Ｄ】正常操作時の逆流防止弁を備えた吸引装置の操作を示す図である。
【００４３】
【図２１Ｅ】閉塞が起きた場合の、逆流防止弁を備えた吸引装置の操作を示す図である。
【００４４】
【図２２Ａ】逆流防止弁の分解図である。
【００４５】
【図２２Ｂ】閉塞中の逆流防止弁を示す図である。
【００４６】
【図２２Ｃ】正常操作中の逆流防止弁を示す図である。
【００４７】
【図２３Ａ】正常操作中の安全機能を備えた正圧真空装置を示す図である。
【００４８】
【図２３Ｂ】安全機能を備えた正圧吸引装置の閉塞時の動作を示す図である。
【００４９】
【図２４Ａ】正圧駆動吸引装置を示す図である。
【００５０】
【図２４Ｂ】正圧駆動吸引装置の調整可能な圧力差の操作を示す図である。
【００５１】
【図２４Ｃ】正圧駆動吸引装置の調整可能な圧力差の操作を示す図である。
【００５２】
【図２４Ｄ】正常操作中の、正圧駆動吸引装置の動作を示す図である。
【００５３】
【図２４Ｅ】正常操作中の、正圧駆動吸引装置の示すブロック図である。
【００５４】
【図２５】手術室で使用するための吸引システムを示すブロック図である。
【００５５】
【図２６】手術室で使用するための吸引システムの操作方法を示す図である。
【００５６】
【図２７】正圧駆動吸引装置のマフラを示す図である。
【００５７】
【図２８】２つのセグメントが互いに隣接した配置されたときに導管を形成する傾斜又は拡開端の角度を示す図である。
【００５８】
【図２９】異なる装置設定と、それに対応する煙の流量の値を毎分標準立方フィート（ｓｃｆｍ）と静的真空を水銀柱ミリメートル（ｍｍＨｇ）を示す表である。
【００５９】
【図３０】異なる装置における入力圧力が３０ｐｓｉのときの聴覚的ノイズレベル（ｄＢ）を示す表である。
【００６０】
【図３１】中心軸に対して３５度の角度を有する拡開端、又は中心軸に対して５５度の角度の拡開端を使用する解析流体力学（ＣＦＤ）を示す図である。
【００６１】
【図３２】中心軸に対する３５度の角度又は中心軸に対する５５度の角度における入力圧力の関数としての最大静的真空を示すグラフである。
【００６２】
【図３３】３４ｐｓｉの入力圧力における静的真空の関数としての空気消費（ｓｃｆｍ）を示すグラフである。
【００６３】
【図３４】３０ｐｓｉの入力圧力における静的真空の関数としての空気消費（ｓｃｆｍ）を示すグラフである。
【００６４】
【図３５】１ポンド平方インチ（ｐｓｉ）単位の入力空気圧の関数としての最大吸引時のノイズレベル（ｄＢ）を示すグラフである。
【００６５】
【図３６】シミュレートされたフィルタの閉塞の関数としての入口圧力及び出口流量を示すグラフである。
【００６６】
【図３７】設定したテスト機器を示す画像であり、３７Ａは圧力計、３７Ｂは血圧計、３７Ｃは流量計、３７Ｄはサウンドメータ、３７Ｅは流量計、及び３７Ｆは流量計である。
【００６７】
【図３８】空気消費量測定用に設定した試験装置を示すフローチャートである。
【００６８】
【図３９】静的真空測定用に設定した試験装置を示すフローチャートである。
【００６９】
【図４０】静的真空及びノイズ測定用に設定した試験装置を示すフローチャートである。
【発明を実施するための形態】
【００７０】
本明細書では、吸引するための装置、方法、及びシステムについて説明する。本明細書に開示された発明の概念の少なくとも一実施形態を詳細に説明する前に、本発明の概念は、それらの用途において、以下の説明に記載されている、又は図面に示されている、構成、実験、例示的なデータ、及び／又は構成要素の配置の詳細に限定されないことを理解されたい。現在開示され、請求されている本発明の概念は、他の実施形態が可能、又は様々な方法で実施又は実行されることが可能である。又、本明細書で使用される表現及び用語は、説明のみのためのものであり、決して限定的であるとみなされるべきではないことを理解されたい。
【００７１】
記載される主題の実施形態についての以下の詳細な説明では、本発明の概念をより完全に理解できるよう、多数の詳細な具体例を示す。しかしながら、開示する本発明の概念は、これらの詳細な具体例がなくても実施できることは、当業者には明らかであろう。他の例においては、本開示を不必要に複雑にすることを避けるために、周知の特徴は詳細には説明しない。
【００７２】
さらに、明らかに反対のことを述べない限り、「又は」という表現は、包括的な「又は」であり、排他的な「又は」ではない。例えば、条件Ａ又はＢとは、下記のうちのいずれか１つによって満たされるものである。Ａは、真実（又は存在する）そしてＢは虚偽（又は存在しない）、Ａは虚偽（又は存在しない）でＢは真実（又は存在する）、そして、ＡとＢともに真実（又は存在する）。
【００７３】
さらに、不定冠詞も、ここで説明する要素や構成要素を説明する際に使用する。これは、単に便宜上、又、進歩性の一般概念を示す意味で使用するものである。この説明は、そうでないことが明らかでない限りは１つ、少なくとも１つ、あるいは単数を含むだけでなく、複数も含むものとして読み取るべきである。
【００７４】
本明細書で使用される用語「被験体」は、ヒト被験体又は動物被験体を指すことができる。
【００７５】
そして、本明細書では、「一実施形態」又は「実施形態」とは、実施形態に関連して説明された特定の要素、特徴、構造又は特性が少なくとも１つの実施形態に含まれることを意味する。本明細書の様々な箇所における「一実施形態では」という表現の出現は、必ずしも全てが同じ実施形態を指しているとは限らない。
【００７６】
一実施形態では、煙、組織、及び体液などの医療又は外科的副産物を除去するための吸引装置は、コアンダ効果に基づく空気流増幅器を使用して吸引するものである。吸引力は主に、（通常は周囲温度よりも圧縮された）空気流又はガスから、外部の吸引ポンプではない吸引装置に設けられた装置によって生成される（ただし、装置は吸引ポンプと併用することができる）。装置は、加圧ガスが「逆流」しないように防止し、装置から誤った方向に流出することを防止する安全機能を備えていてもよい。言い換えれば、装置は、問題を引き起こすか、又は患者を傷つける可能性がある、加圧ガスの装置の吸引端からの流出を防止するように構成されている。
【００７７】
一実施形態では、一方向弁が装置内部の空気流路に沿って存在し、加圧ガスの流れが装置の吸引端から流出しないことを確実にする。一方向弁は、加圧ガスを大気に逃がすように構成された迂回ポートを含んでいてもよい。一方向弁は、吸引ポートを空気流増幅器から隔離し、加圧ガスを迂回ポートから流出させることによって、吸引ポートを通る全ての流れを簡単に停止させることができる。
【００７８】
いくつかの実施形態では、装置は、装置が使用する排出経路が、部分的に又は全体的に、障害物で閉塞されたときに起動するアラートを設けてもよい。このアラートは、障害物によって引き起こされる逆流によって起動させることができる。このアラートは、他の手段（例えば電子）で起動させてもよい。いくつかの実施形態では、アラートは、一方向弁の起動によって起動させてもよい。いくつかの実施形態では、アラートは、迂回ポートからの加圧ガスの流れによって起動させてもよい。
【００７９】
一実施形態では、アラートは、装置内の圧力を測定するための一以上の機械的ゲージ及び／又は電子トランスデューサを含んでいてもよい。アラートは、装置内の内部圧力が閾値基準に達したことに呼応して起動するように構成してもよい。一実施形態では、アラートは、又、吸引装置の現在の内部圧力レベル及び／又は内部圧力レベルが所望の動作範囲内にあるかどうかをユーザに通知するように構成してもよい。
【００８０】
アラートは、ホイッスル、サイレン、ホーン、ブザー、振動、又はそれらの任意の組み合わせなどの可聴アラートであってもよい。アラートは、装置に配置された一定の光又は点滅する光などの視覚的なアラートであってもよい。視覚的アラートは、視覚的アラートが起動されたときに点灯する「閉塞発生」のような、点灯ボタン又はシンボル又は単語を有するアイコンであってもよい。アラートは、アラート中に装置から飛び出したり押し出されたりするボタンや、アラート中に装置の外側で回転するレバーなど、位置を変えるタブ、レバー、ボタンなどの機械的アラートであってもよい。装置は、一以上のアラートを含んでいてもよい。装置は、一以上の視覚的アラート、可聴アラート、機械的アラート、又はそれらの任意の組み合わせを含んでいてもよい。
【００８１】
一実施形態では、吸引装置又はアタッチメントは、吸引装置又はアタッチメントの遠位端に向かって配置された吸引又は入口ポートを含む。吸引装置又はアタッチメントは又、第１の加圧ガス流を受け取る加圧ガスポートを含む。吸引装置又はアタッチメントの第１空気流増幅器は、吸引ポートと流体連通している。空気流増幅器は、第１の加圧ガス流を受けて第１の低圧領域を生成するように構成される。この第１の低圧領域は、吸引装置又はアタッチメントの外側から吸引ポートへの第１の流れを生成する。第１の加圧ガス流と吸引ポートへの第１の流れとの合流した流れは、第１の空気流増幅器の出力ポートから流出する。
【００８２】
吸引装置又はアタッチメントは、フィルタを含んでいてもよい。このフィルタは、合流した流れを受け取る（そして、それによって濾過する）。フィルタは、少なくとも１つのフィルタ入口ポート及び少なくとも１つのフィルタ出力ポートを含む。少なくとも１つのフィルタ出力ポートから排出される前にフィルタに入る空気が濾材を通過するように、少なくとも１つのフィルタ入口ポートが濾材に流体的に接続されている。
したがって、合流した流れは、フィルタを通過する間に濾過される。
【００８３】
一実施形態では、吸引装置又はアタッチメントは、第２の空気流増幅器を含んでいてもよい。第２の空気流増幅器は、第２の加圧ガス流から第２の流れを生成する第２の低圧領域を生成するように構成される。第２の空気流増幅器は、第２の加圧ガス流を受けて、第２の低圧領域を生成する。複数の空気流増幅器を追加することにより、吸引装置の吸引能力が向上する。いくつかの実施形態では、第２空気流増幅器は、第１空気流増幅器に結合されてもよい。いくつかの実施形態では、第２の空気流増幅器は、フィルタの流れ抵抗に起因する流れ及び／又は圧力（吸引）損失を補償するように構成してもよい。例えば、第２の空気流増幅器は、フィルタの一部分（例えば、１／４、１／２など）又は全ての流れ抵抗を補償してもよい。別の例では、第２の空気流増幅器は、フィルタの流れ抵抗を超える（例えば、１．２５倍、１．５倍）吸引を生成してもよい。
【００８４】
一実施形態では、吸引装置又はアタッチメントは、逆流防止装置を含んでいてもよい。この逆流防止装置（例えば、逆止弁、一方向弁など）は、加圧ガスの流れが吸引ポートを介して流出するのを防止するように構成してもよい。逆流防止装置が省略されているか、又は起動していない場合、出力ポートを通過する流れの障害物、閉塞又は他の遮断があると、加圧ガスの流れが吸引ポートを介して流出する可能性がある。吸引装置自体、吸引装置又はアタッチメントによって吸引された材料を収容して搬出するように構成された補助パイプ、ライン、又は管に閉塞が生じることがある。
【００８５】
一実施形態では、吸引装置又はアタッチメントはアラートを含む。アラートは、逆流防止装置の起動に呼応して起動するようにしてもよい。一実施形態では、逆流防止装置は、加圧ガス流を迂回ポートに方向転換する。一実施形態では、ガス流の迂回ポートへの方向転換に呼応して、アラートが起動する。アラートは可聴のものでもよい。アラートは、視覚的（例えば、色、形状などを変えるインジケータ）であってもよい。アラートは、機械的（例えば、振動）であってもよい。一実施形態では、アラートは、空気が通ったときに可聴音を発するホイッスルを含む。
【００８６】
一実施形態では、外科的副産物を除去する方法は、第１の空気流増幅器を含む吸引アセンブリによって加圧ガス流を受け取ることを含む。加圧ガス流は、第１空気流増幅器に供給される。第１の空気流増幅器は、吸引流を吸引アセンブリに引き込む低圧領域を生成する。吸引流には、外科的副産物を含んでいてもよい。吸引流は、吸引アセンブリの外側から吸引ポート内、空気流増幅器を通って通過し、正圧出力（又は排出）ポートを通って吸引アセンブリから排出される。
【００８７】
吸引装置は、約１０ｋｇ（ｋｇ）、５ｋｇ、４．５ｋｇ、４ｋｇ、３．５ｋｇ、３ｋｇ、２．５ｋｇ、２ｋｇ、１．５ｋｇ、１ｋｇ以下の重量であってもよい。装置の重量は約２ｋｇ未満でもよい。装置の重量は約０．５ｋｇと約２ｋｇの間でもよい。
【００８８】
吸引装置は、最大外径が約１００センチメートル（ｃｍ）、７５ｃｍ、５０ｃｍ、４５ｃｍ、４０ｃｍ、３５ｃｍ、３０ｃｍ、２５ｃｍ、２０ｃｍ、１５ｃｍ、１４．５ｃｍ、１４ｃｍ、１３．５ｃｍ、１３ｃｍ、１２．５ｃｍ、１２ｃｍ、１１．５ｃｍ、１１ｃｍ、１０．５ｃｍ、１０ｃｍ、５．５ｃｍ、５ｃｍ、又はそれ未満でもよい。最大外径は約１５ｃｍ未満であってもよい。最大外径は、約１２ｃｍ未満であってもよい。最大外径は、約１１．５ｃｍ未満であってもよい。最大外径は、約５ｃｍから約１３ｃｍの間であってもよい。最大外径は、約５０ｃｍから４０ｃｍの間であってもよい。最大外径は、約１００ｃｍから約５０ｃｍの間であってもよい。
【００８９】
吸引装置は、約２００ｃｍ、１５０ｃｍ、１００ｃｍ、７５ｃｍ、６０ｃｍ、５５ｃｍ、５０ｃｍ、４５ｃｍ、４４ｃｍ、４３ｃｍ、４２ｃｍ、４１ｃｍ、４０ｃｍ、３９ｃｍ、３８ｃｍ、３７ｃｍ、３６ｃｍ、３５ｃｍ、３４ｃｍ、３３ｃｍ、３２ｃｍ、３１ｃｍ、３０ｃｍ、２９ｃｍ、２８ｃｍ、２７ｃｍ、２６ｃｍ、２５ｃｍ、２０ｃｍ以下でもよい。装置は、約４５ｃｍ未満の最大外長を有していてもよい。装置は、約４０ｃｍ未満の最大外長を有していてもよい。装置は、約３９ｃｍの最大外長を有していてもよい。装置は、約４０ｃｍとから約２０ｃｍの間の最大外長を有していてもよい。装置は、約２００ｃｍから約５０ｃｍの間の最大外長を有していてもよい。
【００９０】
吸引装置の最大外幅は、約５０ｃｍ、４５ｃｍ、４０ｃｍ、３５ｃｍ、３０ｃｍ、２５ｃｍ、２４ｃｍ、２３ｃｍ、２２ｃｍ、２１ｃｍ、２０ｃｍ、１９ｃｍ、１８ｃｍ、１７ｃｍ、１６ｃｍ、１５ｃｍ、１４ｃｍ、１３ｃｍ、１２ｃｍ、１１ｃｍ、１０ｃｍ、９ｃｍ、８ｃｍ、７ｃｍ、６ｃｍ、５ｃｍ以下でもよい。装置は、約２０ｃｍ未満の最大外幅を有していてもよい。装置は、約１９ｃｍ未満の最大外幅を有していてもよい。装置は、約２０ｃｍから約１５ｃｍの間の最大外幅有していてもよい。装置は、約５０ｃｍから約２０ｃｍの間の最大外幅を有していてもよい。
【００９１】
一実施形態では、吸引装置は中空ハウジングを含む。一実施形態では、中空ハウジングは、一以上の金属、一以上の重合体、一以上のプラスチック、一以上のセラミック、又は一以上の複合材又はそれらの任意の組み合わせを含んでいてもよい。装置は、一以上のＦＤＡ承認材料を含んでいてもよい。装置は、良好な機械加工特性又は被削性を有する一以上の材料を含んでいてもよい。装置は、０．２５未満、０．２未満、０．１５未満、０．１未満、又はそれ未満などの低い摩擦係数を有する一以上の材料を含んでいてもよい。装置は、６，０００ポンド／平方インチ（ｐｓｉ）を超える、７，０００ｐｓｉを超える、８，０００ｐｓｉを超える、９，０００ｐｓｉを超える、又はそれ以上などの高い引っ張り強さを有する一以上の材料を含んでいてもよい。
【００９２】
装置は、一以上の重合体を含んでいてもよい。装置は、一以上の共重合体を含んでいてもよい。装置は、アクリロニトリル−ブタジエン−スチレン（ＡＢＳ）を含んでいてもよい。装置は、ポリアセタールを含んでいてもよい。例えば、装置は、アセタール（ポリオキシメチレン）のようなホルムアルデヒドのポリアセタールを含んでいてもよい。装置は、一以上のプラスチックを含んでいてもよい。装置は、シリコーンオイル、シリコーンゴム、シリコーン樹脂、シリコーンコーキンなどのようなシロキサン、又はそれらの任意の組み合わせを含む重合体を含んでもよい。例えば、装置の一以上の弁は、シリコーンを含んでいてもよい。装置は、ポリスチレン、ポリエチレン、焼結ガラス、ホウケイ酸ガラス、ガラス繊維、ナイロン、ポリアミド（ＰＡ）、ポリエーテルスルホン（ＰＥＳ）、ポリテトラフルオロエチレン（ＰＴＦＥ）、界面活性剤を含まないセルロースアセテート（ＳＦＣＡ）、再生セルロース（ＲＣ）、ポリフッ化ビニリデン（ＰＶＤＦ）又はそれらの任意の組み合わせを含んでいてもよい。一実施形態では、装置は、音振幅減衰（すなわち、振動を防止）、吸音（すなわち、ノイズを吸収）、音エネルギー減衰（すなわち、音エネルギー低減）、又はそれらの任意の組み合わせなどの消音のための一以上の材料を含んでいてもよい。装置は、音エネルギー減衰、吸音、音振幅減衰、又はそれらの任意の組み合わせを補助する幾何学的形状を含んでいてもよい。装置は、音エネルギー減衰、吸音、音振幅減衰、又はそれらの任意の組み合わせを助けるために、ラミネート層、表面マイクロアーキテクチャ、又はそれらの組み合わせを含んでいてもよい。装置は、無響タイル、繊維ガラスバッティング、ポリウレタンフォーム、多孔質発泡体（気泡ゴムなど）、メラミン発泡体（ホルムアルデヒド−メラミン−重亜硫酸ナトリウム共重合体など）、毛髪フェルト、共鳴吸収体、ヘルムホルツ共鳴器、又はそれらの任意の組み合わせを含んでいてもよい。装置は、音の非緩衝化単独、又は音エネルギー減衰のための一以上の材料と組み合わせて含んでいてもよい。
【００９３】
一実施形態では、吸引装置ハウジングは、一以上の中空セグメントを含んでいてもよい。一実施形態では、吸引装置ハウジングは、本質的に互いに一列に配置された一以上の中空セグメントを含んでいてもよい。一実施形態では、装置の一以上のセグメントは、積み重ね又は他の同様の配置を含む複数の異なる向きに配置することができ、例えば、４つの中空セグメントを、２つの中空セグメントを積み重ねたもの２つに配置してもよい。一実施形態では、一以上の中空セグメントは、一以上の中空セグメントが連続するように連通して構成される。一実施形態では、一以上の中空セグメントは、例えば、吸引流が１つの中空セグメントから別の中空セグメントに移動するように流体的に連続している。一実施形態では、一以上の中空セグメントが、例えば、吸引されたガス、液体、固体、又はそれらの任意の組み合わせの流れが１つの中空セグメントから別の中空セグメントに移動するように連通して構成される。一実施形態では、ハウジングの中空セグメントは、ポートを含む他の構成要素をさらに含んでいてもよい。例えば、一実施形態では、吸引装置ハウジングの第１の中空セグメントは、例えば吸引管と結合するための外部結合器又はコネクタをさらに含んでいてもよい入口ポートを備える。一実施形態では、装置ハウジングの第１の中空セグメントは、例えば、閉塞のために装置が適切に機能していないときに鳴るように構成されたアラームを含むアラームポートを含む。一実施形態では、一以上の中空セグメントは、一以上の他の中空セグメントと容易に連通できるように構成及び配置された一以上の穴を備える。一実施形態では、第１の中空セグメントは、第２の中空セグメントと並んで配置され、第１の中空セグメントは、第１の中空セグメントの内部と連続する第１の穴を備え、第２の中空セグメントは、第２の中空セグメントの内部と連続する第２の穴を備え、第１の穴は第２の穴と対向するように配置され、第２の穴と整列又は実質的に整列するように配置される。一実施形態では、一以上の中空セグメントは、管状の形状であってもよい。一実施形態では、一以上の中空セグメントは、例えば、直方体又は球形の形状を含む任意の多角形の形状であってもよい。一実施形態では、中空セグメントの穴は丸くてもよい。一実施形態では、中空セグメントの穴は、例えば楕円形、正方形、長方形、又は三角形を含む任意の形状を有していてもよい。一実施形態では、ハウジングは、一以上の空気流増幅機構をさらに備える。装置の第１のセグメント、第２のセグメント、第３のセグメント、又は任意の追加のセグメントは、例えば、円筒形、正方形、長方形、六角形、三角形、螺旋形、台形、楕円形、又はそれらの任意の組み合わせを有していてもよい。中空セグメントの一部は、円筒形、正方形、長方形、六角形、三角形、螺旋形、台形、楕円形、又はそれらの任意の組み合わせを有していてもよい。中空セグメントは、一以上の形状を有していてもよい。装置の第１の中空セグメント、第２の中空セグメント、第３の中空セグメント、又は任意の追加のセグメントは、消音又は音エネルギー減衰を助ける幾何学的形状を含んでいてもよい。例えば、ハウジングの内壁の一部は、消音を助けるための表面マイクロアーキテクチャを含んでいてもよい。ハウジングの内壁の一部は、吸音特性を有する材料を含むラミネート層、又は消音を助けるための表面マイクロアーキテクチャを含むラミネート層、又はそれらの組み合わせを含んでいてもよい。一実施形態では、内壁の一部分は音のバッフルを含んでいてもよい。一実施形態では、内壁の一部は、ラビリンス形状、六角形形状、凸型形状、ハニカム形状、又はそれらの任意の組み合わせを有していてもよい。
【００９４】
一実施形態では、吸引装置は、空気流増幅機構を備える。一実施形態では、空気流増幅機構は、一以上中空セグメントの構成要素である。一実施形態では、空気流増幅器は中空セグメントの一部ではない。一実施形態では、第１の中空セグメントの第１の穴は、第２の中空セグメントの第２の穴と連続している。一実施形態では、第１の中空セグメント内の第１の穴は、第２の中空セグメント内の第２の穴と流体連通しており、第１の中空セグメントと第２の中空セグメントは間隙空間によって物理的に分離されている。一実施形態では、第１の中空セグメント及び第２の中空セグメントは流体連続性であるが、間隙空間によって分離されており、第１のセグメントの第１の穴は第１の中空セグメントの全面を覆わないので、第１の穴を少なくとも部分的に取り囲む固体表面領域が前記第１の中空セグメントの外側に存在する。同様に、一実施形態では、第１の中空セグメントと第２の中空セグメントは流体連続性であるが、間隙空間によって分離され、第２のセグメントの第２の穴は第２の中空セグメントの全面を覆わないので、第２の穴を少なくとも部分的に取り囲む固体表面領域が第２の中空セグメントの外側に存在する。一実施形態では、第１の穴を取り囲む外面と第２の中空の第２の穴を取り囲む外面との間の間隙空間が導管を形成する。この実施形態では、導管は、第１の穴を取り囲む外面を含む第１の壁と、第２の中空の第２の穴を取り囲む外面を含む第２の壁と、２つの壁の間の間隙空間とを備える。一実施形態では、導管は、ハウジング内に吸引を受動的に生成させるように構成された空気流増幅機構の一部であり、ハウジングの外部にさらに伝達されてもよい。
【００９５】
一実施形態では、空気流増幅器は、吸引装置ハウジング内に少なくとも部分的に収容される。一実施形態では、空気流増幅器は、大気圧に対してハウジング内の低圧領域を生成するための機構を備え、吸引力を生成する。一実施形態では、空気流増幅器は、加圧ガスのジェット流を、装置ハウジングの中空セグメントの一以上の内面に沿って、本質的に全体を移動させる。空気流増幅器が、加圧ガスのジェット流を装置ハウジングの中空セグメントの一以上の内面に沿って本質的に全体を移動させると、装置の中空セグメントの内部に低圧領域が形成される。一実施形態では、低圧領域が生成されると、実質的にジェット流と同じ方向に向けられた吸引力を生成する。一実施形態では、ジェット流によって生成された吸引力は、ハウジング内の入口ポートで吸引力を生成する。一実施形態では、空気流増幅器は、加圧ガス流ストリームを方向付けるための機構を備える。一実施形態では、空気流増幅器は、加圧ガス流ポートと連続する導管を備え、導管は、加圧ガス流ポートから加圧ガスを受け取るように構成される。一実施形態では、導管は、ハウジング内の第１の中空セグメントと第２の中空セグメントとの間に配置され、前記導管は、第２の中空セグメント内の穴と流体連通するように構成される。一実施形態では、導管は、第１の穴を取り囲む外面を含む第１の壁と、第２の中空セグメントの第２の穴を取り囲む外面を含む第２の壁と、２枚の壁の間の間隙空間とを備える。一実施形態では、間隙空間は環状形状を有していてもよい。非限定的な好ましい実施形態では、間隙空間は、直方体形状、長方形形状及び三角形形状を含む任意の形状を有していてもよい。一実施形態では、空気増幅機構の導管と第２の穴は、加圧ガス流が導管から第２の穴内に進むように互いに対して配置される。一実施形態では、導管と第２の穴は、加圧ガス流が導管を通って第２の中空空間内に移動するように互いに対して配置される。一実施形態では、導管と第２の穴は、加圧ガス流が導管を通って第２の中空空間内に移動するように互いに対して配置され、加圧ガスは本質的に全体が、第２の中空セグメントの一以上の内面に沿って進むジェット流を形成し、コアンダ効果に従ってジェット流に隣接して低圧領域を生成する。
この実施形態では、第２の中空セグメント内に生成された低圧領域は、第１の中空セグメントからそして、吸引流又は吸引力を含む吸引装置の外部の環境から、第２の中空セグメント内に高圧の空気流を引き込む。
この実施形態では、吸引流又は力は、第２の中空セグメント、間隙空間（第１の穴と第２の穴との間）、第１の中空セグメント、及び入口ポートを通って伝達される。一実施形態では、第１の中空空間は、空気流増幅機構及び第２の中空セグメントによって生成された吸引力が、装置の外部に伝達される入口又は吸引ポートを含む。一実施形態では、装置は、例えば蒸気を含む、ガス、液体、固体、又はそれらの任意の組み合わせを吸引する吸引力を提供するように構成してもよい。この吸引力は、ａ）排せつ物の一部、ｂ）加圧ガスの一部、又はｃ）装置を通るそれらの組み合わせを引っ張ったり押したりすることができる。この吸引力は、一以上のフィルタを介して排せつ物の一部、加圧ガスの一部、又はそれらの組み合わせを引っ張ったり押したりしてもよい。押し込み又は引っ張ることは、吸引流又は排せつ物又は加圧ガスの位置に対する導管の配置に依存し得る。
【００９６】
一実施形態では、空気増幅機構の導管は、空気増幅器の第２の穴に対して約０度から９０度の間の角度で配置される。一実施形態では、空気増幅機構の導管は、空気増幅器の第２の穴に対して約９０度から１８０度の間の角度で配置される。一実施形態では、空気増幅機構の導管は、空気増幅器の第２の穴に対して約１８０度の角度で配置される。一実施形態では、空気増幅機構の導管は、空気増幅器の第２の穴に対して約１７５度の角度で配置される。一実施形態では、空気増幅機構の導管は、空気増幅器の第２の穴に対して約１７０度の角度で配置される。一実施形態では、空気増幅機構の導管は、空気増幅器の第２の穴に対して約１６５度の角度で配置される。一実施形態では、空気増幅機構の導管は、空気増幅器の第２の穴に対して約１６０度の角度で配置される。一実施形態では、空気増幅機構の導管は、空気増幅器の第２の穴に対して約１５５度の角度で配置される。一実施形態では、空気増幅機構の導管は、空気増幅器の第２の穴に対して約１５０度の角度で配置される。一実施形態では、空気増幅機構の導管は、空気増幅器の第２の穴に対して約１４５度の角度で配置される。一実施形態では、空気増幅機構の導管は、空気増幅器の第２の穴に対して約１４０度の角度で配置される。一実施形態では、空気増幅機構の導管は、空気増幅器の第２の穴に対して約１３５度の角度で配置される。一実施形態では、空気増幅機構の導管は、空気増幅器の第２の穴に対して約１３０度の角度で配置される。一実施形態では、空気増幅機構の導管は、空気増幅器の第２の穴に対して約１２５度の角度で配置される。一実施形態では、空気増幅機構の導管は、空気増幅器の第２の穴に対して約１２０度の角度で配置される。一実施形態では、空気増幅機構の導管は、空気増幅器の第２の穴に対して約１１５度の角度で配置される。一実施形態では、空気増幅機構の導管は、空気増幅器の第２の穴に対して約１１０度の角度で配置される。一実施形態では、空気増幅機構の導管は、空気増幅器の第２の穴に対して約１０５度の角度で配置される。一実施形態では、空気増幅機構の導管は、空気増幅器の第２の穴に対して約１００度の角度で配置される。一実施形態では、空気増幅機構の導管は、空気増幅器の第２の穴に対して約９５度の角度で配置される。一実施形態では、空気増幅機構の導管は、空気増幅器の第２の穴に対して約９０度の角度で配置される。一実施形態では、空気増幅機構の導管は、空気増幅器の第２の穴に対して約８５度の角度で配置される。一実施形態では、空気増幅機構の導管は、空気増幅器の第２の穴に対して約８０度の角度で配置される。一実施形態では、空気増幅機構の導管は、空気増幅器の第２の穴に対して約７５度の角度で配置される。一実施形態では、空気増幅機構の導管は、空気増幅器の第２の穴に対して約７０度の角度で配置される。一実施形態では、空気増幅機構の導管は、空気増幅器の第２の穴に対して約６５度の角度で配置される。一実施形態では、空気増幅機構の導管は、空気増幅器の第２の穴に対して約６０度の角度で配置される。一実施形態では、空気増幅機構の導管は、空気増幅器の第２の穴に対して約５５度の角度で配置される。一実施形態では、空気増幅機構の導管は、空気増幅器の第２の穴に対して約５０度の角度で配置される。一実施形態では、空気増幅機構の導管は、空気増幅器の第２の穴に対して約４５度の角度で配置される。一実施形態では、空気増幅機構の導管は、空気増幅器の第２の穴に対して約４０度の角度で配置される。一実施形態では、空気増幅機構の導管は、空気増幅器の第２の穴に対して約３５度の角度で配置される。一実施形態では、空気増幅機構の導管は、空気増幅器の第２の穴に対して約３０度の角度で配置される。一実施形態では、空気増幅機構の導管は、空気増幅器の第２の穴に対して約２５度の角度で配置される。一実施形態では、空気増幅機構の導管は、空気増幅器の第２の穴に対して約２０度の角度で配置される。一実施形態では、空気増幅機構の導管は、空気増幅器の第２の穴に対して約１５度の角度で配置される。一実施形態では、空気増幅機構の導管は、空気増幅器の第２の穴に対して約１０度の角度で配置される。一実施形態では、空気増幅機構の導管は、空気増幅器の第２の穴に対して約５度の角度で配置される。一実施形態では、空気増幅機構の導管は、空気増幅器の第２の穴に対して約０度の角度で配置される。
【００９７】
約０度から９０度の間の角度を有する１つのセグメントの傾斜端は、２つのセグメント間の間隙空間が導管を形成するように、約９０度から約１８０度の角度で第２のセグメントの拡開端に隣接して配置することができる。１つのセグメントの傾斜端及び第２のセグメントの拡開端は、実質的に互いに平行であり、導管内の層流を増強することができる。第１のセグメントの傾斜端の角度は、第２のセグメントの拡開端の角度に一致してもよい。第１のセグメントの傾斜端の角度は、第２のセグメントの拡開端の角度と同様であってもよい。例えば、第１のセグメントの傾斜端は約９０度であり、第２のセグメントの拡開端は約９０度であってもよい。第１のセグメントの傾斜端は約５５度であり、第２のセグメントの拡開端は約１２５度であってもよい。第１のセグメントの傾斜端は約３５度であり、第２のセグメントの拡開端は約１４５度であってもよい。拡開端は、導管を通る層流を増強又は可能にするために滑らかな又は丸みのある縁部を有していてもよい。
【００９８】
導管は又、約９０度から約１８０度の間で傾斜した傾斜端を有する第２のセグメントに隣接して０度から９０度の間の角度を有する１つのセグメントの傾斜端を配置することによって形成されてもよい。例えば、第１のセグメントの傾斜端は約９０度であり、第２のセグメントの傾斜端は約９０度であってもよい。第１のセグメントの傾斜端は約５５度であり、第２のセグメントの傾斜端は約１２５度であってもよい。第１のセグメントの傾斜端は約３５度であり、第２のセグメントの傾斜端は約１４５度であってもよい。
【００９９】
傾斜端は、中心軸に対して約９０度（°）又はそれ未満の角度で傾斜していてもよい。傾斜端は、９０°、８５°、８０°、７５°、７０°、６５°、６０°、５５°、５０°、４５°、４０°、３５°、３０°、２５°、２０°、１５°、１０°、５°未満である。傾斜端は、中心軸に対して約５５°で傾斜していてもよい。傾斜端は、中心軸に対して約３５°で傾斜していてもよい。傾斜端は、中心軸に対して約５５°から約３５°の間で傾斜していてもよい。傾斜端は、中心軸に対して約６０°から約２０°の間で傾斜していてもよい。
【０１００】
傾斜端は、中心軸に対して約９０度（°）又はそれを超える角度で傾斜していてもよい。傾斜端は、９０°、９５°、１００°、１０５°、１１０°、１１５°、１２０°、１２５°、１３０°、１３５°、１４０°、１４５°、１５０°、１５５°、１６０°、１６５°、１７０°、１７５°、又は約１８０°で傾斜していてもよい。傾斜端は、中心軸に対して約１２５°で傾斜していてもよい。傾斜端は、中心軸に対して約１４５°で傾斜していてもよい。傾斜端は、中心軸に対して約１２５°から約１４５°の間で傾斜していてもよい。傾斜端は、中心軸に対して約１２０°から約１６０°の間で傾斜していてもよい。
【０１０１】
拡開端は、中心軸に対して約９０度（°）又はそれを超える角度で拡開していてもよい。拡開端は、約９０°、９５°、１００°、１０５°、１１０°、１１５°、１２０°、１２５°、１３０°、１３５°、１４０°、１４５°、１５０°、１５５°、１６０°、１６５°、１７０°、１７５°、又は約１８０°で拡開してもよい。拡開端は、中心軸に対して約１２５°で拡開していてもよい。拡開端は、中心軸に対して約１４５°で拡開していてもよい。拡開端は、中心軸に対して約１２５°から約１４５°の間で拡開していてもよい。拡開端は、中心軸に対して約１２０°から約１６０°の間で拡開していてもよい。
【０１０２】
拡開端の中心軸線に対する角度は、約９０度未満も可能である。拡開端は、中心軸に対して約９０°、８５°、８０°、７５°、７０°、６５°、６０°、５５°、５０°、４５°、４０°、３５°、３０°、２５°、２０°、１５°、１０°、５°以下の角度でもよい。拡開端の中心軸線に対する角度は、約５５°でもよい。拡開端の中心軸線に対する角度は、約３５°でもよい。拡開端の中心軸線に対する角度は約５５°から約３５°の間の角度でもよい。拡開端の中心軸線に対する角度は約６０°から約２０°の間の角度でもよい。
【０１０３】
斜面は、セグメントの一端から始まり、セグメントの反対側の端まで続いていてもよい。斜面は、セグメントの長さの一部を含むものでもよい。例えば、傾斜をつけたセグメントの長さの部分は、約１％、２％、３％、４％、５％、６％、７％、８％、９％、１０％、１５％、２０％、２５％、３０％、３５％、４０％、４５％、５０％又はそれ未満でもよい。傾斜をつけた長さの部分は、約２５％未満であってもよい。傾斜をつけた長さの部分は、約１５％未満であってもよい。傾斜をつけた長さの部分は、約１０％未満であってもよい。傾斜をつけた長さの部分は、約５％未満であってもよい。傾斜をつけた長さの部分は、約１％未満であってもよい。
【０１０４】
拡開は、セグメントの一端から始まり、セグメントの反対側の端まで続いていてもよい。拡開は、セグメントの長さの一部を含むものでもよい。例えば、拡開したセグメントの長さの部分は、約１％、２％、３％、４％、５％、６％、７％、８％、９％、１０％、１５％、２０％、２５％、３０％、３５％、４０％、４５％、５０％又はそれ未満でもよい。拡開した長さの部分は、約２５％未満であってもよい。拡開した長さの部分は、約１５％未満であってもよい。拡開した長さの部分は、約１０％未満であってもよい。拡開した長さの部分は、約５％未満であってもよい。拡開した長さの部分は、約１％未満であってもよい。
【０１０５】
一以上の傾斜端、一以上の拡開端、又はそれらの任意の組み合わせの角度は、調整可能としてもよい。ユーザは、例えば、一以上の角度を調整することができる。角度は、例えば、遠隔地から自動的に調整可能としてもよい。角度は、入口ポートにおける吸引能力などのフィードバック機構に従って調整されてもよい。ユーザは、角度を調整するために調整アームを機械的に回転させてもよい。
【０１０６】
セグメントの一方又は両方の端部を、拡開、傾斜、角度付け、勾配、又は斜面とすることも可能である。例えば、セグメントは、第１の端部及び第２の端部を有することができ、その一方又は両方が斜めにされ得る。セグメントは、第１の端部及び第２の端部を有していてもよく、その一方又は両方が拡開可能である。セグメントは、第１の傾斜端と第２の拡開端を有することができる。一以上のセグメントは、互いに隣接して、例えば、傾斜端に隣接して配置された拡開端を有するか、又は異なる傾斜端に隣接して配置される傾斜端を有するように、直列に配置することができる。２つの拡開端を有するセグメントは、各追加セグメントの傾斜端をセグメントの２つの拡開端の１つに隣接して配置することによって、２つの追加のセグメントと直列に配置することができる。
【０１０７】
一実施形態では、加圧ガスを提供する加圧ガスポート（正圧吸入口など）は、ハウジングの外側に沿った任意の点に隣接して配置してもよい。一実施形態では、加圧ガスポートは、ハウジングに沿って空気増幅器の遠位側の箇所に配置してもよい（装置の近位端は、入口ポートを有する端部を含む）。一実施形態では、加圧ガスポートは、空気増幅器の近位の箇所に配置しもよい（ここでは、装置の近位端は、入口ポートを有する端部を含む。一実施形態では、ガスポートは、入口ポート（ノズルなど）に隣接して配置してもよい。一実施形態では、ガスポートは、出口ポート（加圧された廃棄物ポートなど）に隣接して配置してもよい。一実施形態では、ガスポートは、導管の長さに沿った任意の箇所に配置してもよい。
【０１０８】
一実施形態では、空気増幅機構の一以上の構成要素が調整可能である。ユーザは、例えば、第１の中空セグメント及び第２の中空セグメントの一以上を互いに対して移動させる（すなわち、導管の壁を互いに対して相対的に移動させる）ことによって空気増幅器の導管の間隙空間の幅を調整してもよい。
一実施形態では、導管の間隙空間の幅は、例えば、遠隔地から自動的に調整してもよい。導管の間隙空間の幅は、入口ポートでの排せつ物の量又は入口ポートでの液体吸引能力などのフィードバック機構に従って調整してもよい。ユーザは、調整アームを機械的に回転させて、導管の間隙空間の幅を調整してもよい。調整アームは、導管の間隙空間の幅を調整する直線運動を生成することができる、例えば、螺旋溝などの溝に動作可能に結合されてもよい。
【０１０９】
導管の間隙空間の幅を縮小することにより、液体吸引能力を増加させられる可能性がある。導管の間隙空間の幅を広げると、液体吸引能力が低下する可能性がある。ガス吸引能力は、調整アーム調整範囲にわたって一定のままであってもよいし、又は導管の一以上の間隙空間について調整可能な幅の範囲にわたって一定のままであってもよい。入口ポート（ノズルなど）での液体吸引に対するガス吸引の容積比は、導管の間隙空間の幅の範囲にわたって、又は調整アーム調整の範囲にわたって調整可能としてもよい。調整アームは、連続的な回転を含んでいてもよく、又は導管の間隙空間の特定の幅に対応する個別のグローブを含んでいてもよい。
【０１１０】
導管の長さは、第１のセグメント又は第２のセグメントの長さの約４０％、３５％、３０％、２５％、２０％、１５％、１４％、１３％、１２％、１１％、１０％、９％、８％、７％、６％、５％、４％、３％、２％、１％、又はそれ未満でもよい。導管の長さは、第１又は第２のセグメントの長さの約１０％未満であってもよい。導管の長さは、第１又は第２のセグメントの長さの約２０％未満であってもよい。導管の長さは、第１又は第２のセグメントの長さの約１％から約１０％の間でもよい。導管の長さは、第１又は第２のセグメントの長さの約１％から約５％の間でもよい。導管の長さは、第１又は第２のセグメントの長さの約１％から約１５％の間でもよい。導管の長さは、第１又は第２のセグメントの長さの約１％から約２０％の間でもよい。
【０１１１】
いくつかの実施形態では、導管の間隙空間の幅は、約１０センチメートル（ｃｍ）、９．５ｃｍ、９ｃｍ、８．５ｃｍ、８ｃｍ、７．５ｃｍ、７ｃｍ、６．５ｃｍ、６ｃｍ、５．５ｃｍ、５ｃｍ、４．５ｃｍ、４ｃｍ、３．５ｃｍ、３ｃｍ、２．５ｃｍ、２ｃｍ、１．５ｃｍ、１ｃｍ、又はそれ未満でもよい。導管の間隙空間の幅は、約５０ミリメートル（ｍｍ）、４５ｍｍ、４０ｍｍ、３５ｍｍ、３０ｍｍ、２５ｍｍ、２０ｍｍ、１５ｍｍ、１０ｍｍ、９ｍｍ、８ｍｍ、７ｍｍ、６ｍｍ、５ｍｍ、４ｍｍ、３ｍｍ、２ｍｍ、１ｍｍ、０．５ｍｍ又はそれ未満でもよい。導管の間隙空間の幅は、約５ｍｍ未満でもよい。導管の間隙空間の幅は、約４ｍｍ未満でもよい。導管の間隙空間の幅は、約３ｍｍ未満でもよい。導管の間隙空間の幅は、約２ｍｍ未満でもよい。導管の間隙空間の幅は、約１ｃｍ未満であってもよい。導管の間隙空間の幅は、０ｍｍから約２ｍｍの間で調整可能としてもよい。
【０１１２】
装置は、約４０ポンド／平方インチ（ｐｓｉ）、３５ｐｓｉ、３０ｐｓｉ、２９ｐｓｉ、２８ｐｓｉ、２７ｐｓｉ、２６ｐｓｉ、２５ｐｓｉ、２４ｐｓｉ、２３ｐｓｉ、２２ｐｓｉ、２１ｐｓｉ、２０ｐｓｉ、１９ｐｓｉ、１８ｐｓｉ、１７ｐｓｉ、１６ｐｓｉ、１５ｐｓｉ、１４ｐｓｉ、１３ｐｓｉ、１２ｐｓｉ、１１ｐｓｉ、１０ｐｓｉ、又は約５ｐｓｉの入口ポートで液体吸引能力を発揮するようにしてもよい。液体吸引能力は、約２５ｐｓｉであってもよい。液体吸引能力は、約２０ｐｓｉであってもよい。液体吸引能力は、約１５ｐｓｉであってもよい。液体吸引能力は、約１０ｐｓｉであってもよい。液体吸引能力は、約２５ｐｓｉから約１０ｐｓｉの間でもよい。
【０１１３】
装置の液体吸引能力は調整可能としてもよい。液体吸引能力は、約２５ｐｓｉから約１０ｐｓｉの間で調整可能としてもよい。液体吸引能力は、約４０ｐｓｉから約５ｐｓｉの間で調整可能としてもよい。液体吸引能力は、約３０ｐｓｉから約１０ｐｓｉの間で調整可能としてもよい。液体吸引能力は、約２５ｐｓｉから約５ｐｓｉの間で調整可能としてもよい。液体吸引能力は、例えば、導管の間隙空間を調整することによって、ユーザが手動で調整してもよく、又はユーザが、例えば遠隔地で装置にプログラム化可能な液体吸引能力を指定してもよい。
【０１１４】
間隙空間を調整することは、ガス吸引能力とは無関係であるが、入口ポートで液体吸引能力を変化させてもよい。装置は、調整可能な液体吸引能力の広い範囲にわたってガス吸入能力を一定に維持することができる。この装置は、約１０ポンド／平方インチ（ｐｓｉ）から約２５ｐｓｉまでの調整可能な液体吸引能力の範囲にわたってガス吸引能力を一定に維持することができる。装置は、約５ｐｓｉから約４０ｐｓｉまでの調整可能な液体吸引能力の範囲にわたってガス吸引能力を一定に維持することができる。この装置は、約１０ｐｓｉから約３０ｐｓｉまでの調整可能な液体吸引能力の範囲にわたってガス吸入能力を一定に維持することができる。装置は、約５ｐｓｉから約２５ｐｓｉまでの調整可能な液体吸引能力の範囲にわたってガス吸引能力を一定に維持することができる。
【０１１５】
入口ポートにおける体積流量は、毎分約４立方フィート（ｃｆｍ）、４．５ｃｆｍ、５ｃｆｍ、５．５ｃｆｍ、６ｃｆｍ、６．５ｃｆｍ、７ｃｆｍ、７．５ｃｆｍ、８ｃｆｍ、８．５ｃｆｍ、９ｃｆｍ、９．５ｃｆｍ、１０ｃｆｍ、１０．５ｃｆｍ、１１ｃｆｍ、１１．５ｃｆｍ、１２ｃｆｍ、１２．５ｃｆｍ、１３ｃｆｍ、１３．５ｃｆｍ、１４ｃｆｍ、１４．５ｃｆｍ、１５ｃｆｍ、１５．５ｃｆｍ、１６ｃｆｍ、１７ｃｆｍ、１８ｃｆｍ、１９ｃｆｍ、又は２０ｃｆｍでよい。体積流量は、約４ｃｆｍから約６ｃｆｍの間でもよい。体積流量は、約１２ｃｆｍから約１５ｃｆｍの間でもよい。
【０１１６】
入口ポートにおける液体吸引速度は、約１００立方センチメートル／秒（ｃｍ３／秒）、９５ｃｍ３／秒、９０ｃｍ３／秒、８５ｃｍ３／秒、８０ｃｍ３／秒、７５ｃｍ３／秒、７０ｃｍ３／秒、６５ｃｍ３／秒、６０ｃｍ３／秒、５５ｃｍ３／秒、５０ｃｍ３／秒、４５ｃｍ３／秒、４０ｃｍ３／秒、３５ｃｍ３／秒、３０ｃｍ３／秒、２５ｃｍ３／秒、２０ｃｍ３／秒、１５ｃｍ３／秒、１０ｃｍ３／秒、又は約５ｃｍ３／秒でもよい。液体吸引速度は、約６０ｃｍ３／秒から約５ｃｍ３／秒の間でもよい。液体吸引速度は、少なくとも約３０ｃｍ３／秒であってもよい。液体吸引速度は、少なくとも２５ｃｍ３／秒であってもよい。
【０１１７】
液体吸引速度は調整可能としてもよい。液体吸引速度は、約６０ｃｍ３／秒から約５ｃｍ３／秒の間で調整可能としてもよい。液体吸引速度は、約６０ｃｍ３／秒から約３０ｃｍ３／秒の間で調整可能としてもよい。液体吸引速度は、約１００ｃｍ３／秒から約３０ｃｍ３／秒の間で調整可能としてもよい。液体吸引速度は、例えば、導管の間隙空間を調整することによって、ユーザが手動で調整してもよく、又はユーザが、例えば、遠隔地で装置にプログラム化可能な液体吸引速度を指定してもよい。
【０１１８】
入口ポートの内径は調整可能としてもよい。ユーザは、例えば、装置上で第３の調整アームを回転させることによって、入口ポートの内径を調節してもよい。入口ポートの内径は、入口ポートに入る排せつ物の量に基づいて自動的に調整されてもよい。内径は、約５ミリメートル（ｍｍ）から約１０センチメートル（ｃｍ）の間で調整可能としてもよい。内径は、約５ｍｍから約５０ｍｍの間で調整可能としてもよい。内径は、約２５ｍｍから約１００ｍｍの間で調整可能としてもよい。内径は、約０．５ｃｍから５ｃｍの間で調整可能としてもよい。内径は、約０．５ｃｍから約１０ｃｍの間で調整可能としてもよい。内径は、例えば、第３の調整アームを調整することによってユーザが手動で調整してもよく、又はユーザが、例えば遠隔地にある装置にプログラム化可能な入口ポートの内径を指定してもよい。
【０１１９】
本明細書に記載された吸引装置は、最小限の、又は関連付けられない音を生成している間に吸引力を提供する。本明細書に記載の吸引装置の動作は、一以上の音を生成することができる。一以上の音は、約４３デシベル（ｄＢ）などのバックグラウンドノイズと同等であってもよい。一以上の音は、バックグラウンドノイズよりも大きく、６ｄＢ未満の音でよい。一以上の音は、バックグラウンドノイズよりも大きく４ｄＢ未満の音でよい。一以上の音は、約４０ｄＢ、３５ｄＢ、３０ｄＢ、２９ｄＢ、２８ｄＢ、２７ｄＢ、２６ｄＢ、２５ｄＢ、２４ｄＢ、２３ｄＢ、２２ｄＢ、２１ｄＢ、２０ｄＢ、１９ｄＢ、１８ｄＢ、１７ｄＢ、１６ｄＢ、１５ｄＢ、１４ｄＢ、１３ｄＢ、１２ｄＢ、１１ｄＢ、１０ｄＢ、５ｄＢ、又はそれ未満でもよい。一以上の音は、約４０ｄＢ未満であってもよい。一以上の音は、約３０ｄＢ未満であってもよい。一以上の音は、約２０ｄＢ未満であってもよい。一以上の音は、約１０ｄＢから約３０ｄＢの間でもよい。一以上の音は、約１５ｄＢから約３５ｄＢの間でもよい。
【０１２０】
逆流アラート又はアラームを含む一以上の実施形態は、一以上の音を発することができる。逆流アラートから発する一以上の音は可聴でもよい。逆流アラートから発する一以上の音は、約１００ｄＢ、９５ｄＢ、９０ｄＢ、８５ｄＢ、８０ｄＢ、７５ｄＢ、７０ｄＢ、６５ｄＢ、６０ｄＢ、５５ｄＢ、５０ｄＢ、又は４５ｄＢでもよい。逆流アラートから発する一以上の音は約８０ｄＢでもよい。逆流アラートから発する一以上の音は約７０ｄＢでもよい。逆流アラートから発する一以上の音は約６０ｄＢでもよい。逆流アラートから発する一以上の音は約５０ｄＢでもよい。逆流アラートから発する一以上の音は約４５ｄＢから約６０ｄＢの間でもよい。
逆流アラートから発する一以上の音は約４５ｄＢからと約７５ｄＢの間でもよい。
【０１２１】
装置には一以上のフィルタを含んでいてもよい。例えば、装置には、２個、３個、４個、５個、又はそれ以上のフィルタを含んでいてもよい。一以上のフィルタは、導管の間隙空間の前、導管の間隙空間の後ろ、あるいはその組み合わせに位置させてもよい。一以上のフィルタは、ハウジング内部の入口ポート（ノズルなど）の位置、出口ポート（加圧廃棄物ポートなど）の位置、又はそれらの任意の組み合わせの位置に設けてもよい。一以上のフィルタは、固形排せつ物などのような排せつ物を収集するようにしてもよい。一以上のフィルタは、細菌粒子、ウイルス粒子、固形の外科廃棄物、又はそれらの任意の組み合わせを収集するようにしてもよい。一以上のフィルタは一以上のフィルタの孔径に基づいて固形排せつ物を収集するようにしてもよい。フィルタの孔径は、１００マイクロメートル（μｍ）、７０μｍ、２０μｍ、１０μｍ、５μｍ、２μｍ、１μｍ、０．７μｍ、０．５μｍ、０．４μｍ、０．３μｍ、０．２μｍ、０．１μｍ、０．０２μｍ、０．０１μｍ、又はそれ未満でもよい。孔径は約１００μｍ以下でもよい。孔径は約７０μｍ以下でもよい。孔径は約０．５μｍ以下でもよい。孔径は約０．２μｍ以下でもよい。一以上のフィルタは直列に配置してもよい。
【０１２２】
装置は、流体サンプル、細胞サンプル、又は組織サンプルの収集などに使用してもよい。例えば、この装置は、大腸内視鏡検査中のポリープの収集など、組織サンプルの採取に使用してもよい。この装置は、腫瘍生検サンプルの採取に使用してもよい。この装置は、手術中の血液サンプルの採取など、流体サンプルの採取のために使用してもよい。
【０１２３】
装置は、サンプルを収集するために、一以上のフィルタを有していてもよい。装置は、一以上のサンプルを吸引流から収集することができるように、吸引流を分類するために一以上のフィルタを有していてもよい。一以上のフィルタにより、組織サンプルを収集し、収集中に吸引され得る余分なガス又は液体を濾過又は除去することが可能となる。一以上のフィルタにより、細胞サンプルを収集し、収集収中に吸引され得る余分なガス又は液体を濾過又は除去することが可能となる。一以上のフィルタにより、組織サンプル及び細胞サンプルを装置の別々の領域に集め、収集中に吸引され得る余分なガス又は液体を濾過又は除去することが可能となる。一以上のフィルタにより、異なる孔径のフィルタを使用して、収集材料（すなわち、組織、細胞、粒子）を分離することができる。一以上のフィルタにより、一以上の細胞表面マーカに基づいた陽性選択又は陰性選択を使用して、細胞サンプルのような収集材料を分離することができる。いくつかの実施形態では、装置は、吸引流を分類し、特に興味のあるサンプルを収集するための特定の幾何学的形状の流体経路を含んでいてもよい。
【０１２４】
余分なガス又は液体又は組織などのような一以上のガス又は液体又は組織が装置から排出されることがある。余分なガス又は液体又は組織は、被験体の状態のさらなる分析のために、又はさらなる研究のために、余分な血液を採取するなど、収集ユニットに収集して、さらに使用してもよい。余分なガス又は液体又は固体は、被験体に再利用できる余分な血液を採取するなど、さらなる使用のために再利用してもよい。装置は又、収集後に組織サンプルを保存するなど、収集材料を保存するための収集ユニットを設けてもよい。
装置の収集ユニットは、使用中に装置に取り付け可能な別個のユニットのように、装置とは別体でもよく、又は装置内に形成されていてもよい。収集ユニットは再利用可能でもよい。
【０１２５】
一実施形態では、装置は、例えば、外科処置中に吸引力を生成するために使用してもよい。一実施形態では、装置は、例えば、糞便、膿、灌流、又は骨片を含む煙、血液、又は外科的屑を吸引するように構成してもよい。一実施形態では、吸引装置は、完全に十分な吸引を提供し、あるいは、一実施形態では、装置内に配置されるか、又は装置に直列に配置される一以上のフィルタが、手術野から吸引した、例えば、ガス、液体、及び固体を分離するようにしてもよい。例えば、固体を濾過するために装置の入口ポートの直前に第１のフィルタを配置し、吸引されたガスから液体及びより小さな粒子を濾過するために装置内に第２のフィルタを配置してもよい。
【０１２６】
外科的副産物は、一以上の液体（例えば、血液、唾液）、煙、組織、及び／又は有害な化学排せつ物を含んでいてもよい。吸引流は、吸引アセンブリから排出される前にフィルタを通過させてもよい。吸引流は、第２の空気増幅器（例えば、フィルタの後）に通してもよい。
【０１２７】
吸引流は、逆流防止装置（例えば、一方向弁）を通過して、加圧ガス流が（例えば、閉塞の場合に）吸引ポートを介して吸引アセンブリから流出するのを防止することができる。ユーザは、吸引アセンブリ内の障害物について警告をうけることができる。加圧ガスは、アラートを起動するために転用されてもよい。逆流防止装置が起動すると、加圧ガス流は、吸引アセンブリの迂回ポートから外へ導かれ、加圧ガス流が吸引ポートを通って吸引アセンブリから排出されるのを防止することができる。
【０１２８】
一実施形態では、吸引アセンブリは、低圧ポートに入る流れの中の外科的副産物を受ける低圧ポートを含む。吸引アセンブリは又、採取のため、吸引アセンブリから外科的副産物を送るための正圧出口ポートを含む。正圧ガスポートは、加圧ガス流を受け取る。第１の空気増幅器は、低圧ポートから正圧ポートへの流れを生成する。この流れは、吸引ポートか出口ポートへの吸引流に同伴される外科的副産物を押し出す。
【０１２９】
一実施形態では、吸引アセンブリは、一以上の弁を含むことができる。一以上の弁は、一方向弁とすることができる。一以上の弁は、シャトル弁、圧力逃がし弁、逆流防止弁、逆止弁、又はそれらの任意の組み合わせとすることができる。
【０１３０】
いくつかの実施形態では、ばねは、シャトル弁のような一以上の弁を密閉するために使用されるエネルギー源とすることができる。ばねは、約０ポンド（ｌｂｓ）から約３０ポンドの間の力を提供するようにしてもよい。ばねは約２ポンドから約４ポンドの間の力を提供するようにしてもよい。ばねは、少なくとも約２．５ポンドの力を提供するようにしてもよい。ばねは、少なくとも約２ポンドの力を提供するようにしてもよい。ばねは、少なくとも約１．５ポンドの力を提供するようにしてもよい。ばねは、少なくとも約１ポンドの力を提供するようにしてもよい。ばねは、少なくとも約０．５ポンドの力を提供するようにしてもよい。ばねは、約０．５ポンドから１ポンドの間の力を提供するようにしてもよい。ばねは、約０．５ポンドから約０．８ポンドの間の力を提供するようにしてもよい。
【０１３１】
一実施形態では、吸引アセンブリは、また逆流防止弁を含むことができる。逆流防止弁は、加圧ガス流が低圧ポートを介して流出するのを阻止する。特に、逆流防止弁は、障害物が逆流弁と出口ポートの間の流れを妨げると、加圧ガスが低圧ポートから流出するのを阻止する。逆流防止弁は、加圧ガス流を吸引アセンブリの迂回ポートから流出させることもできる。
【０１３２】
一実施形態では、空気増幅装置は、第１の端部に第１の開口部を有し、第２の端部に第２の開口部を有する略円筒形のキャビティを画定する構造を備える。円筒形のキャビティは、キャビティの内壁によって画定される。この構造は、第１の端部近くに、射出開口部を画定する内壁の環状開口部のような間隙空間を有する。この射出開口部は、加圧ガスが環状開口部から流出し、低圧領域が第１の端部で生成され、増幅された流れが第２の端部で生成されるようになっている。環状開口部は、加圧ガスが、第２の端部に向かうキャビティの内壁に対してある角度（例えば、０°〜９０°）でキャビティに入るように構成される。いくつかの実施形態では、より鋭角（例えば、３０°〜５０°）が望ましい場合がある。キャビティは、環状開口部がキャビティと連通する箇所でより大きな直径に拡開するように構成される。
【０１３３】
一実施形態では、環状開口部などの間隙空間の寸法は、大気と第１の端部の低圧領域との間の圧力差を制御するように調整可能である。構造部分は、圧力差を制御するために回転可能とし、環状開口部の寸法を調整することができる。環状開口部は、キャビティに入る加圧ガスが環状開口部を画定する構造部分の曲面に付着し、それにより増幅された流れの全質量流量を増加させる低圧領域を形成するようなプロファイルを有していてもよい。
【０１３４】
環状開口部の寸法は、空気増幅器が提供する液体吸引に対するガス吸引の比を制御するように調整可能とすることができる。一実施形態では、吸引装置は、大気と第１の端部の低圧領域との間の圧力差を制御するために回転可能な部材を含み、環状開口部の寸法を調整する。一実施形態では、環状開口部は、キャビティに入る加圧ガスが環状開口部を画定する構造部分の曲面に付着し、それにより増幅された流れの全質量流量を増加させる低圧領域を形成するようなプロファイルを有する。環状開口部は、キャビティに入る加圧ガスが環状開口部を画定する構造部分に取り付けられ、それにより低圧領域を生成し、増幅された流れの全質量流量を増加させるようなプロファイルを有する。
【０１３５】
一実施形態では、吸引力を生成するための装置は、第１の端部に第１の開口部を有し、第２の端部に第２の開口部を有するキャビティを画定するハウジングを備える。この装置は又、ハウジングの内面に少なくとも１つの開口部を有し、この開口部は、少なくとも１つの開口部からガスを流出させて、低圧領域が第１の端部で生成され、合流した流れが第２の端部で生成されるように構成される。この合流した流れは、ガス流と、低圧領域の結果として第１の端部に入る吸引流とを含む。装置は又、低圧領域と大気圧との間の圧力差の量を調整するために、少なくとも１つの開口部を操作する制御部を有する。
【０１３６】
一実施形態では、少なくとも１つの開口部は、コアンダ効果を使用するように構成される。一実施形態では、少なくとも１つの開口部は、ベンチュリ効果を使用するように構成される。装置は又、合流した流れが妨げられたときに少なくとも１つの開口部からのガス流を停止させる閉塞検出器を有していてもよい。
【０１３７】
一実施形態では、医療用吸引装置は、加圧ガスの流れを受け取る正圧入力ポートを備える。装置は又、吸引装置内に排せつ物を同伴して受け取る低圧領域を提供するための入力ポートを含む。この装置は又、加圧ガスの流れ及び入力ポートを介して吸引装置に受け取られた排せつ物流を出力する正圧出力ポートを含む。この装置は又、少なくとも加圧ガスの流れが吸引ポートを介して流出するのを防止するために、入力ポートと連通する逆止弁を有する。
【０１３８】
一実施形態では、医療用吸引装置は、逆止弁が吸引ポートを介して流れの流出を防止しているときに、機械的に起動するアラートも含む。一実施形態では、逆止弁を起動させることにより、加圧ガスの流れの少なくとも一部を迂回させてアラートを起動させることができる。この加圧ガスの迂回された部分は可聴のアラートを生成する場合もある。例えば、迂回部分は、ホイッスルを通過することによって可聴音を生成することができる。アラートは可視のインジケータでもよい。加圧ガスの迂回部分は、医療用吸引装置の操作者にインジケータを可視化するための部材を動かしてもよい。アラートは、医療用吸引装置内の圧力を測定するための機械式圧力計又は電子式トランスデューサを含んでいてもよい。アラートは、閾値基準に達する装置の内部圧力に呼応して起動するように構成してもよい。アラートは又、装置の現在の内部圧力レベル及び／又は一以上の内部圧力レベルが所望の動作範囲内（又はその範囲外）であるかどうかをユーザに通知するようにしてもよい。
【０１３９】
一実施形態では、医療用吸引装置は、吸入ポートから排出ポートまでの内部ルーメンを備える。内部ルーメンと流体連通する空気増幅器アセンブリ。空気増幅器アセンブリは、圧縮空気の供給を受け取ることにより、圧縮空気が空気増幅器アセンブリによって導かれ、入力ポートに低圧領域と、排出ポートから流出する流れを形成する。医療用吸引装置は又、入力ポートと空気増幅器アセンブリとの間の内部ルーメン内に逆流防止弁を含む。
【０１４０】
一実施形態では、医療用吸引装置は、逆流防止弁が吸引ポートを介して流れの流出を防止しているときに、機械的に起動するアラートも含む。流れが入力ポートを介して流出するのを防止するために逆流防止弁を起動させることにより、圧縮空気の流れの少なくとも一部を迂回させてアラートを起動させることもできる。アラートは、圧縮空気の流れの一部によって生成される可聴音であってもよい。例えば、圧縮空気の流れの一部をホイッスルに通して可聴音を発生させることができる。アラートは可視表示でもよい。圧縮空気の流れの迂回部分は、可視インジケータを医療用吸引装置の操作者に可視化するための部材を動かすことができる。
【０１４１】
一実施形態では、医療用吸引装置は、逆流防止弁と組み合わせて閉塞を解放するためにルーメンの少なくとも一部を加圧する閉塞除去制御器を含むことができる。例えば、閉塞除去制御器が起動すると、圧縮空気によって閉塞を、排出ポートから押し出すことができる。
【０１４２】
一実施形態では、医療用吸引装置を操作する方法は、加圧ガス流を受け取ることを含む。この方法は又、加圧ガス流を使用して、吸引装置内に排せつ物を同伴して受け取るために、入力ポートに低圧領域を作り出すことを含む。この方法は又、加圧ガス流及び入力ポートを介して受け取った排せつ物流を出力ポートを介して排出することを含む。この方法は又、加圧ガス流及び出力ポートを介して排出される排せつ物流を第１の閾値基準未満に低下させる閉塞に呼応して、少なくとも加圧ガス流が入力ポートを介して流出するのを防止する弁を起動させることを含む。
【０１４３】
一実施形態では、本方法は、加圧ガス流と、出力ポートを介して排出された排せつ物流を第２の閾値基準未満に減少させる閉塞に呼応してアラートを起動させることをさらに含む。一実施形態では、第１の閾値基準及び第２の閾値基準は、加圧ガス流の流れ及び出力ポートを介して排出される排せつ物流を同等に減少させることによって満たされる。アラートは、弁に連結されて、弁が起動されたときにアラートを起動させるようにしてもよい。
【０１４４】
図１は、吸引システム１００を示すブロック図である。図１において、吸引システム１００は真空発生器１１０を含む。真空発生器１１０は、真空発生器１１０と、入力ポート１１１と、吸引ポート１１２と、排出ポート１１３とを含む。真空発生器１１０は、入力ポート１１１から正圧ガス供給１２１を受け取るように構成されている。真空発生器１１０は、吸引ポート１１２の近くの正圧ガス供給１２１から低圧領域１２２を生成するように構成される。低圧領域１２２は大気圧より低い圧力を有する。大気圧が、低圧領域１２２の圧力を上回ることによって、吸引装置１００内に吸引力が生成される。低圧領域１２２は、吸引ポート１１２を介して排せつ物（例えば、液体、ガス、及び固体）を真空発生器１１０に引き込む。真空発生器１１０に引き込まれた排せつ物は、真空発生器１１０によって排出ポート１１３から押し出される。排出ポート１１３は、収集された排せつ物の排出液及び入力ポート１１１を介して受け取ったガスを出力する。この排出液は、収集、分離、及び／又は廃棄のために、管、パイプなどに出力してもよい。
【０１４５】
用語「正圧」及び「低圧」は相対的な用語であることは理解できよう。これらの用語は、真空発生器１１０の近傍の大気／ガス圧力に関連すると理解すべきである。例えば、正圧ガス供給１２１は、圧縮空気、窒素、二酸化炭素又は他の何らかのガス圧源の流れであってもよい。この場合、正圧ガス供給１２１は、真空発生器１１０を取り囲む大気より高く加圧される。同様に、低圧領域１２２は、吸引ポート１１２の近傍の空気圧が大気よりも小さい領域であってもよい。この低圧領域は、吸引ポート１１２の近傍の空気を吸引ポート１１２に、おそらく排せつ物を同伴した状態で流入させる。
【０１４６】
一実施形態では、真空発生器１１０は、正圧ガス供給１２１から低圧領域１２２を生成するために、流体流増幅器（別名、流量増倍器）を利用する。別の実施形態では、真空発生器１１０は、正圧ガス供給１２１によって駆動される機械的ポンプ又はファンを利用して、低圧領域１２２を生成する。
【０１４７】
一実施形態では、真空発生器１１０は手持ち式操作用に構成してもよい。この構成では、真空発生器１１０は、操作中に片手又は両手によって保持されるような寸法及び形状とされる。したがって、真空発生器１１０は、恒久的に取り付けられた（又は可搬型だが大型の）吸引ポンプではなく、吸引ポート１１２に排せつ物を吸引し、排出ポート１１３から排せつ物を押し出す比較的小型の装置でよい。真空発生器１１０は手持ち式操作用に構成してもよいが、別の手順（例えば、腹腔鏡、ロボットなど）で使用することもできることを理解できよう。
【０１４８】
正圧ガス供給１２１を受け、正圧排出液１２３を生成することによって、入力ポート１１１及び排出ポート１１３に接続された管及び／又はパイプを薄肉にして折り畳み式にできることは理解できよう。正圧ガス供給１２１及び正圧排出液１２３の正圧が折り畳み式管を「押し開く」又は「膨らませる」ので、入力ポート１１１及び排出ポート１１３に接続された管及び／又はパイプは折り畳み可能にすることができる。したがって、供給される真空ライン又は真空源（真空ポンプ及び／又は管壁ポートなど）に依存する「負圧」システムで使用されるよりも軽量及び／又はより安価な管を真空発生器１１０と共に使用することができる。
【０１４９】
入力ポート１１１は、吸引装置１００の壁内に配置される。入力ポート１１１は、正圧ガス供給１２１を受け取るように構成される。入力ポートは、真空発生器１１０に結合される。入力ポート１１１０は、正圧ガス供給１２１を真空発生器１１０に導くように構成される。真空発生器１１０は、正圧ガス供給１２１を受け取るように構成される。いくつかの実施形態では、入力ポート１１１は、正圧ガス供給１２１を真空発生器１１０の内壁に対してある角度で導くように構成される。
【０１５０】
吸引装置１００の遠位端には吸引ポート１１２が配置されている。吸引ポート１１２は、低圧領域１２２を介して排せつ物流を受け取るように構成される。吸引ポート１１２は、真空発生器１１０の遠位端に結合するように構成される。吸引ポート１１２は、排せつ物流を真空発生器１１０に導くように構成される。真空発生器１１０は、吸引ポート１１２から排せつ物流を受け取るように構成される。
【０１５１】
排出ポート１１３は、吸引装置１００の近位端に向くように配置される。排出ポート１１３は、真空発生器１１０に連結されている。排出ポート１１３は、正圧ガス供給１２１と、真空発生器から吸引ポート１１２が受け取った排せつ物流との合流した流れを受け取るように構成される。排出ポート１１３は、少なくとも吸引装置１００からの合流した流れを押し出すように構成される。いくつかの実施形態では、排出ポート１１３は、正圧排出液１２３を受け取るように構成された管を取り付ける接続具を含んでいてもよい。
【０１５２】
図２は、吸引システムの操作方法を示すブロック図である。図２に示されるステップは、吸引システム１００の一以上の要素によって実行されてもよい。加圧ガス流は、入力ポート（２０２）で受け取られる。例えば、入力ポート１１１は、正圧ガス供給１２１を受け取り、それを真空発生器１１０に供給するように構成される。真空発生器１１０は空気流増幅器の一例である。吸引ポート（２０４）の近くに低圧領域が生成される。例えば、真空発生器１１０は、正圧ガス供給１２１から吸引ポート１１２の近くの低圧領域を生成するように構成される。排せつ物流は吸引装置（２０６）に引き込まれる。例えば、低圧領域１２２は大気圧よりも低い。これにより、排せつ物流が吸引ポート１１２に入る。
吸引ポート１１２は、この排せつ物流を受けるように構成される。加圧ガス流と排せつ物流とを含む合流した流れが排出ポート（２０８）から排出される。例えば、吸引アセンブリ１００は、真空発生器１１０を通って排出ポート１１３から正圧排出液１２３として合流した流れ（正圧ガス供給１２１及び吸引ポート１１２に受け取られた排せつ物流を含み得る）を通過させるように構成される。
【０１５３】
図３は、逆流防止機能付き吸引システム３００を示すブロック図である。
逆流防止機能付き吸引システム３００は、真空発生器３１０を含み、入力ポート３１１、吸引ポート３１２、排出ポート３１３、及び逆流防止装置３１６を含む。吸引システム３００は、吸引システム１００の一例である。しかしながら、逆流防止機能付き吸引システム３００は、逆流防止装置３１６を含む。
【０１５４】
真空発生器３１０は、入力ポート３１１を介して正圧ガス供給３２１を受け取り、吸引ポート３１２に低圧領域３２２を生成する。低圧領域３２２は、逆流防止機能付き吸引システム３００内に排せつ物を同伴して受け取る。吸引ポート３１２は、真空発生器３１０に入る外科的副産物（例えば、煙、組織、ガス、液体、有害な化学排せつ物など）を同伴して受け取るように構成される。典型的な動作では、真空発生器３１０に引き込まれた外科的副産物は、真空発生器３１０によって排出ポート３１３から正圧排出液３２３として押し出される。排出ポート３１３は、正圧ガス供給３２１に同伴される外科的副産物を含む正圧排出液３２３を出力する。正圧排出液３２３は、収集、分離、及び／又は廃棄のために管、パイプなどに出力されてもよい。
【０１５５】
しかし、排出ポート３１３（又は、正圧排出液３２３を搬送するように接続された管）は、詰まり又は閉塞となる場合がある。これが起こると、閉塞物が正圧排出液３２３の全て又は実質的な部分が排出ポート３１３から流出するのを妨げる可能性がある。逆流防止装置３１６がなければ、正圧排出液３２３が排出ポート３１３から流出できないときには、正圧排出液３２３は、代わりに吸引ポート３１２から排出される。吸引ポート３１２から正圧排出液３２３（及び特に正圧ガス供給３２１）を排出することは望ましくなく、吸引ポート３１２（例えば、患者）の近くの物品に損傷又は他の問題を引き起こす可能性がある。しかしながら、逆流防止装置３１６は、少なくとも、正圧排出液３２３の流れが吸引ポート３１２を介して流出するのを阻止するように構成されている。
【０１５６】
逆流防止装置３１６は、低圧領域３２２を生成させる、真空発生器３１０の一以上の構成要素への正圧ガス供給３２１の供給を遮断することによって、真空発生器３１０の動作を停止させることができる。逆流防止装置３１６は、排せつ物の「逆の」流れが吸引ポート３１２を通って排出されないようにすることによって、真空発生器３１０の動作を停止させることができる。例えば、逆流防止装置３１６は、吸引ポート３１２と並んで配置してもよい。逆流防止装置３１６は、排せつ物が吸引ポート３１２から排出されるように流れ始めたときに起動することもできる。逆流防止装置３１６は、起動されると、その起動された状態を維持し、それによって正圧ガス供給３２１が解除される（すなわちオフになる）か、又は閉塞が解消されるまで、吸引ポート３１２からの流出を防止するように構成してもよい。逆流防止装置３１６は又、正圧ガス供給３２１及び正圧排出液３２３を、真空発生器３１０から流出できるように、起動時に正圧ガス供給３２１を迂回ポートから流出させてもよい。
【０１５７】
図４は、逆流アラート機能付き吸引システム４００を示すブロック図である。逆流アラート機能付き吸引システム４００は、吸引システム１００及び吸引システム３００の一例である。しかしながら、逆流アラート機能付き吸引システム３００は、逆流アラート４１７を含む。逆流アラート機能付き吸引システム４００は、真空発生器４１０、正圧入力ポート４１１、吸引ポート４１２、排出ポート４１３及び逆流アラート４１７を備える。
【０１５８】
逆流アラート４１７は、吸引システム４００のユーザに閉塞の存在を警告するように構成される。閉塞のアラートがあったら、ユーザは以下のうちの一以上を行えばよい。（１）真空発生器４１０の使用を中止する。（２）閉塞を解消することにより、正常な動作を回復させる。そして、（３）正圧ガス供給４２１の供給を停止することにより、真空発生器４１０を遮断する。
【０１５９】
逆流アラート４１７は、可聴アラート（例えば、ホイッスルや他のアラームタイプのノイズ）、可視アラート（例えば、フラグ又は他の目視可能な表示）、触覚アラート（例えば、振動）、又はいくつかの他のアラートを生成してユーザに閉塞物の存在を知らせることができる。逆流アラート４１７は、機械的又は電気的手段を使用してアラートを生成することができる。アラートを生成するために使用可能な機械的手段の例を提供するために、逆流アラート４１７は、空気圧を使用してホイッスル型装置を使った可聴アラート、物理的にフラグ又は他の可視インジケータを移動させることによる可視アラート、又は物理的に主要部を動かすことによる触覚アラートを生成してもよい。同様に、逆流アラート４１７によって、逆流及び信号循環を検出して逆流アラート４１７を起動するために、トランスデューサ、質量空気流センサなどを含む様々な電子部品を使用してもよい。
【０１６０】
一実施形態では、逆流アラート４１７は、真空発生器４１０内の圧力を測定するための一以上の機械式圧力計又は電子トランスデューサを含んでいてもよい。逆流アラート４１７は、真空装置４１０内の内部圧力が閾値基準に達したことに呼応して起動されるように構成してもよい。逆流アラート４１７は、真空発生器４１０の現在の内部圧力レベル及び／又は内部圧力レベルが所望の動作範囲内にあるかどうかをユーザに通知してもよい。本明細書に記載された様々なタイプのアラートは、個別に又は組み合わせて使用してもよい。同様に、逆流アラート４１７は、機械的及び電気的手段の両方を用いて、逆流を個別に又は組み合わせて検出することができる。
【０１６１】
いくつかの例では、真空発生器４１０は、逆止弁、例えば、逆流防止装置３１０を備え、入力ポート４１１と連通させて、少なくとも正圧ガス供給４２１の流れが吸引ポート４１２から排出されないようにすることができる。逆流アラート４１７は、逆止弁が正圧ガス供給４２１が吸引ポート４１２から排出されるのを阻止しているときに起動されるように構成してもよい。正圧ガス供給４２１が吸引ポート４１２から排出されるのを阻止するために逆止弁を起動することにより、正圧ガス供給４２１の少なくとも一部を迂回させて逆流アラート４１７を起動するようにしてもよい。逆流アラート４１７は、正圧ガス供給４２１の一部を使用して可聴音を生成することができる。例えば、逆流アラート４１７は、正圧ガス供給の一部をホイッスルに導き、それによって可聴音を生成してもよい。
あるいは、逆流アラート４１７は、可視インジケータを使用して、使用に閉塞の存在を通知するようにしてもよい。逆流アラート４１７は、正圧ガス供給４２１の一部を迂回させ、逆流アラート機能付き吸引システム４００の操作者に見える可視インジケータを可視化する部材を動かしてもよい。
【０１６２】
図５は、安全機能付き吸引システム５００を示すブロック図である。安全機能付き吸引システム５００は、吸引システム１００、逆流防止機能付き吸引システム３００、及び逆流アラート機能付き吸引システム４００の一例であり得るが、安全機能付き吸引システム５００は、代替の構成及び操作方法を有していてもよい。安全機能付き吸引システム５００は、真空発生器５１０、正圧入力ポート５１１、吸引ポート５１２、排出ポート５１３、逆流防止装置５１６及び逆流アラート５１７を備える。逆流防止装置５１６は、逆流アラート５１７に操作可能に結合されている。
【０１６３】
逆流防止装置５１６は、低圧領域５２２を生成させる、真空発生器５１０の一以上の構成要素への正圧ガス供給５２１の供給を遮断することによって、真空発生器５１０の動作を停止させることができる。逆流防止装置５１６は、排せつ物の任意の「逆の」流れが吸引ポート５１２を通って排出されないようにすることによって、真空発生器５１０の動作を停止させることができる。逆流防止装置５１６は、排せつ物が吸引ポート５１２から排出されるように流れ始めたときに起動するようにすることもできる。逆流防止装置５１６は、起動されると、その起動された状態を維持し、それによって正圧ガス供給５２１が解除される（すなわちオフになる）か、又は閉塞が解消されるまで、吸引ポート５１２からの流出を防止するように構成してもよい。
【０１６４】
逆流防止装置５１６は、逆流アラート５１７に操作可能に結合して、逆流防止装置５１６の起動に呼応して逆流アラート５１７を起動するようにしてもよい。このようにして、閉塞に呼応して、真空発生器５１０は、吸引ポート５１２からの排出液の逆流を停止させる（すなわち防止する）と共に、ユーザに閉塞を警告する。
【０１６５】
逆流変更部５１７は、逆流防止装置５１６に操作可能に結合されている。逆流アラート５１７は、真空発生器５１０のユーザに閉塞の存在を警告するように構成される。閉塞の警告があると、ユーザは以下のうちの一以上を行えばよい。（１）真空発生器５１０の使用を中止する。（２）閉塞を解消することによって正常な動作を回復させる。そして、（３）正圧ガス供給５２１の供給を停止することにより、真空発生器５１０を遮断する。
【０１６６】
逆流アラート５１７は、可聴アラート（例えば、ホイッスル又は他のアラームタイプのノイズ）、可視アラート（例えば、フラグ又は他の目視可能なインジケータ）、触覚アラート（例えば、振動）、又はいくつかの他のタイプのアラートを生成してユーザに閉塞物の存在を知らせることができる。逆流アラート５１７は、機械的又は電気的手段を使用してアラートを生成してもよい。アラートを生成するために使用可能ないくつかの機械的手段の例を提供するために、逆流アラート５１７は、気圧を使用してホイッスル型装置を使った可聴アラート、物理的にフラグ又は他の可視インジケータを移動させることによる可視アラート、又は物理的に主要部を動かすことによる触覚アラートを生成することができる。同様に、逆流アラート５１７によって、トランスデューサ、質量空気流センサなどを含む様々な電子部品を使用して、逆流及び信号循環を検出して、逆流アラート５１７を起動してもよい。本明細書に記載された様々なタイプのアラートは、個別に又は組み合わせて使用してもよい。
同様に、逆流アラート５１７は、機械的及び電気的手段の両方を用いて、逆流を個別に又は組み合わせて検出してもよい。
【０１６７】
一実施形態では、逆流アラート５１７は、真空発生器５１０内の圧力を測定するための一以上の機械式圧力計又は電子トランスデューサを含んでいてもよい。逆流アラート５１７は、真空装置５１０内の内部圧力が閾値基準に達すると、例えば閉塞の可能性を示唆する内圧の上昇に呼応して起動されるように構成してもよい。逆流アラート５１７は、真空発生器５１０の現在の内部圧力レベル及び／又は内部圧力レベルが所望の動作範囲内にあるかどうかをユーザに通知することもできる。本明細書に記載された様々なタイプのアラートは、個別に又は組み合わせて使用してもよい。
同様に、逆流アラート５１７は、機械的及び電気的手段の両方を用いて、逆流を個別に又は組み合わせて検出してもよい。
【０１６８】
真空発生器５１０は、逆流防止装置５１６を入力ポート５１１と連通させて、少なくとも正圧ガス供給５２１の流れが吸引ポート５１２から排出されないようにする。逆流アラート５１７は、逆流防止装置５１６が、正圧ガス供給５２１が吸引ポート５１２から排出されるのを阻止しているときに起動されるように構成してもよい。正圧ガス供給５２１及び正圧排出液５２３が吸引ポート５１２から排出されるのを防止する逆流防止装置５１６の起動により、正圧ガス供給５２１の少なくとも一部が迂回され、逆流アラート５１７を起動するようにしてもよい。逆流アラート５１７は、正圧ガス供給５２１の一部を使用して可聴音を生成することができる。例えば、逆流アラート５１７は、正圧ガス供給の一部をホイッスルに導き、それによって可聴音を生成することができる。あるいは、逆流アラート５１７は、可視インジケータを使用して、使用に閉塞の存在を通知することができる。逆流アラート５１７は、正圧ガス供給５２１の一部を迂回させ、逆流アラート機能付き吸引システム５００の操作者に可視インジケータを可視化する部材を動かすようにしてもよい。
【０１６９】
図６は、安全機能付き吸引システムの操作方法を示すブロック図である。図６に示されるステップは、吸引システム５００の一以上の要素によって実行されてもよい。加圧ガス流は、入力ポート（６０２）で受け取られる。例えば、入力ポート５１１は、正圧ガス供給５２１を受け取り、それを真空発生器５１０に供給するように構成される。真空発生器５１０は空気流増幅器の一例である。吸引ポート（６０４）の近くに低圧領域が生成される。例えば、真空発生器５１０は、正圧ガス供給５２１を真空発生器５１０を通るように導くことによって吸引ポート５１２の近くの低圧領域５２２を生成するように構成される。排せつ物流は吸引システム（６０６）に引き込まれる。例えば、低圧領域５２２は大気圧よりも低い。これにより、排せつ物流が吸引ポート５１２に入る。吸引ポート５１２は、この排せつ物流を受け取るように構成される。加圧ガス流と、吸引ポートで受け取った排せつ物流とを含む合流した流れが排出ポート（６０８）から排出される。例えば、安全機能付き吸引システム５００は、排出ポート５１３から正圧排出液５２３として合流した流れ（正圧ガス供給５２１及び吸引ポート５１２で受け取る排せつ物流を含んでいてもよい）を排出させるように構成される。少なくとも加圧ガス流は、吸引ポート（６１０）から排出されないように阻止される。例えば、逆流防止装置５１６は、少なくとも正圧ガス供給５２１が吸引ポート５１２から排出されるのを防止するように構成される。逆流防止装置５１６は、安全機能付き吸引システム５００の一部が閉塞によって遮断されると起動するようにしてもよい。加圧ガスの流れは迂回され、アラームを起動し、一以上の迂回ポート（６１２）から排出される。例えば、逆流防止装置５１６は、正圧ガス供給５２１を迂回してアラート５１７を起動し、一以上の迂回ポートから排出するように構成されている。
【０１７０】
図７は、閉塞除去制御機能付き吸引システム７００を示すブロック図である。閉塞除去制御機能付き吸引システム７００は、吸引システム１００、逆流防止機能付き吸引システム３００、逆流アラート機能付き吸引システム４００、及び安全機能付き吸引システム５００の一例である。ただし、閉塞除去制御機能付き吸引システム７００は閉塞除去制御器７０８を含む。閉塞除去制御機能付き吸引システム７００は、逆流除去制御器７０８、真空発生器７１０、入力ポート７１１、吸引ポート７１２、排出ポート７１３及び逆流防止装置７１６を含む。
【０１７１】
閉塞除去制御器７０８は、ユーザ入力に呼応して、正圧ガス供給７２１から受け取った真空発生器７１０内の圧力を増加させるように構成される。操作中、閉塞除去制御器７０８が起動すると、正圧ガス供給７２１から受け取る真空発生器７１０内の圧力が増加する。真空発生器７１０内の圧力のこの増加は、排出ポート７１３から閉塞物を強制的に押し出すことができる。その閉塞物は、正圧排出液７２３として搬送されることができる。いくつかの実施形態では、真空発生器７１０は、一以上の迂回ポートを有し、閉塞除去制御機能付き吸引システム７００が閉塞した場合、正圧ガス供給７２１が吸引ポート７１２から排出されないよう、迂回させてもよい。いくつかの実施形態では、閉塞除去制御器７０８は、一以上の迂回ポートを遮断して、真空発生器７１０内の圧力を増加させるように構成してもよい。いくつかの実施形態では、閉塞除去制御器７０８は、逆流防止装置７１６と連動して圧力を増加させることができる。このような実施形態では、逆流防止装置７１６は、正圧ガス供給７２１を吸引ポート７１２から排出されるのを遮断するように構成してもよく、閉塞除去制御器７０８は、同時に一以上の迂回ポートを遮断して、真空発生器７１０の内部の圧力を上昇させるように構成してもよい。
【０１７２】
図８は、安全機能及び閉塞除去制御機能付き吸引システム８００を示すブロック図である。安全機能及び閉塞除去制御機能付き吸引システム８００は、吸引システム１００、逆流防止機能付き吸引システム３００、逆流アラート機能付き吸引システム４００、安全機能付き吸引システム５００及び逆流除去制御機能付き吸引システム７００の一例であるが、安全機能及び閉塞除去制御機能付き吸引システム８００は、代替の構成及び操作方法を含んでいてもよい。図８において、安全機能及び閉塞除去制御機能付き吸引システム８００は、逆流除去制御器８０８、真空発生器８１０、入力ポート８１１、吸引ポート８１２、排出ポート８１３、逆流防止装置８１６、逆流アラート８１７及び容器８６０を含む。
【０１７３】
逆流除去制御器８０８は、排出ポート８１３を通って障害物又は閉塞物を真空発生器８１０から排出するように構成されている。逆流除去制御器８０８は、真空発生器８１０内の正圧ガス供給８２１から供給される圧力を増加させるように構成されている。この圧力の増加は排出ポート８１３の障害物又は閉塞物を外に押し出すことができる場合もある。いくつかの実施形態では、逆流除去制御器８０８は、逆流防止装置８１６と連動して機能させてもよい。そのような例では、逆流防止装置８１６は、正圧ガス供給８２１が吸引ポート８１２から排出されるのを阻止し、正圧ガス供給８２１を一以上の迂回ポートから迂回させることができる。閉塞除去制御器は、一以上の迂回ポートを遮断して、正圧ガス供給８２１からの圧力が真空発生器８１０内で増加できるように構成してもよい。
【０１７４】
真空発生器８１０は、入力ポート８１１から正圧ガス供給８２１を受け取るように構成されている。真空発生器８１０は、正圧ガス供給８２１から吸引ポート８１２の近くに低圧領域８２２を生成するように構成してもよい。いくつかの実施形態では、入力ポート８１１は、正圧ガス供給を真空発生器８１０に、真空発生器８１０の内壁に対してある角度で供給するように構成されている。真空発生器８１０は、コアンダ効果を利用して低圧領域８２２を生成するように構成してもよい。
【０１７５】
入力ポート８１１は、正圧ガス供給８２１を受け取り、それを真空発生器８１０に供給するように構成される。いくつかの実施形態では、入力ポート８１１は、正圧ガス供給８２１を真空発生器８１０に、真空発生器８１０の内壁に対してある角度で供給するように構成してもよい。管を使用して、正圧ガス供給８２１を入力ポート８１１に供給してもよい。いくつかの実施形態では、入力ポート８１１は、管を入力ポート８１１に接続するための接続具を含んでいてもよい。利用可能な接続のいくつかのタイプには、バーベッド、クイックディスコネクト、又は圧縮嵌めが含まれる。
【０１７６】
吸引ポート８１２は、真空発生器８１０の遠位端に向かって配置される。吸引ポート８１２は、排せつ物流を受け取って真空発生器８１０に供給するように構成される。操作中、低圧領域８２２は、排せつ物流を吸引ポート８１２に引き込む。吸引ポート８１２は、排せつ物流を真空発生器８１０に供給する。いくつかの実施形態では、吸引ポート８１２は、吸引ポート８１２の壁に放射状に配列された開口部を含んでいてもよい。開口部は、吸引ポート８１２の近くで付加的な吸引を行う。開口部は、ベンチュリ効果を利用するように構成してもよい。開口部は、ユーザの入力に呼応して開閉するように構成してもよい。
【０１７７】
排出ポート８１３は、真空発生器８１０からの正圧排出液を回収源に導くように構成されている。容器８６０は、回収源の一例である。いくつかの実施形態では、排出ポート８１３は、管に接続するための接続具を含んでいてもよい。利用可能な接続のいくつかのタイプには、バーベッド、クイックディスコネクト、又は圧縮嵌めが含まれる。管は、排出ポート８１３を容器８６０に結合するために使用してもよい。
【０１７８】
逆流防止装置８１６は、低圧領域８２２を生成させる、真空発生器８１０の一以上の構成要素への正圧ガス供給８２１の供給を遮断することによって、真空発生器８１０の動作を停止させることができる。逆流防止装置８１６は、排せつ物のいずれの「逆の」流れも吸引ポート８１２を通って排出されないようにすることによって、真空発生器８１０の動作を停止させることができる。例えば、逆流防止装置８１６は、吸引ポート８１２と並んで配置してもよい。逆流防止装置８１６は、排せつ物が吸引ポート８１２から排出されるように流れ始めたときに起動するようにすることもできる。逆流防止装置８１６は、起動されると、その起動された状態を維持し、それによって正圧ガス供給８２１が解除される（すなわちオフになる）か、又は閉塞が解消されるまで、吸引ポート８１２からの流出を防止するように構成することができる。逆流防止装置８１６は、逆流アラート８１７に操作可能に結合して逆流防止装置８１６の起動に呼応して逆流アラート８１７を起動させるようにしてもよい。このようにして、閉塞に呼応して、真空発生器８１０は、吸引ポート８１２からの排出液の逆流を停止させる（すなわち防止する）と共に、ユーザに閉塞を警告する。
【０１７９】
逆流アラート８１７は、真空発生器８１０のユーザに閉塞の存在を警告するように構成される。閉塞の警告があったら、ユーザは以下のうちの一以上を行えばよい。（１）真空発生器８１０の使用を中止する。（２）閉塞を解消し、それによって正常な動作を回復させる。そして（３）正圧ガス供給８２１の供給を停止することにより、真空発生器８１０を遮断する。操作中、逆流アラート８１７は、逆流防止装置８１６が、正圧ガス供給８２１が吸引ポート８１２から排出されるのを阻止しているときに起動されるように構成してもよい。逆流アラート８１７は、真空装置８１０内の内部圧力が閾値基準に達したことに呼応して起動されるように構成してもよい。閾値基準の１つの例は、障害物を示す真空発生器８１０内の所定の圧力レベルを含む。逆流アラート８１７は、可聴アラート（例えば、ホイッスルや他のアラームタイプのノイズ）、可視アラート（例えば、フラグ又は他の目視可能なインジケータ）、触覚アラート（例えば、振動）、又はいくつかの別のタイプのアラートを生成してユーザに閉塞物の存在を知らせることができる。逆流アラート８１７は、機械的又は電気的手段を使用してアラートを生成することができる。逆流アラート８１７は、正圧ガス供給８２１の一部を使用して可聴音を生成することができる。例えば、逆流アラート８１７は、正圧ガス供給の一部をホイッスルに導き、それによって可聴音を生成することができる。あるいは、逆流アラート８１７は、可視インジケータを使用して、使用に閉塞の存在を通知することができる。逆流アラート８１７は、正圧ガス供給８２１の一部を迂回させ、操作者に可視インジケータを可視化する部材を動かすことができる。同様に、逆流アラート８１７によって、トランスデューサ、質量空気流センサなどを含む様々な電子部品を使用して、逆流及び信号循環を検出して、逆流アラート８１７を起動することができる。逆流アラート８１７は、本明細書に記載されているアラートの１つ又は組み合わせを使用して、真空発生器８１０のユーザに閉塞物の存在を通知することができる。
【０１８０】
容器８６０は、収集、分離、及び／又は廃棄のために排出ポート８１３からの廃棄物排出を受け取るように構成される。一実施形態では、容器８６０は、管、パイプなどへの出力に結合されて、収集、分離、及び／又は廃棄するようにしてもよい。一実施形態では、容器８６０は、真空源に接続された吸引容器であってもよい。容器８６０は、フィルタを含んでいてもよい。容器８６０は、プラスチック、ガラス、金属又は望ましい特性を有する何らかの他の材料から製造してもよい。いくつかの望ましい特性には、コスト、滅菌能力、製造方法、用途又は他のいくつかの測定基準を含んでいてもよい。
【０１８１】
図９は、安全機能及び閉塞除去制御機能付き吸引システムの操作方法を示すブロック図である。図９に示されるステップは、安全機能及び閉塞除去制御機能付き吸引システム８００の一以上の要素によって実行されてもよい。加圧ガス供給は、入力ポートで受け取られる（９０２）。例えば、入力ポート８１１は、正圧ガス供給８２１を受け取り、それを真空発生器８１０に供給するように構成される。真空発生器８１０は空気流増幅器の一例である。吸引ポートの近くに低圧領域が生成される（９０４）。例えば、真空発生器８１０は、正圧ガス供給８２１を真空発生器８１０を通るように導くことによって吸引ポート８１２の近くの低圧領域を生成するように構成される。排せつ物流は吸引システムに引き込まれる（９０６）。例えば、低圧領域８２２は大気圧よりも低い。これにより、排せつ物流が吸引ポート８１２に入る。吸引ポート８１２は、安全機能及び閉塞除去制御機能付き吸引システム８００への排せつ物流を受け取るように構成されている。加圧ガス供給と排せつ物流とを含む合流した流れが排出ポートから排出される（９０８）。例えば、安全機能付き吸引アセンブリ及び閉塞除去制御器８００は、排出ポート８１３の外への合流した流れ（正圧ガス供給８２１及び吸引ポート８１２で受け取られた排せつ物流を含む）を排出するように構成される。少なくとも加圧ガス流は、吸引ポートから排出されないように阻止される（９１０）。例えば、逆流防止装置８１６は、安全機能及び閉塞除去制御機能付き吸引システム８００の一部が閉塞されたときに起動するように構成される。逆流防止装置８１６は、少なくとも正圧ガス供給８２１が吸引ポート８１２を介して排出されないように構成されている。加圧ガスの流れは迂回され、アラームを起動し、一以上の迂回ポートから排出される（９１２）。例えば、逆流防止装置５１６は、加圧ガス供給５２１の少なくとも一部を迂回させて、アラート５１７及び迂回ポートの残りの部分を起動させるように構成される。吸引システム内の圧力は、障害物が排出ポートから排出されるまで増加する（９１４）。例えば、閉塞除去制御器８０８は、閉塞物が排出ポート８１３から排出されるまで、正圧ガス供給８２１からの圧力を増加させるように構成される。合流した流れが収集される（９１６）。例えば、容器８６０は排出ポート８１３に結合される。排出ポート８１３は、合流した流れを容器８６０内に導くように構成される。容器８６０は、少なくとも合流した流れを収集するように構成される。
【０１８２】
図１０Ａは、濾過吸引システム１０００を示すブロック図である。濾過吸引システム１０００は、吸引システム１００、逆流防止機能付き吸引システム３００、逆流アラート機能付き吸引システム４００、安全機能付き吸引システム５００、逆流除去制御機能付き吸引システム７００、安全機能及び閉塞除去制御機能付き吸引システム８００の一例であるが、濾過吸引システム１０００は、フィルタ１０３０を含む。図１０Ａに示すように、濾過吸引システム１０００は、真空発生器１０１０、入力ポート１０１１、吸引ポート１０１２、排出ポート１０１３及びフィルタ１０３０を含む。
【０１８３】
真空発生器１０１０は、正圧ガス１０２１を受け取り、吸引ポート１０１２に低圧領域１０２２を生成するように構成される。低圧領域１０２２は、排せつ物を同伴して受け取り、濾過吸引システム１０００に送る。排せつ物は外科的副産物（例えば、煙、組織、ガス、液体、有害化学排せつ物など）を含んでいてもよい。典型的な操作では、真空発生器１０１０に引き込まれた外科的副産物は、フィルタ１０３０を通って排出ポート１０１３から真空発生器１０１０によって押し出される。
【０１８４】
フィルタ１０３０は、合流した流れ（正圧ガス１０２１及び外科的副産物を含んでいてもよい）に含まれる排せつ物を捕捉するように構成される。フィルタ１０３０の様々な実施形態は、異なる動作を使用して異なるタイプの排せつ物を捕捉することができる。フィルタ１０３０は、一以上のフィルタ入口ポート（この例では、フィルタ入口ポートに一体化された排出ポート１０１３）及び一以上のフィルタ出力ポート１０３３を含む。一以上のフィルタ入口ポートは、真空発生器１０１０からの合流した流れを受け取るように構成される。フィルタ１０３０は、合流した流れに含まれる排せつ物を捕捉し、濾液をフィルタ出口ポート１０３０に通す。フィルタ１０３０は、手持ち式操作用に構成された濾過吸引システム１０００の内部に収容されてもよい。あるいは、フィルタ１０３０は、真空発生器１０１０の手持ち部分からいくらか離れて配置されてもよい。外科的副産物及び正圧ガス１０２１は、管、パイプなどに出力されて、フィルタ１０３０へ搬送されてもよい。
【０１８５】
フィルタ１０３０は、機械的、生物学的、化学的又はそれらの任意の組み合わせを含む他のタイプのフィルタを備えていてもよい。機械的濾過は、物理的バリア又は濾材型フィルタ、ボルテックスフィルタ又はサイクロン型フィルタ、又はそれらの組み合わせを含んでいてもよい。
【０１８６】
物理的バリア又は濾材を使用するフィルタは、粒子が濾材を通過するのを物理的に阻止することによって粒子を保持する。濾材は、それを通過する排出液から固体を機械的又は物理的に歪ませる。濾材は、様々な材料及び多孔性で入手可能であり、抽出できる粒子のサイズを制限するように選択してもよい。濾材の細孔が大きいほど、フィルタがそれを抽出するために粒子状排せつ物が大きくなければならない。異なる材料及び多孔性の組み合わせ濾材を使用して、収集された排せつ物の排出液や受け取ったガスを含む特定の要素を、吸引ポート１０１２を介して分離して、排出ポート１０１３からフィルタ１０３０に排出させてもよい。
【０１８７】
ボルテックス又はサイクロンフィルタは、サイクロン分離方法で作動し、物理的バリア又は濾材を必要とせずに排出液から粒子を除去する。回転効果と重力を利用して、固体と液体の混合物を分離する。この方法は、液体の微細な液滴をガス流から分離するためにも使用することができる。
【０１８８】
生物学的濾過法は、細菌や真菌などの生きた微生物を使用して、汚染排せつ物、有害化学排せつ物、及び排出液からの他の望ましくない成分を捕捉し、生物学的に分解する。生物学的濾過法は、ガス及び液体と共に使用することができる。生物学的フィルタは、有益な微生物が成長する濾材を含む。生物学的濾材は、砂、プラスチック、金属、セラミック及び他の材料から製作することができる。大きな表面積／体積比を有する材料は、典型的には、生物学的フィルタにおいて最大限の性能を発揮する。
【０１８９】
化学的濾過法は、活性炭、樹脂及び他の吸着剤を介して排出液から溶存微粒子を除去する。化学的濾過媒体は、望ましくない溶解排せつ物をそれに接着させる。化学媒体の２つの一般的な形態は、活性炭及び樹脂を含む。活性炭は、ある種の有機又は無機排せつ物をそれらに付着させる微細な孔を有する。炭素は排出液から多くの有害な元素を除去する。イオン交換樹脂は、特定の分子を引き付けてそれらを接着させることによって作用する。樹脂は炭素と結合することができる。樹脂は炭素の濾過能力を強化することもある。化学的濾過法のために、タンパク質発泡スキミング又はオゾンによる酸化を使用してもよい。
【０１９０】
図１０Ｂは、濾過吸引システム１０００の操作を示すブロック図である。操作中、真空発生器１０１０は、正圧ガス１０２１を受けて、吸引ポート１０１２に低圧領域を生成し、排出ポート１０１３に正圧排出液を生成する。真空発生器１０１０は流量増倍器の一例である。吸引ポート１０１２は、排せつ物１０２５（例えば、流体１０２４及び固体１０２６）を低圧領域によって真空発生器１０１０に引き込む。真空発生器１０１０に引き込まれた排せつ物１０２５は、真空発生器１０１０によって、フィルタ１０３０を通って排出ポート１０１３から押し出される。フィルタ１０３０は固体１０２６を除去し、濾液１０２７を通過させてフィルタ出口ポート１０３３でフィルタ１０３０から排出される。
【０１９１】
図１１は、濾過吸引システムの操作方法を示すブロック図である。図１１に示されるステップは、濾過吸引システム１０００の一以上の要素によって実行されてもよい。加圧ガス流は、入力ポート（１１０２）で受け取る。例えば、入力ポート１０１１は、正圧ガス１０２１を受け取り、それを真空発生器１０１０に供給するように構成される。真空発生器１０１０は、流量増倍器の一例である。吸引ポート（１１０４）の近くに低圧領域が生成される。例えば、真空発生器１０１０は、正圧ガス１０２１を使用して吸引ポート１０１２の近くに低圧領域１０２２を生成するように構成される。排せつ物流が吸引システム（１１０６）に引き込まれる。例えば、低圧領域１０２２は大気圧よりも低い。これにより、排せつ物流が吸引ポート１０１２に入る。吸引ポート１０１２は、濾過吸引システム１０００を通して排せつ物流を導くように構成される。加圧ガス流と、吸引ポートで受け取った排せつ物流とを合流した流れは、フィルタ（１１０８）を通過する。例えば、真空発生器１０１０は、合流した流れ（正圧ガス１０２１及び吸引ポート１０１２で受け取られた排せつ物流を含んでいてもよい）をフィルタ１０３０に通すように構成される。合流した流れに含まれる固体は、フィルタ内に捕捉され、濾液は、収集用フィルタを通過する（１１１０）。例えば、フィルタ１０３０は、採取のため、固体１０２６を捕捉し、濾液１０２７を通過させるように構成される。
【０１９２】
図１２は、正圧駆動吸引装置１２００を示すブロック図である。正圧吸引装置１２００は、吸引システム１００の一例である。しかしながら、正圧駆動吸引装置１２００は、代替の構成及び操作方法も可能である。図１２に示すように、正圧駆動吸引装置１２００は、吸引装置１２１０と、正圧入口１２１１と、吸引吸入口１２１２と、出口ポート１２１３と流量増倍器１２１５とを含む。
【０１９３】
吸引装置１２１０は、吸引吸入口１２１２の近くに真空領域１２２２を生成して、吸引装置１２１０に排せつ物を引き込み、加圧排出液を出口ポート１２１３から排出するように構成される。
排せつ物は、固形物、液体、及びガスを組み合わせて含んでいてもよく、その比率は可変でもよい。いくつかの実施形態では、排せつ物は外科的副産物を含んでいてもよい。吸引装置１２１０は、正圧供給１２２１から真空領域１２２２を生成するように構成される。いくつかの実施形態では、吸引装置１２１０は、正圧供給１２２１から真空領域１２２２を生成するためにコアンダ効果を利用してもよい。
【０１９４】
正圧入口１２１１は、正圧供給１２２１を受け取り、それを流量増倍器１２１５に供給するように構成される。いくつかの実施形態では、正圧入口１２１１は、正圧供給１２２１を流量増倍器１２１５に、流量増倍器１２１５の内壁に対してある角度で供給するように構成される。正圧入口１２１１に正圧供給１２２１を提供するために、管を使用してもよい。いくつかの実施形態では、正圧入口１２１１は、正圧入口１２１１に管を連結するための接続具を含んでいてもよい。利用可能な接続具のいくつかのタイプには、バーベッド、クイックディスコネクト、又は圧縮嵌めが含まれる。
【０１９５】
吸引吸入口１２１２は、吸引装置１２１０の遠位端に向かって配置される。吸引吸入口１２１２は、排せつ物流を受け取り、それを吸引装置１２１０に供給するように構成されている。操作中、真空領域１２２２は、排せつ物流を吸引吸入口１２１２に引き込む。吸引吸入口１２１２は、排せつ物流を流量増倍器１２１５に供給する。いくつかの実施形態では、吸引吸入口１２１２は、吸引吸入口１２１２の壁に放射状に配列された複数の開口部を含んでいてもよい。開口部は吸引吸入口１２１２の近くにおいて、付加的な吸引力を提供する。いくつかの実施形態では、開口部はベンチュリ効果を利用するように構成してもよい。いくつかの実施形態では、開口部は、ユーザ入力に呼応して開閉するように構成してもよい。
【０１９６】
出口ポート１２１３は、加圧排出液１２２３を吸引装置１２１０から回収源に導くように構成されている。いくつかの実施形態では、出口ポート１２１３は、管に接続するための接続具を含んでいてもよい。利用可能な接続のいくつかのタイプには、バーベッド、クイックディスコネクト、又は圧縮嵌めが含まれる。
【０１９７】
流量増倍器１２１５は、正圧入口１２１１から正圧供給１２２１を受け取るように構成されている。いくつかの実施形態では、正圧入口１２１１は、流量増倍器１２１５に、流量増倍器１２１５の内壁に対してある角度で正圧供給１２２１を供給することができる。流量増倍器１２１５は、吸引吸入口１２１２の近くの正圧供給１２２１から真空領域１２２２を生成するように構成される。真空領域１２２２は大気圧より低い圧力を有する。大気圧は、真空領域１２２２内の圧力を超え、それによって吸引装置１２１０内で吸引力を生成する。真空領域１２２２は、排せつ物（例えば、液体、ガス、及び固体）を吸引吸入口１２１２に引き込む。吸引吸入口１２１２は、吸引装置１２１０に排せつ物を供給するように構成されている。吸引装置１２１０内に引き込まれた排せつ物は、流量増倍器１２１５によって出口ポート１２１３から押し出される。出口ポート１２１３は、加圧排出液１２２３（これは、正圧供給１２２１と、吸引吸入口１２１２に集められた排せつ物とを含んでいてもよい）を出力する。加圧排出液１２２３は、収集、分離、及び／又は廃棄のために管、パイプなどに排出されてもよい。
【０１９８】
用語「正圧」及び「低圧」は相対的な用語であることは理解できよう。これらの用語は、吸引装置１２１０の近傍の大気／ガス圧に関連すると理解すべきである。例えば、正圧供給１２２１は、圧縮空気、窒素、二酸化炭素又は他の何らかのガス圧源の流れであってもよい。この場合、正圧供給１２２１は、吸引装置１２１０を取り囲む大気より高く加圧される。同様に、真空領域１２２２は、吸引吸入口１２１２の近傍の空気圧が大気よりも小さい領域であってもよい。真空領域１２２２は、吸引吸入口１２１２の近傍の空気を吸引吸入口１２１２に、おそらく排せつ物を同伴して流入させる。
【０１９９】
一実施形態では、吸引装置１２１０は手持ち式操作用に構成してもよい。この構成では、吸引装置１２１０は、操作中に片手又は両手によって保持されるような寸法及び形状とされる。したがって、吸引装置１２１０は、恒久的に取り付けられた（又は可搬型だが大型の）吸引ポンプではなく、吸引吸入口１２１２に排せつ物を吸引し、出口ポート１２１３から排せつ物を押し出す比較的小型の装置でよい。吸引装置１２１０は手持ち式操作用に構成してもよいが、別の手順（例えば、腹腔鏡、ロボットなど）で使用することもできることを理解できよう。
【０２００】
正圧供給１２２１を受け、加圧排出液１２２３を生成することによって、正圧入口１２１１及び出口ポート１２１３に接続された管及び／又はパイプを薄肉にして折り畳み式とできることは理解できよう。正圧供給１２２１及び加圧排出液１２２３の正圧が折り畳み式管を「押し開く」又は「膨らませる」ので、正圧入口１２１１及び出口ポート１２１３に接続された管及び／又はパイプは折り畳み可能とすることができる。したがって、供給される真空ライン又は真空源（真空ポンプ及び／又は管壁ポートなど）に依存する「負圧」システムで使用されるよりも軽量及び／又はより安価な管を吸引装置１２１０と共に使用することができる。
【０２０１】
いくつかの実施形態では、流量増倍器１２１５は、第１の端部に吸引吸入口１２１２を有し、第２の端部に出口ポート１２１３を有する略円筒形のキャビティを画定する構造を備えていてもよい。円筒形のキャビティは、キャビティの内壁によって画定される。さらに、この構造は、吸引吸入口１２１２の近くの内壁に環状開口部を有し、この開口部は、正圧供給１２２１が環状開口部から流出して、真空領域１２２２が吸引吸入口１２１２に生成され、倍増した流れが出口ポート１２１３で生成されるような構造でもよい。環状開口部は、正圧供給１２２１が出口ポート１２１３の近くのキャビティの内壁に対してある角度でキャビティに入り、キャビティは、環状開口部がキャビティと連通する箇所において、より大きな直径に拡開するように構成してもよい。環状開口部は又、加圧ガスが、第２の端部に向かうキャビティの内壁に対してある角度（例えば、０°&#12316;９０°）でキャビティに入るように構成される。いくつかの実施形態では、より鋭角（例えば、３０°〜５０°）が望ましい場合がある。
【０２０２】
環状開口部などの間隙空間の寸法は、大気と真空領域１２２２との間の圧力差を制御するように調整可能としてもよい。環状開口部は、キャビティに入る正圧供給１２２１が環状開口部を画定する構造部分の曲面に付着し、それにより増幅された流れの全質量流量を増加させる真空領域１２２２を形成するようなプロファイルを有するように構成してもよい。さらに、流量増倍器１２１５は、圧力差を制御するために回転可能として環状開口部の寸法を調整する構造を含んでいてもよい。環状開口部の調整により、操作者又はユーザが、流量増倍器１２１５が行う液体吸引に対するガス吸引率を制御するようにしてもよい。
【０２０３】
図１３は、逆流防止機能付き正圧駆動吸引装置１３００を示すブロック図である。逆流防止機能付き正圧駆動吸引装置１３００は、正圧駆動吸引装置１２００の一例であるが、逆流防止機能付き正圧駆動吸引装置１３００は、逆流防止弁１３１６を含む。逆流防止機能付き正圧駆動吸引装置１３００は、吸引装置１３１０と、正圧入口１３１１と、吸引吸入口１３１２と、出口ポート１３１３と流量増倍器１３１５と逆流防止弁１３１６を含む。
【０２０４】
操作中、吸引装置１３１０は、正圧入口１３１１で正圧供給１３２１を受け取り、正圧供給１３２１を流量増倍器１３１５に導くことにより吸引吸入口１３１２の近くに真空領域１３２２を生成する。真空領域１３２２は大気圧より低い圧力を有する。大気圧が、真空領域１３２２内の圧力を超えることにより、吸引装置１３１０内で吸引力を生成する。真空領域１３２２は、排せつ物（例えば、液体、ガス、及び固体）を吸引吸入口１３１２を介して吸引装置１３１０に引き込む。典型的な操作では、採取のため、吸引装置１３１０内に引き込まれた排せつ物は、流量増倍器１３１５によって出口ポート１３１３から押し出される。
【０２０５】
しかし、出口ポート１３１３（又は、加圧排出液１３２３を搬送するように接続された管）は、詰まり又は閉塞となる場合がある。これが起こると、閉塞物が加圧排出液１３２３の全て又は実質的な部分が出口ポート１３１３から流出するのを妨げる可能性がある。逆流防止弁１３１６がなければ、加圧排出液１３２３が出口ポート１３１３から流出できないときには、加圧排出液１３２３は、代わりに吸引吸入口１３１２から排出される。加圧排出液１３２３（及び特に正圧供給１３２１）を排出することは望ましくなく、吸引吸入口１３１２（例えば、患者）の近くの物品に損傷又は他の問題を引き起こす可能性がある。しかしながら、逆流防止弁１３１６は、少なくとも、正圧供給１３２１の流れが吸引吸入口１３１２を介して流出するのを阻止するように構成されている。
【０２０６】
逆流防止弁１３１６は、吸引装置１３１０の動作を停止するように構成されている。逆流防止弁１３１６は、真空領域１３２２を生成する吸引装置１３１０の一以上の構成要素への正圧供給１３２１の供給を遮断することによって吸引装置１３１０の動作を停止することができる。逆流防止弁１３１６は、排せつ物の「逆」流が吸引吸入口１３１２から排出されることを防ぐことによって吸引装置１３１０の動作を停止することができる。例えば、逆流防止弁１３１６は、吸引吸入口１３１２と並んで配置してもよい。逆流防止弁１３１６は、排せつ物が吸引吸入口１３１２から排出されるように流れ始めたときに起動するようにすることもできる。逆流防止弁１３１６は、起動されると、その起動された状態を維持し、それによって正圧供給１３２１が解除される（すなわちオフになる）か、又は閉塞が解消されるまで、吸引吸入口１３１２からの流出を防止するように構成してもよい。
【０２０７】
図１４は、逆流アラート機能付き正圧駆動吸引装置１４００を示すブロック図である。逆流アラート機能付き正圧駆動吸引装置１４００は、正圧駆動吸引装置１２００の一例であるが、逆流アラート機能付き正圧駆動吸引装置１４００は、アラート１４１７を含む。逆流アラート機能付き正圧駆動吸引装置１０００は、吸引装置１４１０と、正圧入口１４１１と、吸引吸入口１４１２と、出口ポート１４１３と流量増倍器１４１５とアラート１４１７を含む。
【０２０８】
操作中、吸引装置１４１０は、正圧供給１４２１を受け取り、吸引吸入口１４１２に真空領域１４２２を生成する。真空領域１４２２は、逆流アラート機能付き正圧駆動吸引装置１４００に排せつ物を同伴して、受け取る。吸引ポート１４１２は、吸引装置１４１０に入る外科的副産物（例えば、煙、組織、ガス、液体、有害な化学排せつ物など）を同伴して受け取るように構成される。典型的な動作では、吸引装置１４１０に引き込まれた外科的副産物は、加圧排出液１４２３として出口ポート１４１３から排出される流量増倍器１４１５によって押し出される。出口ポート１４１３は、正圧供給１４２１と同伴される外科的副産物を含む加圧排出液１４２３を排出するように構成される。加圧排出液１４２３は、収集、分離、及び／又は廃棄のために管、パイプなどに排出されてもよい。
【０２０９】
しかし、出口ポート１４１３（又は、加圧排出液１４２３を搬送するように接続された管）は、詰まり又は閉塞となる場合がある。これが起こると、閉塞物が加圧排出液１４２３の全て又は実質的な部分が出口ポート１４１３から流出するのを妨げる可能性がある。加圧排出液１４２３が出口ポート１４１３から流出できないときには、加圧排出液１４２３は、代わりに吸引吸入口１４１２から排出されてもよい。
【０２１０】
アラート１４１７は、閉塞の存在を吸引装置１４１０の操作者又はユーザに通知するように構成される。閉塞の警告があったら、ユーザは以下のうちの一以上を行えばよい。（１）吸引装置１４１０の使用を中止する。（２）閉塞を解消することにより、正常な動作を回復させる。そして（３）正圧供給１４２１の供給を停止することにより、吸引装置１４１０を遮断する。
【０２１１】
アラート１４１７は、可聴アラート（例えば、ホイッスル又は他のアラームタイプのノイズ）を生成することができる。アラート１４１７は、可視アラート（例えば、フラグ又は他の可視インジケータ）を生成することができる。アラート１４１７は、触覚的なアラート（例えば、振動）又は何らかの他のタイプのアラートを生成して、ユーザに閉塞物の存在を通知することができる。アラート１４１７は機械的又は電気的手段を使用してアラートを生成してもよい。アラートを生成するために使用可能ないくつかの機械的手段の例を提供するために、アラート１４１７は、正圧供給１４２１を使用してホイッスル型装置を使った可聴アラート、物理的にフラグ又は他の可視インジケータを移動させることによる可視アラート、物理的に主要部を動かすことによる触覚アラートを生成することができる。同様に、アラート１４１７によって変換器、質量空気流センサなどを含む様々な電子構成要素を使用して、障害物又は逆流及び信号循環を検出してアラート１４１７を起動することができる。本明細書に記載された様々なタイプのアラートは、個別に又は組み合わせて使用することができる。
【０２１２】
図１５は、安全機能付き正圧駆動吸引装置１５００を示すブロック図である。安全機能付き正圧駆動吸引装置１１００は、正圧駆動吸引装置１２００、逆流防止機能付き正圧駆動吸引装置１３００、逆流アラート機能付き正圧駆動吸引装置１４００の一例であるが、安全機能付き正圧駆動吸引装置１５００は、代替構成又は操作方法を含んでいてもよい。
【０２１３】
安全機能付き正圧駆動吸引装置１５００は、吸引装置１５１０と、正圧入口１５１１と、吸引吸入口１５１２と、出口ポート１５１３と流量増倍器１５１５と逆流防止弁１５１６と、アラート１５１７を含む。
【０２１４】
操作中、吸引装置１５１０は、正圧入口１５１１で正圧供給１５２１を受け取り、正圧供給１５２１を流量増倍器１５１５に導くことにより吸引吸入口１５１２の近くに真空領域１５２２を生成する。真空領域１５２２は大気圧より低い圧力を有する。大気圧は、真空領域１５２２内の圧力を超え、それによって吸引装置１５１０内で吸引力を生成する。真空領域１５２２は、排せつ物（例えば、液体、ガス、及び固体）を吸引吸入口１５１２を介して吸引装置１５１０に引き込む。典型的な操作では、吸引装置１５１０内に引き込まれた排せつ物は、流量増倍器１５１５によって出口ポート１５１３から押し出される。
【０２１５】
流量増倍器１１１５は、非限定的にコアンダ効果、ベンチュリ効果、流体連行及び吸引装置１５１０を通る排出液流を増やすための流体誘引を含むが、これらに限定されない流体力学的原理を利用する。出口ポート１５１３は、収集された排せつ物の加圧排出液１５２３及び吸引吸入口１５１２を介して受け取られたガスを排力する。
加圧排出液１５２３は、収集、分離、及び／又は廃棄のため管、パイプなどに排出されてもよい。
【０２１６】
しかし、出口ポート１５１３（又は、加圧排出液１５２３を搬送するように接続された管）は、詰まり又は閉塞となる場合がある。これが起こると、障害物が加圧排出液１５２３の全て又は実質的な部分が出口ポート１５１３から流出するのを妨げる可能性がある。加圧排出液１５２３が出口ポート１５１３から流出できないときには、加圧排出液１５２３は、代わりに吸引吸入口１５１２から排出される。
【０２１７】
逆流防止弁１５１６は、真空領域１５２２を生成する吸引装置１５１０の一以上の構成要素への正圧供給１５２１の供給を遮断することによって吸引装置１５１０の動作を停止することができる。逆流防止弁１５１６は、排せつ物の「逆」流が吸引吸入口１５１２から排出することを防ぐことによって吸引装置１５１０の動作を停止することができる。例えば、逆流防止弁１５１６は、吸引吸入口１５１２と並んで配置してもよい。逆流防止弁１５１６は、排せつ物が吸引吸入口１５１２から排出されるように流れ始めたときに起動するようにすることもできる。逆流防止弁１５１６は、起動されると、その起動された状態を維持し、それによって正圧供給１５２１が解除される（すなわちオフになる）か、又は閉塞が解消されるまで、吸引吸入口１５１２からの流出を防止するように構成してもよい。
【０２１８】
アラート１５１７は、吸引装置１５１０のユーザに閉塞の存在を警告するように構成される。閉塞の警告があったら、ユーザは以下のうちの一以上を行えばよい。（１）吸引装置１５１０の使用を中止する。（２）閉塞を解消することにより、正常な動作を回復させる。そして（３）正圧供給１５２１の供給を停止することにより、吸引装置１５１０を遮断する。
【０２１９】
逆流防止弁１５１６は、アラート１５１７に操作可能に結合して、逆流防止弁１５１６の起動に呼応してアラート１５１７を起動させるように構成してもよい。このようにして、閉塞に呼応して、吸引装置１５１０は、吸引吸入口１５１２からの加圧排出液１５２３の逆流を停止させる（すなわち防止する）と共に、ユーザに閉塞を警告する。
【０２２０】
アラート１５１７は、可聴アラート（例えば、ホイッスル又は他のアラームタイプのノイズ）、可視アラート（例えば、フラグ又は他の目視可能なインジケータ）、触覚アラート（例えば、振動）又はいくつかの他のタイプのアラートを生成してユーザに閉塞物の存在を知らせることができる。アラート１５１７は機械的又は電気的手段を使用してアラートを生成することができる。本明細書に記載された様々なタイプのアラートは、個別に又は組み合わせて使用してもよい。
【０２２１】
図１６は、安全機能付き濾過吸引装置１６００を示すブロック図である。安全機能付き正圧駆動吸引装置１６００は、正圧駆動吸引装置１２００、逆流防止機能付き正圧駆動吸引装置１３００、逆流アラート機能付き正圧駆動吸引装置１４００、及び安全機能付き正圧駆動吸引装置１５００の一例であるが、安全機能付き濾過吸引装置１６００はフィルタ１６３０及び容器１６６０を備える。安全機能付き濾過吸引装置１６００は、吸引システム１６１０、正圧入力ポート１６１１、真空ポート１６１２、正圧出口ポート１６１３、流体加速器１６１５、逆流弁１６１６、安全アラート１６１７、フィルタ１６３０及び容器１６６０を含む。
【０２２２】
容器１６６０は、収集、分離、及び／又は廃棄のために正圧出口ポート１６１３からの廃棄物排出を受け取るように構成される。一実施形態では、容器１６６０は、真空源に接続された吸引容器であってもよい。いくつかの実施形態では、容器１６６０はフィルタを含んでいてもよい。容器１６６０は、プラスチック、ガラス、金属又は望ましい特性を有する何らかの他の材料から製造することができる。いくつかの望ましい特性には、コスト、滅菌能力、製造方法、用途又は他のいくつかの測定基準を含んでいてもよい。
【０２２３】
操作中、吸引システム１６１０は、正圧入力ポート１６１１で圧力供給１６２１を受け取り、圧力供給１６２１を流体加速器１６１５に導くことにより、真空ポート１６１２に吸引領域１６２２を生成する。吸引領域１６２２は大気圧より低い圧力を有する。大気圧は、吸引領域１６２２内の圧力を超え、それによって吸引システム１６１０内で吸引力を生成する。吸引領域１６２２は、排せつ物（例えば、液体、ガス、及び固体）を真空ポート１６１２を介して吸引システム１６１０に引き込む。典型的な動作では、吸引システム１６１０に引き込まれた排せつ物は、流体加速器１６１５によってフィルタ１６３０を通って押し出され、濾液は、正圧出口ポート１６１３の方へ誘導される。正圧出口ポート１６１３は、濾液を容器１６６０に導く。
【０２２４】
流体加速器１６１５は、フィルタ１６３０に結合するように構成される。流体加速器１６１５は、圧力供給１６２１を使用して、排出液をフィルタ１６３０に押し込む。フィルタ１６３０は、排せつ物を捕捉し、濾液を正圧出口ポート１６１２に送るように構成される。正圧出力１６１３は、容器１６６０に結合するように構成される。正圧出力１６１３は、吸引システム１６１０から容器１６６０に濾液を供給する。一実施形態では、容器１６６０を真空供給に接続してもよい。
【０２２５】
しかしながら、正圧出口ポート１６１３、フィルタ１６３０又は容器１６６０は詰まったり、閉塞したりすることがある。これが起こると、閉塞が、排出液の全て又は実質的な部分が正圧出口ポート１６１３から流出を妨げてしまうことがある。排出液が正圧出口ポート１６１３から流出できないとき、排出液は代わりに真空ポート１６１２から排出してもよい
【０２２６】
逆流弁１６１６は、吸引領域１６２２を形成させる吸引システム１６１０の一以上の構成要素に対する圧力供給１６２１の供給を遮断することによって、吸引システム１６１０の動作を停止させることができる。逆流弁１６１６は、排せつ物の「逆の」流れが真空ポート１６１２を通って排出されることを防ぐことによって、吸引システム１６１０の動作を停止することができる。例えば、逆流弁１６１６は、真空ポート１６１２と一列に配置されてもよい。逆流弁１６１６は、排せつ物が流れ始めるときに起動して、流れが真空ポート１６１２から排出されるようにすることができる。逆流弁１６１６は、起動されると、その起動された状態を維持し、それによって圧力供給１６２１が解除される（すなわち、オフにされる）か、又は閉塞が解消されるまで真空ポート１６１２からの流出を防止するように構成してもよい。
【０２２７】
安全アラート１６１７は、吸引システム１６１０のユーザに閉塞の存在を警告するように構成される。閉塞の警告があったら、ユーザは以下のうちの一以上を行えばよい。（１）吸引システム１６１０の使用を中止する。（２）閉塞を解消することにより、正常な動作を回復させる。そして（３）圧力供給１６２１の供給を停止することにより、吸引システム１６１０を遮断する。
【０２２８】
安全アラート１６１７は、逆流弁１６１６に操作可能に結合して、逆流弁１６１６の起動に呼応して安全アラート１６１７を起動するようにしてもよい。このようにして、閉塞に呼応して、吸引システム１６１０は、真空ポート１６１２からの排出液の逆流を停止させる（すなわち防止する）と共に、ユーザに閉塞を警告する。
【０２２９】
図１７は、補償濾過吸引装置１７００を示す。補償濾過吸引装置１７００は、正圧駆動吸引装置１２００、逆流防止機能付き正圧駆動吸引装置１３００、逆流アラート機能付き正圧駆動吸引装置１４００、安全機能付き正圧駆動吸引装置１５００、及び安全機能付き濾過吸引装置１６００の一例であるが、補償濾過吸引装置１７００は、流量増倍器１７３５を備える。補償濾過吸引装置１７００は、吸引生成器１７１０、正圧入力ポート１７１１、吸入ポート１７１２、排出出力１７１３、流量増倍器１７１５、逆止弁１７１６、逆流アラーム１７１７、フィルタ１７３０、及び流量増倍器１７３５を備える。流量増倍器１７３５は、フィルタ１７３０と流量増倍器１７３５の間に低圧領域を生成することによってフィルタ１７３０を介した流れ抵抗を補償するように構成される。
【０２３０】
操作中、吸引生成器１７１０は、正圧入力ポート１７１１，１７１４で正圧ガス１７２１を受け取り、正圧ガス１７２１を、それぞれ、流量増倍器１７１５，１７３５に導く。流量増倍器１７１５，１７３５は、正圧ガス１７２１から流量増倍器１７１５，１７３５の遠位に低圧領域を生成するように構成される。組み合わせられた低圧領域は、吸入ポート１７１２の近くの低圧ゾーン１７２２を生成する。低圧ゾーン１７２２は大気圧より低い圧力を有する。大気圧が、低圧ゾーン１７２２の圧力を上回ることによって、吸引生成器１７１０内に吸引力が生成される。低圧ゾーン１７２２は、吸入ポート１７１２を介して排せつ物（例えば、液体、ガス、及び固体）を吸引生成器１７１０に引き込む。典型的な動作では、吸引生成器１７１０に引き込まれた排せつ物は、フィルタ１７３０及び排出出力１７１３を通る流量増倍器１７１５，１７３５によって押し出される。
【０２３１】
流量増倍器１７１５，１７３５は、それぞれ非限定的にコアンダ効果、ベンチュリ効果、流体連行及び吸引生成器１７１０を通る排出液流を生成して加速するための流体誘引を含むが、これらに限定されない流体力学的原理を利用する。
コアンダ効果は、フィルタ１７３０のいずれかの側の流量増倍器１７１５，１７３５によって使用されてもよい。
図１７は、流量増倍器１７１５及び１７３５のみを示しているが、流量増倍器１７１５及び１７３５と同様の複数の流量増倍器を、フィルタ１７３０の前後に直列又は並列動作で組み合わせてもよいことは理解できよう。
【０２３２】
しかし、排出出力１７１３及び／又はフィルタ１７３０（又は、加圧濾液１７２７を搬送するように接続された管）は、詰まり又は閉塞となる場合がある。これが起こると、障害物は、排出液の全て又は実質的な部分が排出出力１７１３から流出するのを妨害する可能性がある。排出液が排出出力１７１３から流出できないとき、排出液は代わりに吸入ポート１７１２から排出してもよい。障害物が排出出力１７１３を遮断する場合、正圧ガス１７２１の流れは逆転して吸入ポート１７１２から流出することができ、それによって正圧ガス１７２１が他のどこにも流入することなく吸入ポート１７１２から排出される。
【０２３３】
逆止弁１７１６は、低圧ゾーン１７２２を生成させる、吸引生成器１７１０の一以上の構成要素への正圧ガス１７２１の供給を遮断することによって、吸引生成器１７１０の動作を停止させることができる。逆止弁１７１６は、排せつ物の「逆の」流れが吸入ポート１７１２を通って排出されることを防ぐことによって、吸引生成器１７１０の動作を停止することができる。例えば、逆止弁１７１６は、吸入ポート１７１２と一列に配置されてもよい。逆止弁１７１６は、排せつ物が流れ始めるときに起動して、流れが吸入ポート１７１２から排出されるようにすることができる。逆止弁１７１６は、起動されると、その起動された状態を維持し、それによって正圧ガス１７２１が解除される（すなわち、オフにされる）か、又は閉塞が解消されるまで吸入ポート１７１２からの流出を防止するように構成してもよい。
【０２３４】
逆流アラーム１７１７は、吸引生成器１７１０のユーザに閉塞の存在を警告するように構成される。逆流アラーム１７１７は、逆止弁１７１６に操作可能に結合して、逆止弁１７１６の起動に呼応して逆流アラーム１７１７を起動するようにしてもよい。このようにして、閉塞に呼応して、吸引生成器１７１０は、吸入ポート１７１２からの排出液の逆流を停止させる（すなわち防止する）と共に、ユーザに閉塞を警告する。
【０２３５】
フィルタ１７３０は、機械的、生物学的、化学的又はそれらの任意の組み合わせを含む他のタイプのフィルタを含んでいてもよい。フィルタ１７３０は、少なくとも１つのフィルタ入口ポート及び少なくとも１つのフィルタ出力ポートを含む。少なくとも１つのフィルタ入口ポートが流量増倍器１７１５に連結されて外科的副産物と正圧ガス１７２１がフィルタ１７３０を通過する。少なくとも１つのフィルタ出力ポートが流量増倍器１７３５に連結される。
【０２３６】
吸引生成器１７１０は流量増倍器１７３５を含む。流量増倍器１７３５はフィルタ１７３０の入力ポートと流体連通している。操作中、流量増倍器１７３５は正圧入力ポート１７１４で正圧ガス１７２１を受け取り、フィルタ１７３０と流量増倍器１７３５の間の低圧ゾーンを生成する。流量増倍器１７３５は、フィルタ１７３０の流れ抵抗に起因する流れ及び／又は圧力（吸引）損失を補償するように構成してもよい。例えば、流量増倍器１７３５は、フィルタ１７３０の流れ抵抗の一部（例えば、１／４、１／２など）を補償することができる。流量増倍器は、フィルタ１７３０の流れ抵抗（例えば、１．２５倍、１．５倍又は２倍）のより多くを補償するように構成してもよい。流量増倍器１７３５は排出出力１７１３に結合される。流量増倍器１７３５は、濾液をフィルタ１７３０を介して排出出力１７１３から排出するように構成される。
【０２３７】
図１８は、補償濾過吸引装置の操作方法を示すブロック図である。図１８に示されるステップは、補償濾過吸引装置１７００の一以上の要素によって実行されてもよい。加圧ガス流は、第１の入力ポートと第２の入力ポートで受け取る（１８０２）。例えば、正圧入力ポート１７１１は、正圧ガス１７２１を受け取り、それを流量増倍器１７１５に供給するように構成される。正圧入力ポート１７１４は、正圧ガス１７２１を受け取り、それを流量増倍器１７３５に供給するように構成される。吸引ポートの近くに低圧領域が生成される（１８０４）。例えば、吸引生成器１７１０は、正圧ガス１７２１を流量増倍器１７１５，１７３５を通るように導くことによって吸入ポート１７１２の近くの低圧ゾーン１７２２を生成するように構成される。排せつ物流は吸引装置に引き込まれる（１８０６）。例えば、低圧ゾーン１７２２は大気圧よりも低い。これにより、排せつ物流が吸入ポート１７１２に入る。吸入ポート１７１２は、排せつ物流を受け取って吸引生成器１７１０を介して排せつ物流を導くように構成される。加圧ガス流と、排せつ物流とを合流した流れは、フィルタを通過する（１８０８）。例えば、流量増倍器１７１５は、合流した流れ（正圧ガス１７２１及び吸入ポート１７１２で受け取られた排せつ物流を含んでいてもよい）をフィルタ１７３０に導くように構成される。合流した流れに含まれる粒子は、フィルタ内に捕捉され、濾液は、フィルタを通って第２の流量増倍器を通過する（１８１０）。例えば、フィルタ１７３０は流量増倍器１７１５と流量増倍器１７３５の間に配設される。フィルタ１７３０は粒子を捕捉し、濾液を流量増倍器１７３５へ導くように構成される。低圧領域はフィルタと流量増倍器の間に生成される（１８１２）。例えば、流量増倍器１７３５はフィルタ１７３０と排出出力１７１３の間に配設される。流量増倍器１７３５はフィルタ１７３０と流量増倍器１７３５との間の低圧領域を生成するように構成される。濾液は流量増倍器を通って排出ポートから排出される（１８１６）。流量増倍器１７３５は濾液をフィルタ１７３０から受け取って濾液を排出ポート１７１３を通して排出する。
【０２３８】
図１９は、圧力差調整機能付き吸引装置１９００を示すブロック図である。圧力差調整機能付き吸引装置は、吸引システム１００、逆流防止機能付き吸引システム３００、逆流アラート機能付き吸引システム４００、安全機能付き吸引システム５００、濾過吸引システム１０００、正圧駆動吸引装置１２００、逆流防止機能付き正圧駆動吸引装置１３００、逆流アラート機能付き正圧駆動吸引装置１４００、安全機能付き正圧駆動吸引装置１５００、安全機能付き濾過吸引装置１６００の一例であるが、圧力差調整機能付き吸引装置１９００は、調整可能な圧力差１９３１及び運動変換器１９４２を備える。圧力差調整機能付き吸引装置１９００は、吸引装置１９１０、正圧入力ポート１９１１、入口１９１２、出口１９１３、流体加速器１９１５、弁１９１６、アラート１９１７、フィルタ１９３０、調整可能な圧力差１９３１、及び運動変換器１９４２を備える。
【０２３９】
正圧入力ポート１９１１は、正圧１９２１を受け取るように構成される。
正圧入力ポートは、正圧源に連結するための手段を含む。操作中、正圧入力ポート１９１１は正圧１９２１を調整可能な圧力差１９３１に導く。
【０２４０】
調整可能な圧力差１９３１は、正圧１９２１を流体加速器１９１５内に導く環状開口部を備える。調整可能な圧力差１９３１の大きさは、ユーザの入力を受ける運動変換器１９４２に呼応して調整してもよい。低圧領域１９２２と大気圧との間の圧力差は、調整可能な圧力差１９３１で制御してもよい。例えば、調整可能な圧力差１９３１の大きさを大きくすることにより、低圧領域１９２２と大気圧との間の圧力差を大きくすることができる。
調整可能な圧力差１９３１の大きさを小さくすることにより、低圧領域１９２２と大気圧との間の圧力差を小さくすることができる。ユーザは、低圧領域１９２２と大気圧の間の圧力差を、ユーザが吸引したい排せつ物のタイプによって変えるように選択することができる。例えば、ユーザは、低圧領域１９２２と大気圧との間の圧力差を調整して液体より煙を多く吸引するように調整することもできる。あるいは、ユーザは、低圧領域１９２２と大気圧の圧力差を調整して液体を吸引するようにしてもよい。
【０２４１】
運動変換器１９４２は、ユーザの入力を調整可能な圧力差１９３１の調整に移行するように構成される。いくつかの実施形態では、運動変換器１９４２はユーザ入力の大きい運動を小さい運動に移行して調整可能な圧力差１９３１の大きさを調整するように構成されている。いくつかの実施形態では、運動変換器１９４２はユーザの回転入力を、調整可能な圧力差１９３１の大きさの線形調節に移行する回転要素を含むように構成される。いくつかの実施形態では、運動変換器は、調整可能な圧力差１９３１の大きさを調整する滑動部材を含んでいてもよい。いくつかの実施形態では、運動変換器１９３１はより大きいユーザ入力の運動をより小さいユーザ入力の運動に変換して調整可能な圧力差１９３１の大きさを調整するレバーを含んでいてもよい。
【０２４２】
図２０は、圧力差調整機能付き吸引装置の操作方法を示す図である。図２０に示されるステップは、圧力差調整機能付き吸引装置１９００の一以上の要素によって実行されてもよい。加圧ガス流は、入力ポートで受け取る（２００２）。例えば、圧力差調整機能付き吸引装置１９００は正圧１９２１を受け取り、それを調整可能な圧力差１９３１に供給するように構成された入力ポート１９１１を含む。加圧ガス流は調整可能な圧力差に供給される（２００４）。
例えば、正圧入力ポート１９１１は、調整可能な圧力差１９３１に連結される。
正圧入力ポート１９１１は正圧１９２１を調整可能な圧力差１９３１に供給するように構成される。ユーザの入力は調整可能な圧力差の調整に変換される（２００６）。
例えば、運動変換器１９４２はユーザ入力を受け取り、ユーザ入力を調整可能な圧力差１９３１の調整に変換するように構成されている。低圧領域は吸引ポートの近傍に生成される（２００８）。例えば、流体加速器１９１５は、低圧領域１９２２を正圧１９２１の入力１０１２の近傍に生成するように構成される。調整可能な圧力差１９３１は、低圧領域１９２２と大気圧との間の圧力差を変更するように調整可能に構成される。排せつ物流は吸引装置に引き込まれる（２０１０）。
例えば、流体加速器１９１５は大気圧より低い低圧領域１９２２を生成する。これにより、排せつ物流が吸引装置１９１０に引き込まれる。加圧ガス流と、吸引ポートで受け取られた排せつ物流とを合流した流れは、フィルタを通過する（２０１２）。例えば、流体加速器１９１５は、フィルタ１９３０に連結されている。流体加速器１９１５は、合流した流れ（正圧１９２１と入口１９１２で受け取る排せつ物流を含んでいてもよい）をフィルタ１９３０を通すように構成される。合流した流れに含まれる粒子は、フィルタ内に捕捉され、濾液は、出力ポートへフィルタを介して通過する（２０１４）。例えば、フィルタ１９３０は、固体を捕捉し、加圧濾液１９２７を出口１９１３にように構成される。
【０２４３】
図２１Ａは、逆流防止弁付き吸引装置２１００を備えた吸引装置を示すブロック図である。逆流防止弁付き吸引装置２１００は、吸引装置１００、逆流防止機能付き吸引システム３００、正圧駆動吸引装置１２００、逆流防止機能付き正圧駆動吸引装置１３００、及び圧力差調整機能付き吸引装置１９００の一例であるが、逆流防止弁付き吸引装置２１００は、代替構成及び操作方法を含んでいてもよい。図２１Ａに示すように、逆流防止弁付き吸引装置２１００は、加圧ガスポート（正圧吸入口など）２１１１、吸引アセンブリ２１１２、ノズル２１１４、流体加速器２１１５、及び逆流防止弁２１１６を含む。
【０２４４】
逆流防止弁付き吸引装置２１００は、コアンダ効果ベースの流体加速器２１１５を使ってノズル２１１４の近くで吸引力を生成する。吸引力は、主に、外部吸引ポンプではなく流体加速器２１１５に提供される正圧供給２１２１の流れ（典型的には大気よりも高い）から逆流防止弁付き吸引装置２１００によって生成される。（ただし装置は、吸引ポンプに連動して使用してもよい）。逆流防止付き吸引装置２１００は、煙、組織、及び体液などの医療又は外科的副産物を除去するために使用してもよい。逆流防止弁付き吸引装置２１００は、加圧ガスの「逆」方向からの流れを防止し、ノズル２１１４から間違った方向に流出することを防止する逆流防止弁２１１６を含む。換言すれば、逆流防止弁付き吸引装置２１００は、加圧ガスがノズル２１１４から流出するのを防止し、他の問題を引き起こしたり患者を傷つけたりすることがないように構成されている。
【０２４５】
逆流防止弁付き吸引装置２１００は、加圧ガスポート２１１１を含む。
加圧ガスポート２１１１は、正圧供給２１２１を受け取り、それを導管２１２９（環状開口部など）に供給するように構成される。導管２１２９の寸法は、流量制御器２１２０を介して調整可能であり、ノズル２１１４の近くに生成された低圧領域と大気圧との間の差を制御する。管を使用して、正圧供給２１２１を加圧ガスポート２１１１に供給することができる。いくつかの実施形態では、加圧ガスポート２１１１は、加圧ガスポート２１１１に管を接続するための接続具を含んでいてもよい。利用可能な接続具のいくつかのタイプには、バーベッド、クイックディスコネクト、又は圧縮嵌めが含まれる。
【０２４６】
逆流防止弁付き吸引装置２１００は、吸引アセンブリ２１１２を含む。吸引アセンブリ２１１２は、逆流防止弁付き吸引装置２１００の遠位端に向かって配置される。吸引アセンブリ２１１２は、逆流防止弁２１１６を収容するように構成されている。吸引アセンブリは、逆流防止弁が起動されたときに、少なくとも正圧供給２１２１の流れを排出ポート２１８１の外部に導くように構成された排出ポート２１８１を含む。
【０２４７】
逆流防止弁付き吸引装置２１００は、ノズル２１１４を含む。図２１Ａは、狭い遠位端及び広い近位端を有する円錐形のキャビティを含むノズル２１１４の実施形態を示す。狭い遠位端は、圧入摩擦嵌合、バーブ、スレッド、ルアー嵌合、又は付属品（例えば、管、針など）をノズル２１１４に取り付けるための何らかの他の手段を含むように構成されてもよい。ノズル２１１４は、吸引アセンブリ２１１２に結合するように構成された近位端を含む。ノズル２１１４は、排せつ物流／吸引流２１２４の流れを受け取り、それを吸引アセンブリ２１１２に供給するように構成される。ノズル２１１４は、交換可能に構成されている。特定の用途のために構成されたノズル２１１４の異なる実施形態を、逆流防止弁付き吸引装置２１００と共に使用してもよい。いくつかの実施形態では、ノズル２１１４は、ノズル２１１４の壁に放射状に配列された開口部を含んでいてもよい。開口部は、ノズル２１１４の近くで付加的な吸引を行う。いくつかの実施形態では、開口部はベンチュリ効果を利用するように構成してもよい。いくつかの実施形態では、開口部は、ユーザ入力に呼応して開閉するように構成してもよい。
【０２４８】
逆流防止弁付き吸引装置２１００は、流体加速器２１１５を含む。流体加速器２１１５は、流体加速器吸入口２１１８、流体加速器ハウジング２１１９、流量制御器２１２０及び導管２１２９を含む。流体加速器２１１５は、正圧供給２１２１からノズル２１１４の近くに低圧領域を生成するように構成される。流体加速器２１１５は、コアンダ効果を利用するように構成してもよい。流体加速器２１１５は、正圧供給２１２１を受け取って、ノズル２１１４の近くに第１の低圧領域を生成するように構成される。流体加速器は、ノズル２１１４で受け取った排せつ物流／吸引流２１２４を加速し、加圧された廃棄物ポート／出口ポート２１１３からの正圧排出液２１２３（正圧供給２１２１及び排せつ物／吸引流２１２４を含んでいてもよい）を排出するように構成される。ノズル２１１４の近くに生成された低圧領域と大気圧との間の圧力差は、流量制御器２１２０によって調整してもよい。流量制御器２１２０は、液体より多くのガスを吸引するように調整してもよい。流量制御器２１２０は、液体を吸引するように調整してもよい。
【０２４９】
流体加速器２１１５は、流体加速器吸入口２１１８を含む。流体加速器吸入口２１１８は、逆流防止弁２１１６と流体加速器２１１５との間に配置される。流体加速器吸入口２１１８は、ノズル２１１４で受け取った排せつ物流を流体加速器２１１５に供給するように構成される。流体加速器吸入口２１１８は、可変寸法を有する複数の円錐形のキャビティを含む。円錐形のキャビティはそれぞれ、幅広の遠位端及び狭い近位端を含む。いくつかの実施形態では、円錐形のキャビティはベンチュリ効果を利用するように構成してもよい。流体加速器吸入口２１１８は、流体加速器２１１５を連結するように構成される。流体加速器吸入口２１１８は、近位端に配置されたテーパ部分を含む幾何形状でもよい。流体加速器吸入口２１１８のテーパ部分は、流量制御器２１２０と組み合わせて、導管２１２９を形成するように構成してもよい。流体加速器吸入口２１１８の近位端に配置されたテーパ部分の幾何学的形状は、流体加速器２１１５の内壁に対してある角度で、流体加速器２１１５に正圧供給２１２１を供給するように構成してもよい。
【０２５０】
流体加速器２１１５は、流体加速器ハウジング２１１９を含む。流体加速器ハウジング２１１９は、逆流防止弁付き吸引装置２１００の近位端の近くに配置される。流体加速器ハウジング２１１９は、加圧ガスポート２１１１及び流量制御器２１２０に結合するように構成される。流体加速器ハウジング２１１９は、流量制御器２１２０に結合するように構成されたスレッドを含んでいてもよい。スレッドは、流量制御器２１２０の回転運動を、導管２１２９の寸法を調整する直線運動に変換するように構成してもよい。流体加速器ハウジング２１１９は、第１の端部に第１の開口部を有し、第２の端部に第２の開口部を有する略円筒形のキャビティを含む。円筒形のキャビティは、流体加速器ハウジング２１１９の内壁によって画定される。流体加速器ハウジング２１１９は、第１端近くの内壁に導管２１２９を含む。導管２１２９は、流体加速器２１１５の内壁に対してある角度で正圧供給２１２１を供給するように構成してもよい。
【０２５１】
流体加速器２１１５は、流量制御器２１２０を含む。流量制御器は加圧された廃棄物ポート／出口ポート２１１３を含む。流量制御器２１２０は、流体加速器ハウジング２１１９に結合するように構成される。流量制御器２１２０は、加圧された廃棄物ポート１９１３を含む。流量制御器２１２０は、流量制御器２１２０の遠位端に配置された拡開要素を含んでいてもよい。
拡開要素は、流体加速器吸入口２１１８と組み合わせて、流体加速器２１１５の内壁に対してある角度で正圧を供給するように構成してもよい。
流量制御器は、回転して導管２１２９を調整可能である。導管２１２９は、大気とノズル２１１４での低圧領域との間の圧力差を制御するように調整可能である。導管２１２９の寸法は、流体加速器２１１５が提供するガス吸引対液体吸引対固体吸引の比率を制御するように調整可能とすることができる。導管２１２９は、キャビティに入る加圧ガスが導管２１２９を画定する構造の部分の湾曲した表面に付着し、それによって加速された流れの全質量流量を増加させる低圧領域を作り出すようなプロファイルを有する。流量制御器２１２０は、流量制御器２１２０と流体加速器ハウジング２１１９との間を密閉するためのＯリングを含んでいてもよい。
【０２５２】
流量制御器２１２０は加圧された廃棄物ポート／出口ポート２１１３を含む。加圧された廃棄物ポート／出口ポート２１１３は、流量制御器２１２０の遠位端に配置される。加圧された廃棄物ポート／出口ポート２１１３は、正圧排出液２１２３を廃棄物収容器に導くように構成されている。廃棄物収容器は、正圧排出液を搬送されるように構成された収集容器、廃棄物ドレーン、管又はパイプを含んでいてもよい。いくつかの実施形態では、加圧された廃棄物ポート／出口ポート２１１３は、管に接続するための接続具を含んでいてもよい。利用可能な接続具のいくつかのタイプには、バーベッド、クイックディスコネクト、又は圧縮嵌めが含まれる。図２１Ａに示す実施形態では、加圧された廃棄物ポート／出口ポート２１１３は、加圧された廃棄物ポート／出口ポート２１１３を管に結合するためのＯリングを含む。
【０２５３】
流体加速器２１１５は、導管２１２９を含む。環状開口部は、流体加速器吸入口２１１８と流体加速器ハウジング２１１９との間に配置される。導管２１２９は、正圧供給２１２１が導管２１２９を通って流れるように適合された射出開口部を画定するため、ノズル２１１４の近くに低圧領域が生成される。導管２１２９は、加圧ガスポート２１１１から正圧供給２１２１を受け取り、流体加速器２１１５に供給するように構成される。流体加速器吸入口２１１８の近位端及び流量制御器２１２０の遠位端は、導管２１２９を形成するように構成してもよい。導管２１２９は、正圧供給２１２１が円筒形のキャビティの内壁に対して、ある角度（例えば、０°〜９０°）で流体加速器２１１５に入るように構成してもよい。いくつかの実施形態では、より鋭角（例えば、３０°〜５０°）が望ましい場合がある。
【０２５４】
逆流防止弁付き吸引装置２１００は、逆流防止弁２１１６を含む。逆流防止弁２１１６は、逆流防止弁本体２１８０と、ダイヤフラム２１８５とを含む。逆流防止弁２１１６は、逆流防止弁付き吸引装置２１００の内部の空気流路に沿って存在する。正常操作中、逆流防止弁２１１６は、ノズル２１１４の近傍で最大限吸引できるよう、排出ポート２１８１をブロックするように構成される。逆流防止弁２１１６は、低圧領域を生成させる流体加速器２１１５の一以上の構成要素に対して正圧供給２１２１を遮断することによって、流体加速器２１１５の動作を停止させることができる。逆流防止弁２１１６は、吸引アセンブリ２１１２又はノズル２１１４を介して排出される排せつ物の「逆の」流れを停止させるように構成されている。逆流防止弁２１１６は、一度起動すると起動したままになり、正圧ガス供給が取り除かれる（すなわち、オフになる）か、又は閉塞が解消されるまで、吸引アセンブリ２１１２又はノズル１２１４からの流出を防止するように構成してもよい。
【０２５５】
逆流防止弁２１１４は、正圧供給２１２１が逆流防止弁付き吸引装置２１００内の所望の限界を超えて増加するのを防止するように起動されると、少なくとも正圧供給２１２１を排出ポート２１８１から迂回させるように構成してもよい。この例では、排出ポート２１８１は吸引アセンブリ２１１２と一体である。逆流防止弁付き吸引装置２１００の一部の中に障害物又は閉塞がある場合、逆流防止弁２１１６は、吸引アセンブリ２１１２内で移動して排出ポート２１８１を開くように構成される。排出ポート２１８１を開くことにより、正圧ガス２１２１が逆流防止弁付き吸引装置２１００から解放される。
【０２５６】
逆流防止弁２１１６は、ダイヤフラム２１８５を含む。ダイヤフラム２１８５は、可撓性材料で形成される。ダイヤフラム２１８５は、流れに呼応して屈曲するように構成される。ダイヤフラム２１８５は、流れの方向に撓むことによって通常の操作中に第１の方向の流れが逆流防止弁２１１６を通過できるように構成される。ダイヤフラム２１８５は、正圧供給２１２１が逆流防止弁本体２１８０を第２の方向に通過させないように構成される。逆流防止弁本体２１８０は、ダイヤフラム２１８５の撓みを第２の方向に制限するように構成された構造要素を含む。逆流防止弁２１１６は、逆流防止弁付き吸引装置２１００又はその一部が閉塞した又は遮断した場合に起動するように構成されている。起動されると、正圧供給２１２１は、撓みが逆流防止弁本体２１８０によって制限されるまで、ダイヤフラム２１８５を撓ませる。ダイヤフラム２１８５の撓みが逆流防止弁本体２１８０によって制限されるとき、正圧供給２１２１はダイヤフラム２１８５に力を加える。ダイヤフラム２１８５は、正圧供給２１２１からの力を逆流防止弁２１１６に伝達し、逆流防止弁本体２１８０を吸引アセンブリ２１１２内で滑動させる。逆流防止弁本体２１８０が起動されると、少なくとも正圧供給２１２１の流れが吸引アセンブリ２１１２又はノズル２１１４から排出されることが防止される。ダイヤフラム２１８５は、逆流防止弁２１１６が起動されているとき、排出ポート２１８１を通る正圧供給を導くように構成してもよい。
【０２５７】
図２１Ｂ１は、装置の中心軸２１２６を示し、そこから角度２１２８が測定される。入口ポート２１１７は流体加速器２１１５の一端に位置し、出口ポート２１１３は反対端に位置する。低圧チャンバ２１２７は、排せつ物流／吸引流２１２４の流れが生成される流体加速器２１１５の内部容積である。
【０２５８】
図２１Ｂ及び図２１Ｃは、逆流防止弁付き吸引装置２１００の導管２１２９を示す拡大図である。第１の中空セグメント２１２２、流体加速器ハウジング２１１９及び第２の中空セグメント２１２５は、導管２１２９を形成するように構成される。第１の中空セグメント２１２２は、第２の中空セグメント２１２５の第２の開口部２１３４に隣接し得る第１の開口部２１３３を含んでいてもよい。第１の対向面２１３０は、第１の開口部２１３３を少なくとも部分的に取り囲むことができる。第２の対向面２１３２は、第２の開口部２１３４を少なくとも部分的に囲むことができる。第１の対向面２１３０は、第２の対向面２１３２に対向していてもよい。第１の対向面２１３０又は第２の対向面２１３２は、斜面、拡開、傾斜、又はそれらの任意の組み合わせであってもよい。導管２１２９は圧力差２１３１を含む。圧力差２１３１は調整可能に構成されている。圧力差２１３１の寸法を調整することにより、導管２１２９を通る正圧供給２１２１の流量が調整される。導管２１２９を通る正圧供給２１２１の流量を調整することにより、ノズル２１１４の近傍に生成された低圧領域と大気圧との間の圧力差が調整され、逆流防止付き吸引装置２１００を通る流れを調整する。圧力差２１３１は、流体加速器２１１５によって提供される固体吸引に対する液体吸引に対するガス吸引の比を制御するように調整可能である。流体流を調整することにより、ユーザは、逆流防止弁付き吸引装置２１００を調整して、所望の比率のガス（例えば、煙）、液体及び固体、又はこれら３つの組み合わせを吸入することができる。導管２１２９は、正圧供給２１２１が流体加速器２１１５の内壁に対してある角度（例えば、０°〜９０°）で流体加速器２１１５に入るように構成してもよい。いくつかの実施形態では、より鋭角（例えば、３０°〜５０°）が望ましい場合がある。
【０２５９】
導管２１２９は、第１の中空セグメント２１２２から部分的に構成される。第１の中空セグメント２１２２の近位端及び第２の中空セグメント２１２５の遠位端は、正圧供給２１２１が導管２１２９を通って流通可能にするように構成された射出開口部を画定する。第１の中空セグメント２１２２の近位端は、正圧供給２１２１の流れを導くように構成された幾何学的形状を含んでいてもよい。
【０２６０】
導管２１２９は、部分的に流体加速器ハウジング２１１９から構成される。流体加速器ハウジング２１１９は、加圧ガスポート２１１１に連結されている。流体加速器ハウジングは、正圧供給２１２１を受け取り、これを導管２１２９に供給する。流体加速器ハウジング２１１９は、第２の中空セグメント２１２５に結合するように構成されたスレッドを含んでいてもよい。スレッドで第２の中空セグメント２１２５を回転させることによって圧力差２１３１を調整することができる。第２の中空セグメント２１２５は、回転運動を直線運動に変換して圧力差２１３１を調整するように構成してもよい。
【０２６１】
導管２１２９は、第２の中空セグメント２１２５から部分的に構成される。第２の中空セグメント２１２５の遠位端は、拡開させて、流体加速器２１１５の内壁に対して、正圧供給２１２１をある角度で流体加速器に入るように導くようにしてもよい。第２の中空セグメント２１２５は、流体加速器ハウジング２１１９と係合するように構成されたスレッドを含んでいてもよい。スレッドは、第２の中空セグメント２１２５の回転運動を圧力差２１３１を調整する直線運動に変換するように構成してもよい。圧力差２１３１を調整することによって、ノズル２１１４の近くに生成された低圧領域と大気圧との差が調整される。
【０２６２】
図２１Ｂは、導管２１２９を示す図である。図２１Ｂに示すように、圧力差２１３１を調節することにより、図２１Ｃに示すように、圧力差２１３１に対して、導管２１２９を通る正圧供給２１２１の流れを増加できるように調整される。図２１Ｂに示す圧力差２１３１は、図２１Ｃに示すように、圧力差２１３１よりも逆流防止弁付き吸引装置２１００を通る流れをより多くすることにより、ノズル２１１４の近くに生成された低圧領域と大気圧との差をより大きくする。
【０２６３】
導管２１２９は、中心軸２１２６に対する角度２１２８を含む。中心軸２１２６に対する角度２１２８は、加圧ガスポート２１１１から受け取った圧力を流体加速器２１１５に対してある角度で供給するように構成されている。いくつかの実施形態では、中心軸２１２６に対する角度２１２８は、吸引力を生成するためにコアンダ効果を巧く利用できるように構成してもよい。いくつかの実施形態では、中心軸２１２６に対する角度２１２８は、鋭角（例えば０°〜９０°）であってもよい。いくつかの実施形態では、中心軸２１２６に対する角度２１２８は、３０度から６０度の間でもよい。いくつかの実施形態では、中心軸２１２６に対する角度２１２８は５５度であってもよい。
【０２６４】
図２１Ｃは、導管２１２９を示す図である。図２１Ｃに示すように、圧力差２１３１を調節することにより、図２１Ｂに示すように、圧力差２１３１に対して、導管２１２９を通る正圧供給２１２１の流れを減少できるように調整される。図２１Ｃに示す圧力差２１３１は、図２１Ｂに示すように、圧力差２１３１よりも逆流防止弁付き吸引装置２１００を通る流れをより小さくすることにより、ノズル２１１４の近くに生成された低圧領域と大気圧との差をより小さくする。
【０２６５】
図２１Ｄは、逆流防止弁付き吸引装置２１００の操作を示す正常操作時の図である。逆流防止弁２１１６は、吸引アセンブリ２１１２内で近位方向及び遠位方向に移動するように構成される。正常操作中、逆流防止弁２１１６は、吸引アセンブリ２１１２内の近位位置に滑動して排出ポート２１８１を閉鎖し、逆流防止弁付き吸引装置２１００を流れることができるようにする。閉塞の場合には、逆流防止弁２１１６が吸引アセンブリ２１１２内の遠位位置に滑動して、吸引アセンブリ２１１２又はノズル２１１４を通る逆流を防止する。先端位置では、逆流防止弁が排出ポート２１８１を開放して少なくとも正圧供給２１２１を排出する。
【０２６６】
操作中、正圧供給２１２１が加圧ガスポート２１１１に導入される。加圧ガスポート２１１１は、導管２１２９を介して正圧供給２１２１を流体加速器２１１５に供給する。導管２１２９を通る流量は、流量制御器２１２０を調整することによって制御される。逆流防止弁付き吸引装置２１００の一部、特に流体加速器２１１５は、ノズル２１１４の近くに低圧領域を生成し、逆流防止弁付き吸引装置２１００を通って排せつ物流／吸引流２１２４を同伴して導く。
【０２６７】
操作中、流体加速器２１１５は、加圧ガスポート２１１１で正圧供給２１２１を受け取り、正圧源２１２１を流体加速器２１１５に導くことにより、ノズル２１１４に低圧領域を生成する。ノズル２１１４の低圧領域は大気圧より低い圧力を有する。大気圧が、低圧領域の圧力を上回ると、ノズル２１１４に吸引力が生成される。ノズル２１１４の近くに生成された低圧領域は、排せつ物流／吸引流２１２４を吸引アセンブリ２１１２に引き込む。排せつ物流／吸引流２１２４は、液体、ガス、及び固体を含んでいてもよい。引き込まれた排せつ物流／吸引流２１２４は、流体加速器２１１５によって加圧された廃棄物ポート／出口ポート２１１３から正圧排出液２１２３として押し出される。正圧排出液２１２３は、正圧供給２１２１と排せつ物流／吸引流２１２４の合流した流れを含んでいてもよい。
【０２６８】
図２１Ｅは、閉塞の場合の逆流防止弁付き吸引装置２１００の動作を示す図である。図２１Ｅに示すように、加圧された廃棄物ポート／出口ポート２１１３は、障害物２１５０によって遮断される。障害物２１５０は、正圧供給２１２１の全て又は実質的な部分が加圧された廃棄物ポート／出口ポート２１１３から流出するのを防止することができる。逆流防止弁２１１６がなければ、正圧供給２１２１（又は正圧供給２１２１と正圧排出液２１２３の組み合わせ）が加圧された廃棄物ポート／出口ポート２１１３から流出できない場合、正圧供給２１２１及び可能であれば正圧排出液２１２３は、代わりにノズル２１１４から排出される。排出液（及び特に正圧供給２１２１）を排出することは望ましくなく、ノズル２１１４（例えば、患者）の近くの物品に損傷又は他の問題を引き起こす可能性がある。しかしながら、逆流防止弁２１１６は、少なくとも、正圧供給２１２１及び正圧排出液２１２３の流れを、ノズル２１１４を介して流出させないように構成されている。
【０２６９】
逆流防止弁２１１６は、排せつ物の「逆」流がノズル２１１４から排出することを防ぐことによって逆流防止弁付き吸引装置２１００の動作を停止することができる。逆流防止弁２１１６は、逆流防止弁本体２１８０と、排出ポート２１８１と、ダイヤフラム２１８５とを含む。逆流防止弁２１１６は、排せつ物がノズル２１１４から排出されるように流れ始めたときに起動することもできる。逆流防止弁２１１６は、起動されると、その起動された状態を維持し、それによって正圧供給２１２１が解除される（すなわちオフになる）か、又は障害物２１５０が解消されるまで、ノズル２１１４からの流出を防止するように構成してもよい。
【０２７０】
図２１Ｅは、閉塞の場合の逆流防止付き吸引装置２１００の動作を示す図である。障害物２１５０は、正圧供給２１２１が加圧された廃棄物ポート／出口ポート２１１３から流出するのを防止することができる。正圧供給２１２１は、障害物２１５０により加圧された廃棄物ポート／出口ポート２１１３から排出することができないので、正圧供給２１２１の流れはノズル２１１４に向かって逆転する。正圧供給２１２１は、ダイヤフラム２１８５を逆流防止弁本体２１８０に対して撓ませる。ダイヤフラム２１８５から逆流防止弁２１１６に圧力が伝達され、逆流防止弁２１１６が吸引アセンブリ２１１２内を滑動する。起動時に逆流防止弁２１１６が排出ポート２１８１を開き、正圧供給２１２１が排出ポート２１８１を通って排出される。
【０２７１】
図２２Ａは、逆流防止弁２２００の分解図を示す図である。逆流防止弁２２２０は、逆流防止装置３１６、逆流防止装置５１６、逆流防止装置７１６、逆流防止装置８１６、逆流防止弁１３１６、逆流防止弁１５１６、逆流弁１６１６、逆止弁１７１６、弁１９１６、及び逆流防止弁２１１６の一例であるが、逆流防止弁２２００は、代替の構成又は操作方法を含んでいてもよい。逆流防止弁２２００は、滑動本体２２８０及びダイヤフラム２２８５を含む。
【０２７２】
逆流防止弁２２００は、滑動本体２２８０を含む。滑動本体２２８０は、整列機構２２８２、雄カップリング２２８３、開口部２２８６、及び支持要素２２８８を含む。滑動本体２２８０は、ハウジング、例えば吸引アセンブリ２１１２内に存在するように構成される。滑動本体２２８０は、整列機構２２８２を含む。整列機構２２８２は、滑動本体２２８０に介在物を含む。整列機構は、逆流防止弁２２００が回転するのを防止するために、ハウジングに含まれる整列機構とインターフェースするように構成してもよい。滑動本体２２８０は、支持要素２２８８を含む。支持要素２２８８は、ダイヤフラム２２８５に構造的支持を提供するように構成される。ダイヤフラム２２８５は、可撓性材料からなる。支持要素２２８８は、ダイヤフラム２２８５の撓み量を一方向に制限するように構成されている。正圧源からの圧力は、支持要素２２８８によってダイヤフラム２２８５から滑動本体２２８０に伝達されてもよい。雄カップリングは、滑動本体２２８０をダイヤフラム２２８５に結合するように構成される。図２２Ａに示すように、雄カップリング２２８３は、スナップ嵌めを使用して、雌カップリング２２８４に結合するように構成される。いくつかの実施形態では、雄カップリング２２８３は、機械的ファスナ（例えば、ねじ、ボルト、リベットなど）、接着剤が塗布される箇所、又は雄型カップリング２２８３を雌カップリング２２８４に結合する他の手段であってもよい。滑動本体２２８０は、開口部２２８６を含む。開口部２２８６は、滑動本体２２８０の排せつ物流を許容するように構成されている。
【０２７３】
逆流防止弁２２００は、ダイヤフラム２２８５を含む。ダイヤフラム２２８５は、一方向に開口部２２８６を通る流れを阻止し、反対方向には流れを許容するように構成されている。ダイヤフラム２２８５は、可撓性材料からなる。ダイヤフラム２２８５は、圧力に呼応して撓むように構成される。圧力の流れが一方向に進むとき、ダイヤフラム２２８５は、流れが開口部２２８６を通過できるように撓むように構成される。圧力の流れが反対方向に進むとき、ダイヤフラム２２８５は、撓みが支持要素２２８８によって制限されるまで屈曲するように構成される。ダイヤフラム２２８５は、圧力源から滑動本体２２８０に圧力を伝達するように構成されている。この圧力の伝達により、ハウジング内で滑動本体２２８０が動く。ダイヤフラム２２８５は、雌カップリング２２８４を含む。雌カップリング２２８４は、ダイヤフラム２２８５を滑動本体２２８０に結合するように構成される。図２２Ａに示すように、雌カップリング２２８４は、スナップ嵌めを使用して雄カップリング２２８３に結合するように構成される。いくつかの実施形態では、雌カップリング２２８４は、機械的締結具（例えば、ねじ、ボルト、リベットなど）用の穴、接着剤が塗布される箇所、又は雄カップリング２２８３に雌カップリング２２８４を結合する他の手段であってもよい。
【０２７４】
図２２Ｂは、閉塞中の逆流防止弁２２００を示す図である。閉塞が起きている場合、圧力源からの圧力により、ダイヤフラム２２８５を撓ませる。ダイヤフラム２２８５の撓みは、支持要素２２８８によって制限される。図２２Ｂに示すように、ダイヤフラム２２８５は支持要素２２８８の上に載っている。この動作モードでは、ダイヤフラム２２８５は圧力源から滑動本体２２８０に圧力を伝達することができる。この圧力の伝達は、逆流防止弁２２００を作動させることができる。
【０２７５】
図２２Ｃは、正常操作中の逆流防止弁２２００を示す図である。通常の動作の間、圧力源からの圧力はダイヤフラム２２８５を撓ませ、それによって開口部２２８６を通る流れを可能にする。ダイヤフラム２２８５に圧力源からの圧力が作用することがある。雄カップリング２２８３及び雌カップリング２２８４によって、ダイヤフラム２２８５から滑動本体２２８０に圧力が伝達されてもよい。通常の動作の間、圧力源からの圧力はダイヤフラム２２８５に作用し、それにより逆流防止弁２２００をハウジング内で滑動させてもよい。停止するとき、逆流防止弁２２０は排出ポートを遮断するように構成してもよい。
【０２７６】
図２３Ａは、正常操作中の安全機能付き正圧真空装置２３００動作を示す図である。安全機能付き正圧真空装置２３００は、吸引システム１００、逆流防止機能付き吸引システム３００、逆流アラート機能付き吸引システム４００、安全機能付き吸引システム５００、正圧駆動吸引装置１２００、逆流防止機能付き正圧駆動吸引装置１３００、逆流アラート機能付き正圧駆動吸引装置１４００、及び安全機能付き正圧駆動吸引装置１５００の一例であるが、安全機能付き正圧真空装置２３００は代替の構成や操作方法を含んでいてもよい。安全機能付き正圧真空装置２３００は、加圧ガスポート（正圧入力ポートなど）２３１１、低圧チャンバ３１１２、排出液排出部２３１３、流体流増幅器２３１５、安全弁２３１６及びアラーム／安全アラート２３１７を含む。
【０２７７】
操作中、流体流増幅器２３１５は、加圧ガス供給２３２１を受けて、低圧チャンバ２３１２の近くに低圧領域を生成する。流体流増幅器２３１５は、コアンダ効果を利用して低圧チャンバ２３１２の近くに低圧領域を生成するように構成してもよい。低圧領域は、低圧チャンバ２３１２内で安全弁２３１６を近位に引っ張り、逆流迂回ポート２３８１を閉鎖し、ダイヤフラム２３８５を開く。正常操作中、逆流防止弁２１１６は、逆流迂回ポート２３８１を閉塞して、低圧チャンバ２３１２の近くで最大の吸引力を発揮する。低圧領域は、排せつ物流／吸引流２３２４を低圧チャンバ２３１２に引き込む。排せつ物流／吸引流２３２４は、液体、ガス、及び固体を含んでいてもよい。低圧チャンバ２１２７は、排せつ物流／吸引流２３２４を流体流増幅器２３１５に導く。流体流増幅器２３１５は、層流を生成するように構成される。排せつ物流／吸引流２３２４は、流体流増幅器２３１５内の加圧ガス供給２３２１に同伴され、排出液排出部２３１３から正圧排出液２３２３として排出されてもよい。流体流増幅器２３１５内の層流は、正圧ガス供給２３２１が排出液排出部２３１３によって排せつ物流／吸引流２３２４から分離することを可能にする。流出物排出部２３１３は、加圧ガス供給２３２１及び正圧排出液２３２３を別々の流れとして排出するように構成してもよい。排出液排出部２３１３は、加圧ガス供給２３２１及び正圧排出液２３２３の収集、さらなる分離、及び／又は廃棄のために、管、パイプなどに結合するように構成してもよい。
【０２７８】
図２３Ｂは、閉塞時の安全機能付き正圧吸引装置２３００の動作を示す図である。安全機能付き正圧駆動吸引装置２３００を通る流れは、障害物２３５０によって遮断される。障害物２３５０は、加圧ガス供給２３２１の全て又は実質的な部分が排出液排出部２３１３から流出するのを防止することができる。加圧ガス供給２３２１が排出液排出部２３１３で排出されないようにすると、加圧ガス供給２３２１は低圧チャンバ２３１２を排出されるように強制される。逆流安全弁２３１６がなければ、加圧ガス供給２３２１及び場合によっては排せつ物流／吸引流２３２４を低圧チャンバ２３１２から排出される場合もある。排出加圧ガス供給２３２１及び排せつ物流／吸引流２３２４は望ましくなく、低圧チャンバ２３１２（例えば、患者）の近くの物品に損傷又は他の問題を引き起こす可能性がある。しかしながら、安全弁２３１６は、少なくとも加圧ガス供給２３２１の流れを低圧チャンバ２３１２を介して流出させないように構成されている。
【０２７９】
図２３Ｂは、加圧ガス供給２３２１が排出液排出部２３１３を排出されるのを妨げる障害物２３５０を示す。加圧ガス供給２３２１は、障害物２３５０により排出液排出部２３１３から排出できないので、加圧ガス供給２３２１の流れは、低圧チャンバ２３１２に向かう方向を逆転させる。加圧ガス供給２３２１は、ダイヤフラム２３８５を閉じさせ、安全弁２３１６を低圧チャンバ２３１２内で滑動させる。一度起動されると、安全弁２３１６は逆流迂回ポート２３８１を開き、加圧ガス供給２３２１を解放することができ、安全機能付き正圧吸引装置２３００内の許容範囲を超えて圧力が上昇することを防止する。
【０２８０】
逆流迂回ポート２３８１は、アラーム／安全アラート２３１７に操作可能に結合されている。逆流迂回ポート２３８１は、安全弁２３１６が作動されたときに、加圧ガス供給２３２１をアラーム／安全アラート２３１７に導くように構成してもよい。この例では、アラーム／安全アラート２３１７は、加圧ガス供給２３２１を使用して可聴アラートを生成するように構成されている。
【０２８１】
図２４Ａは、正圧駆動吸引装置２４００を示す図である。正圧駆動吸引装置２４００は、吸引システム１００、逆流防止機能付き吸引システム３００、逆流アラート機能付き吸引システム４００、安全機能付き吸引システム５００、濾過吸引システム１０００、正圧駆動吸引装置１２００、逆流アラート機能付き正圧駆動吸引装置１４００、安全機能付き正圧駆動吸引装置１５００、安全機能付き濾過吸引装置１６００、及び圧力差調整機能付き吸引装置１９００の一例であるが、正圧駆動吸引装置２４００は代替の構成や操作方法を含んでいてもよい。正圧駆動吸引装置２４００は、加圧ガスポート（正圧吸入口など）２４１１、吸引アセンブリ２４１２、出力／出口ポート２４１３、流体加速器２４１５、逆流防止弁２４１６、アラーム／アラート２４１７、流体加速器吸入口２４１８、流量制御器２４２０、入力／入力ポート２４２２、導管（環状開口部など）２４２９、及びフィルタ２４３０を含む。
【０２８２】
加圧ガスポート２４１１は、正圧源から正圧を受けるように構成されている。正圧源は、大気圧を超える圧力のガスを提供するように構成されている。正圧源は、圧縮機からの圧縮ガス、高圧ガスボンベからのガス、又は人間の呼吸を含んでいてもよい。加圧ガスポート２４１１は、導管２４２９を介して流体加速器２４１５に正圧を供給するように構成される。
【０２８３】
吸引アセンブリ２４１２は、正圧駆動吸引装置２４００の遠位端に向かって配置される。吸引アセンブリ２４１２は、入力／入力ポート２４２２を含む。吸引アセンブリ２４１２は、排せつ物流を受け取るように構成される。吸引アセンブリ２４１２は、逆流防止弁２４１６を収容するように構成される。
【０２８４】
流体加速器２４１５は、吸引アセンブリ２４１２の内部及び入力／入力ポート２４２２の近くに低圧領域を生成するように構成される。流体加速器２４１５によって生成された低圧領域は大気圧より低い。低圧領域は、大気圧によって排せつ物流を、吸引アセンブリ２４１２を通して入力／入力ポート２４２２内に押し込む。排せつ物流は、液体、固体及びガスを含んでいてもよい。
【０２８５】
出力／出口ポート２４１３は、正圧駆動吸引装置２４００の近位端に向かって配置される。出力／出口ポート２４１３は、フィルタ２４３０から濾液を受け取るように構成される。出力／出口ポート２４１３は、フィルタ２４３０から受け取った濾液を回収源に出力するように構成してもよい。回収源は、管、容器、又は廃棄物ドレーンを含んでいてもよい。
【０２８６】
流体加速器２４１５は、正圧供給２４２１を使用して排せつ物流／吸引流２４２４を加速するように構成される。流体加速器２４１５は、導管２４２９を含む。導管２４２９は、加圧されたガスポート２４１１から受け取った正圧供給２４２１を流体加速器２４１５の内壁に対してある角度で導くように構成されている。流体加速器２４１５は、コアンダ効果を利用して、正圧供給２４２１から入力／入力ポート２４２２の近くの低圧領域を生成するように構成してもよい。流体加速器２４１５は、正圧排出液２４２３を生成するように構成される。正圧排出液２４２３は、正圧供給２４２１と排せつ物流／吸引流２４２４の合流した流れを含んでいてもよい。流体加速器２４１５は、フィルタ２４３０を介して正圧排出液を導くように構成される。フィルタ２４３０は、正圧排出液２４２３に含まれる粒子を捕捉し、正圧濾液２４２６を出力／出口ポート２４１３に通すように構成される。
【０２８７】
逆流防止弁２４１６は、吸引アセンブリ２４１２と流体加速器２４１５との間に配置される。逆流防止弁２４１６は、少なくとも正圧供給２４２１が入力／入力ポート２４２２から排出されることを防止するように構成される。
【０２８８】
アラーム／アラート２４１７は、正圧駆動吸引装置２４００を通る流れが妨げられたことをユーザに通知するように構成される。アラーム／アラート２４１７は、逆流防止弁２４１６と連動して動作するように構成してもよい。吸引アセンブリ２４１２を通る流れは、逆流防止弁２４１６の作動時に遮断してもよい。逆流防止弁２４１６は、正圧供給２４２１を排出ポート２４１８を介して、そしてアラーム／アラート２４１７に導くように構成してもよい。アラーム／アラート２４１７は、正圧供給２４２１からアラートを生成するように構成してもよい。
【０２８９】
流体加速器吸入口２４１８は、それぞれ幅の広い端部と狭い端部を有する複数の円錐形部分を含む。いくつかの実施形態では、流体加速器吸入口は、ベンチュリ効果を利用して流体加速器吸入口２４１８を通る流れを加速するように構成してもよい。流体加速器吸入口は、入力／入力ポート２４２２で受け取られた排せつ物流を流体加速器２４１５に導くように構成されている。
【０２９０】
流量制御器２４２０は、正圧駆動吸引装置２４００の遠位端に向かって配置される。流量制御器２４２０は、ユーザ入力を受け取るように構成された回転可能な部材を含む。流量制御器は、ユーザ入力から受け取った回転運動を、流体加速器吸入口２４１８と流体加速器２４１５との間の圧力差を調整することができる直線運動に変換する。いくつかの実施形態では、流量制御器２４２０は、導管２４２９の近くで、より大きな動きをより小さな動きに、又はその逆に変換してもよい。
【０２９１】
導管２４２９は、流体加速器吸入口２４１８と流体加速器２４１５との間に配置される。導管２４２９は調整可能な圧力差を含む。調整可能な圧力差は、加圧ガスポート２４１１から導管２４２９を介して受けられる圧力の流れを制御し、したがって流体加速器２４１５への圧力の流れを制御する。導管２４２９は、流量制御器２４２０を調整することによってユーザによって調節されてもよい。低圧領域の強度は、導管２４２９の調整によって調整することができる。
【０２９２】
フィルタ２４３０は、正圧駆動吸引装置２４００の近位端の近くに配置される。フィルタ２４３０は、正圧排出液２４２３を受け取るように構成される。フィルタ２４３０は、粒子を捕捉し、正圧濾液２４２６を出力／出口ポート２４１３に通すように構成される。
【０２９３】
図２４Ｂは、正圧駆動吸引装置の調整可能な圧力差２４３１の操作を示す図である。流量制御器２４２０は調整機能部、例えば、調整アーム２４４０を有する。調整アーム２４４０は、ユーザが入力／入力ポート２４２２の近くの低圧領域を制御できるように構成されている。この実施形態では、調整アーム２４４０により、ユーザが片手で調整可能な圧力差２４３１を調整できる。調整アーム２４４０は、ユーザからの回転入力を受信するように構成される。調整アーム２４４０は、流量制御器２４２０に回転運動を提供するように構成される。流量制御器２４２０は、運動変換器２４４２に回転運動を提供するように構成される。運動変換器２４４２は、流量制御器２４２０から受け取った回転運動を直線運動に変換するように構成される。運動変換器２４４２からの直線運動は、圧力差２４３１を調整するように構成される。
【０２９４】
導管２４２９は圧力差２４３１を含む。圧力差２４３１は調整可能に構成されている。圧力差２４３１のを調整により、導管２４２９を通る正圧供給２４２１の流量が調整される。導管２４２９を通る正圧供給２４２１の調整により、入力／入力ポート２４２２の近くに生成された低圧領域と大気圧との間の圧力差を調節する。圧力差２４３１は、流体加速器２４１５などの第２の中空セグメント２４０２によって提供される固体吸引に対する液体吸引に対するガス吸引の比を制御するように構成してもよい。導管２４２９を通る正圧供給２４２１の調整により、ユーザは正圧駆動吸引装置２４００を調整してガス（例えば煙）の所望の比、液体及び固体、又は３つすべての組み合わせを吸入させることができる。導管２４２９は、正圧供給２４２１が、第２の中空セグメント２４０２の内壁に対してある角度（例えば、０°&#12316;９０°）で第２の中空セグメント２４０２に入るように構成することができる。いくつかの実施形態では、より鋭角（例えば、３０°〜５０°）が望ましい場合がある。
【０２９５】
導管２４２９は、流体加速器吸入口２４１８などの第１の中空セグメント２４０１と、流体加速器２４１５などの第２の中空セグメント２４０２とで部分的に構成されている。第１の中空セグメント２４０１の近位端及び第２の中空セグメント２４０２の遠位端は、正圧供給２４２１が導管２４２９を通って流れることを可能にするように構成された射出開口部を画定するように構成してもよい。第１の中空セグメント２４０１の近位端は、第２の中空セグメント２４０２の内壁に対してある角度で第２の中空セグメント２４０２に正圧供給２４２１の流れを導くように構成された円錐形部分を含む幾何学的形状を含んでいてもよい。
【０２９６】
第１の中空セグメント２４０１は、第２の中空セグメント２４０２の第２の開口部２４０６に隣接し得る第１の開口部２４０５を備えてもよい。第１の対向面２４０３は、第１の開口部２４０５を少なくとも部分的に囲んでもよい。第２の対向面２４０４は、第２の開口部２４０６を少なくとも部分的に囲んでもよい。第１の対向面２４０３は、第２の対向面２４０４に対向していてもよい。第１の対向面２４０３又は第２の対向面２４０４は、斜面、拡開、傾斜、又はそれらの任意の組み合わせであってもよい。
【０２９７】
導管２４２９は、第２の中空セグメント２４０２から部分的に構成される。第２の中空セグメント２４０２の遠位端は、第２の中空セグメント２４０２の内壁に対してある角度で第２の中空セグメント２４０２に入るように、正圧供給２４２１を導くように拡開されてもよい。
【０２９８】
図２４Ｂに示すように、圧力差２４３１は、図２４Ｃに示すように、圧力差２４３１に対する導管２４２９を通る正圧供給２４２１の増加した流れを可能にするように調整される。図２４Ｂに示す圧力差２４３１は、図２４Ｃに示すように、入力／入力ポート２４２２の近傍に生成された低圧領域と大気圧との間に大きな差を生じさせ、これによって圧力差２４３１よりも正圧駆動吸引装置２４００を通るより多くの流れを生成する。
【０２９９】
図２４Ｃは、導管２４２９を示す図である。図２４Ｃに示すように、圧力差２４３１は、図２４Ｂに示すように、圧力差２４３１に対する導管２４２９を通る正圧供給２４２１の流量を減少させることができるように調整される。図２４Ｃに示す圧力差２４３１は、図２４Ｂに示すように、入力／入力ポート２４２２の近傍に生成された低圧領域と大気圧との差が小さくなり、圧力差２４３１よりも正圧駆動吸引装置２４００を通る流量が少なくなる。いくつかの実施形態では、調整可能な圧力差２４３１の調整は、正圧駆動吸引装置２４００の動作を停止させることができる。
【０３００】
図２４Ｄは、正常操作中の、正圧駆動吸引装置２４００の動作を示す図である。逆流防止弁２４１６は、逆流防止弁本体２１８０と、排出ポート２４８１とを含む。逆流防止弁２４１６は、吸引アセンブリ２４１２内を移動するように構成される。通常の動作の間、逆流防止弁２４１６は、排出ポート２４８１を遮断し、正圧駆動吸引装置２４００を通る流れを可能にするように構成してもよい。閉塞の場合には、逆流防止弁２４１６が吸引アセンブリ２４１２内に滑動して、少なくとも正圧供給２４２１が吸入／入力ポート２４２２から排出されないようにする。逆流防止弁２４１６は、正圧駆動吸引装置２４００内の正圧供給２４２１が望ましい限界を超えて増加することを防止するために排出ポート２４８１を開くように構成してもよい。
【０３０１】
操作中、正圧供給２４２１がガスポート２４１１を加圧するために導入される。加圧ガスポート２４１１は、流体加速器２４１５に正圧供給２４２１を供給する。流体加速器２４１５は、コアンダ効果を利用するように構成してもよい。流体加速器２４１５は、正圧供給２４２１から入力／入力ポート２４２２の近くに低圧領域を生成するように構成される。導管２４２９は、流体加速器２４１５の内壁に対してある角度で正圧供給２４２１を流体加速器２４２５に供給するように構成してもよい。正圧駆動吸引装置２４００の一部、特に、流体加速器２４１５は吸引アセンブリ２４１２で低圧領域を生成するように構成されている。この低圧領域が同伴し、正圧駆動吸引装置２４００を介して排せつ物流／吸引流２４２４を導くために使用されてもよい。
【０３０２】
図２４Ｄは入力／入力ポート２４２２に入る排せつ物流／吸引流２４２４を示す。排せつ物流／吸引流２４２４は、流体加速器２４１５内の正圧供給２４２１と同伴されてもよい。この合流した流れは、正圧排出液２４２３として図示されている。流体加速器２４１５は、フィルタ２４３０を通して正圧排出液２４２３を押す。フィルタ２４３０は、粒子を捕捉し、正圧排出液２４２６を出力／出口ポート２４１３を通るように構成される。
【０３０３】
図２５は、手術室２５００で使用するための吸引システムを示すブロック図である。吸引システム２５００は、吸引装置２５１０、吸引アタッチメント２５５２、流体分離器２５５４、支持体２５５８及び回収容器２５６０を含む。
【０３０４】
吸引システム２５００は吸引装置２５１０を含む。吸引装置２５１０は、吸引システム１００、逆流防止機能付き吸引システム３００、濾過吸引システム１０００、正圧駆動吸引装置１２００、逆流防止機能付き正圧駆動吸引装置１３００、圧力差調整機能付き吸引装置１９００の一例であるが、吸引装置２５１０は、マフラ２５３２及びマウント２５５６を含む。
【０３０５】
吸引装置２５１０は、マフラ２５３１を含む。マフラ２５３１は、正圧出力２５２１の音量レベルを抑制するように構成されている。マフラ２５２１は、正圧出力２５２１の音量レベルが低下するよう、空気流を導くように構成された複数の開口部を含む。
【０３０６】
吸引装置２５１０はマウント２５５６を含む。マウント２５５６は、支持体２５５８に吸引装置を連結するように構成されている。マウント２５５６は吸引装置２５１０のハンズフリー操作のために使用してもよい。いくつかの実施形態では、マウント２５５６は、病院や手術室環境でしばしば使用するようポールに装着するように構成してもよい。いくつかの実施形態では、マウント２５５６は吸引装置２５１０を壁に連結するように構成してもよい。いくつかの実施形態では、マウント２５５６は吸引装置２５１０を頭上の構造体から垂下するように構成してもよい。
【０３０７】
吸引システム２５００は吸引アタッチメント２５５２を含む。吸引アタッチメントは低圧領域２５２２を対象領域に供給するように構成される。いくつかの実施形態では、吸引アタッチメントは手持ち式操作用に構成されていてもよい。いくつかの実施形態では、吸引アタッチメント２５５２は外科用機器に連結されるように構成してもよい。図２５は、流体分離器２５５４に連結された吸引アタッチメント２５５２を示しているが、吸引アタッチメントは吸引装置２５１０に直接連結してもよいことは理解できよう。
【０３０８】
吸引システム２５００は流体分離器２５５４を含む。流体分離器２５５２は排せつ物流の成分を分離させるように構成されている。排せつ物流は固体、液体、及びガスを様々な比率で含んでいてもよい。流体分離器２５５４は液体と固体を、排せつ物流内のガスから分離させるように構成される。流体分離器２５５４は液体と固体を回収容器２５６０に排出するように構成される。煙とガスは吸引装置２５１０によって流体分離器２５５４から吸引される。
【０３０９】
吸引システム２５００は支持体２５５８を備える。支持体２５５８は吸引装置２５１０を支持することができる任意の構造とすることができる。いくつかの実施形態では、支持体２５５８は病院や手術室環境に共通して見られるポールでもよい。いくつかの実施形態では、支持体２５５８は壁でもよい。いくつかの実施形態では、支持体２５５８は天井から垂下する構造でもよい。支持体２５５０は、吸引装置２５１０を保持する人を含んでいてもよい。
【０３１０】
吸引システム２５００は回収容器２５６０を含んでいてもよい。回収容器２５６０は、流体分離器２５５４から液体と固体を受容するように構成されている。回収容器２５６０は、受容した液体と固体の体積を測定するため、廃棄物を安全に破棄するため、又はその他の目的で使用してもよい。
【０３１１】
操作中、吸引装置２５１０は、正圧供給２５２１を使用して低圧領域２５２２を生成する。吸引装置２５１０によって生成された吸引力は、流体分離器２５５４に供給される。流体分離器２５５４は吸引を吸引アタッチメント２５５２に移行する。吸引により、吸引ポート２５１２の近くの低圧領域２５２２が形成される。排せつ物流（液体、固体及びガスを含んでいてもよい）は、低圧領域２５２２によって吸引アタッチメント２５５２に引き込まれる。排せつ物流は、流体分離器２５５４が受け取る。流体分離器２５５４は、排せつ物流から液体、固体及びガスを分離する。流体分離器２５５４は、液体、固体及びガスを排せつ物流から回収容器２５６０内に排出する。排せつ物流からのガスは、吸引装置２５１０によって流体分離器２５４４から吸引される。ガスからの成分は、フィルタ２５３０によって除去される。フィルタ２５３０からの濾液は、正圧出力２５２１としてマフラ２５３２を通過する。
【０３１２】
図２４Ｅは、正常操作中の、正圧駆動吸引装置の動作を示す図である。この例では、障害物２４５０は、正圧供給２４２１のすべて又は一部を出力／出口ポート２４１３からの排出されないようにする。逆流防止弁２４１６は、障害物２４５０が正圧供給２４２１の全部又は一部が出力／出口ポート２４１３から排出されない場合に起動するように構成される。逆流防止弁２４２１は、正圧供給２４２１によって排せつ物が入力／入力ポート２４２２の近くに排出されるのを防止することができる。逆流防止弁２４２１が作動されると、正圧供給２４２１がアラーム／アラート２４１７を通って導かれる。アラーム／アラート２４１７は、吸引システム２５００内の圧力が障害物２４５０を示す閾値まで増加したときに作動して、正圧供給２４２１の全部又は一部が出力／出口ポート２４１３から排出されるのを防止するように構成される。
【０３１３】
図２６は、手術室で使用するための吸引システムの操作方法を示す図である。図２６に示されるステップは、吸引システム２５００の一以上の要素によって実行されてもよい。吸引装置の入力ポートで正圧を受ける（２６０２）。例えば、吸引装置２５１０は、正圧供給２５２１を受け取るように構成されている。
吸引力は正圧から発生する（２６０４）。例えば、吸引装置２５１０は、正圧供給２５２１から吸引力を生成するように構成される。流体セパレータの吸引ポートに吸引力をかける（２６０６）。例えば、吸引装置２５１０は、流体分離器２５５４に結合するように構成される。流体分離器２５５４は、吸引ポートを含む。吸引装置２５１０は、流体分離器２５５４の吸引ポートに吸引力を加えるように構成される。流体分離器内にサイクロン流を作り出す（２６０８）。例えば、流体分離器２５５４は、吸引装置２５１０から受け取った吸引力からサイクロン流を生成するように構成される。吸引力は、流体分離器から吸引アタッチメントに移行する（２６１０）。例えば、流体分離器２５５４は、吸引装置２５１０から吸引アタッチメント２５５２へ吸引力を移行するように構成されている。吸引装置２５１０からの吸引力により、吸引ポート２５１２の近くの低圧領域２５２２を生成する。排せつ物流が吸引システムに引き込まれる（２６１２）。例えば、吸引アタッチメント２５５２は、低圧領域２５２２から排せつ物流を受け取るように構成される。排せつ物流に含まれる液体及び固体が分離される（２６１４）。例えば、流体分離器２５５４は、排せつ物流から液体、固体及びガスを分離するように構成される。液体と固体を集める（２６１６）。
回収容器２５６０は、液体及び固体を受け取るように構成される。回収容器２５６０は、流体分離器２５５４に連結されている。流体分離器２５５４は、液体及び固体を回収容器２５６０に押し出すことができる。排せつ物流からのガスは、吸引装置に送られる（２６１８）。
流体分離器２５５４は、排せつ物流から吸引装置２５１０へガスを通過させるように構成される。
吸引装置２５１０によって生成された吸引力は、流体分離器２５５４からガスを引き出す。
【０３１４】
図２７は、正圧駆動吸引装置２７００のマフラを示す図である。マフラ２７００は、本体２７７２と、隙間２７７４と、整列機構２７７６とを含む。マフラ２７００は、正圧駆動吸引装置２５００などの吸引装置からの排出の体積レベルを低減するように構成される。排出の体積レベルは排出流路に導くことによって減少する。本体２７７２は、吸引装置の出力に結合されて構成される。本体２７７２は、プラスチック、金属、ガラス及びセラミックを含む様々な材料から製造することができる。マフラ２７００は、隙間２７７４を含む。隙間２７７４は、吸引装置からの排出流路を、排出によって生成された体積レベルが排出の無向流路に対して減少されるように導くように構成される。隙間２７７４のサイズ及び形状は、排出の体積レベルに影響する。隙間２７７４のサイズ及び形状は、吸引装置の様々な実施形態に適合するように変更することができる。いくつかの実施形態では、隙間２７７４は１．５ミリメートルの幅を有することができる。いくつかの実施形態では、間隙２７７４は２．５ミリメートルの幅を有することができる。マフラ２７００は、整列機構２７７６を含む。整列機構２７７６は、吸引装置上の対応する整列機構に結合するように構成される。整列機構２７７６は、マフラ２７７６を吸引装置に対して位置決めするために使用されてもよい。いくつかの実施形態では、整列機構２７７６は、吸引装置に含まれるフィルタに対してマフラ２７７６を配置するように構成してもよい。
【０３１５】
図２８Ａは、中空セグメントの傾斜縁部を示す。傾斜縁部は、セグメントに対して０度から９０度の間の角度を形成することができる。図２８Ｂは、中空セグメントの傾斜縁部を示す。傾斜縁部は、セグメントに対して９０度から１８０度の間の角度を形成することができる。図２８Ｃは、中空セグメントの拡開縁部を示す。拡開縁部は、セグメントに対して９０度から１８０度の間の角度を形成することができる。図２８Ｄは、拡開端部を有する第２の中空セグメントと直列の傾斜縁部を有する中空セグメントを示し、傾斜縁部及び拡開縁部は互いに隣接させることができる。傾斜縁部は、０度から９０度の間の角度を有することができ、拡開縁部は、９０度から１８０度の間の角度を有することができる。図２８Ｅは、傾斜縁部を有する第２の中空セグメントと直列の傾斜縁部を有する中空セグメントを示し、２つの傾斜縁部は互いに隣接している。第１の中空セグメントの傾斜縁部は、０度から９０度の間の角度を有していてもよく、第２の中空セグメントの傾斜縁部は、９０度から１８０度の間の角度を有していてもよい。
【０３１６】
図２９は、異なる装置設定と、それに対応する煙の流量の値を毎分標準立方フィート（ｓｃｆｍ）と静的真空を水銀柱ミリメートル（ｍｍＨｇ）で示す表である。
【０３１７】
図３０は、１．５ｍ離れた及び３０ｐｓｉの入力圧力での異なる装置の装置ノイズを示す。いくつかの実施形態では、装置は、約４９デシベルで一以上の音を発することができる。装置は、バックグラウンドノイズより約６デシベル上の一以上の音を発することができる。
【０３１８】
図３１は、中心軸に対して３５度の角度の拡開端、又は中心軸に対して５５度の角度の拡開端を使用する解析流体力学（ＣＦＤ）分析を示す。角度を変更すると、吸引解像度が向上することができる。例えば、角度を３５度から５５度に変更すると、吸引解像度が約２０％向上することができる。
【０３１９】
図３２は、中心軸に対する３５度の角度又は中心軸に対する５５度の角度における入力圧力の関数としての最大静的真空を示すグラフである。角度を変更すると、最大静的真空を変更することができる。最大静的真空は、３０ｐｓｉの入力圧力で中心軸に対して３５度の角度に対して約２５０ｍｍＨｇから約２６０ｍｍＨｇの間でもよい。最大静的真空は、３４ｐｓｉの入力圧力で中心軸に対して３５度の角度に対して約２７５ｍｍＨｇから約２８５ｍｍＨｇの間でもよい。最大静的真空は、３９ｐｓｉの入力圧力で中心軸に対して５５度の角度に対して約３０５ｍｍＨｇから約３１５ｍｍＨｇの間でもよい。
【０３２０】
図３３は、３４ｐｓｉの入力圧力における静的真空の関数としての空気消費（ｓｃｆｍ）を示すグラフである。空気消費は、３４ｐｓｉの入力圧力で約１００ｍｍＨｇから約３２５ｍｍＨｇの間の静的真空の場合、約４ｓｃｆｍから約１１ｓｃｆｍとの間でもよい。空気消費は、３４ｐｓｉの入力圧力で約１５０ｍｍＨｇから約３００ｍｍＨｇの間の静的真空の場合、約４ｓｃｆｍから約９ｓｃｆｍの間でもよい。
【０３２１】
図３４は、３０ｐｓｉの入力圧力における静的真空の関数としての空気消費（ｓｃｆｍ）を示すグラフである。空気消費は、３０ｐｓｉの入力圧力で約１００ｍｍＨｇから約３００ｍｍＨｇの間の静的真空の場合、約３ｓｃｆｍから約１０ｓｃｆｍの間でもよい。空気消費は、３０ｐｓｉの入力圧力で約１５０ｍｍＨｇから約２５０ｍｍＨｇの間の静的真空の場合、約４ｓｃｆｍから約９ｓｃｆｍの間でもよい。
【０３２２】
図３５は、入力空気圧の関数としての最大吸引時のノイズレベルを示すグラフである。追加の空気消費は、約１又は２デシベルの増加など、ノイズレベルを増加させることができる。装置の幾何学的形状の変化は、約１又は２デシベルの増加など、ノイズレベルを増加させることができる。音響バッフルやマイクロ表面構造を有するラミネート層のような、装置の幾何学的形状の変化は、ノイズレベルを減少させることができる。最大吸引時のノイズレベルは、中心軸に対して５５度の角度に対して２５ｐｓｉで約６２．５ｄＢ、又は中心軸に対して３５度の角度に対して２５ｐｓｉで約６０ｄＢでよい。最大吸引時のノイズレベルは、中心軸に対して５５度の角度に対して３０ｐｓｉで約６４．２５ｄＢ、又は中心軸に対して３５度の角度に対して３０ｐｓｉで約６２．５ｄＢでよい。
【０３２３】
図３６は、シミュレートされたフィルタの閉塞の関数としての入口圧力及び出口流量を示すグラフである。一以上のフィルタが部分的又は完全に閉塞すると、装置によって生成される吸引力が減少する。場合によっては、一以上のフィルタが完全に閉塞する前に吸引力の損失が生じる可能性がある。場合によっては、吸引流が一以上のフィルタを完全に閉塞することができる。場合によっては、煙のような吸引流が一以上のフィルタを完全に閉塞することができないことがある。
【０３２４】
図３７は、試験装置用セットアップを示す画像である。図３７Ａは、ＳＰＡＮ０−１００ｐｓｉ圧力計、ＱＭＳ−５９６などの圧力計でもよい。図３７Ｂは、メリアム（Ｍｅｒｉａｍ）Ｍ２シリーズスマート血圧計、ＺＭ２００−ＤＮ０２００、ＱＭＳ−６８９などの血圧計でもよい。図３７Ｃは、キー計器ＦＲ４Ａ６７ＳＶＶＴ流量計などの流量計でもよい。図３７Ｄは、Ｅｘｔｅｃｈ  ｉｎｓｔｒｕｍｅｎｔｓ  ＳＬ１３０サウンドメータ、ＱＭＳ−５４８などの音量計でもよい。図３７Ｅは、Ｃｏｌｅ−Ｐａｒｍｅｒ  Ｍｏｄｅｌ  ＰＭＲ１−０１０６０８  ０．０８−１．２５ＬＰＭ流量計、Ｓ／Ｎ  ３７１８８９−１、ＱＭＳ−６８７などの流量計でもよい。図３７Ｆは、Ｃｏｌｅ−Ｐａｒｍｅｒ  Ｍｏｄｅｌ  ＰＭＲ１−０１０６９２０  ０．５−５ＬＰＭフローメータ、Ｓ／Ｎ  ３７１８８９−１、ＱＭＳ−５８７（非アクティブ）などの流量計でもよい。
【０３２５】
図３８は、空気消費量測定用に設定した試験装置を示すフローチャートである。装置は、圧縮空気レギュレータなどの圧縮空気によって動力を供給することができる。装置に入る圧力は、例えば、空気調整器と装置との間に置かれた圧力計によって確認することができる。流量計とペンの設定により、空気を装置に引き込むことができる。圧力は、圧力計から１回以上記録することができ、流速は１回以上で流量計によって記録することができる。調整アームの設定値、例えば０から１４は、間隙空間の幅に対応させることができる。例えば、調整アームの０が幅０インチに対応し、調整アームの１４が幅０．０１１５インチに対応する。第１のセットアップ、セットアップＡでは、空気の流れを測定するためにペンの設定を装置に接続して、長さ４フィート、３／８インチ内径（ＩＤ）のコルゲート管、及び長さ６フィート、ＩＤ７／８インチのコルゲート管を有する流量計に接続してもよい。第２のセットアップでは、空気と液体の流れを測定するために、ペンの設定を管付きの４つの容器に接続してもよい。例えば、４つの流体ノックアウト容器を長さ２メートル、ＩＤ３／８インチの管でペンの設定に接続してもよい。容器は、ＩＤ１／８インチなどのような管で互いに接続してもよい。容器は、装置と流量計にＩＤ３／８インチの管で接続してもよい。
【０３２６】
図３９は、静的真空測定用に設定した試験装置を示すフローチャートである。装置は、圧縮空気レギュレータなどの圧縮空気によって動力を供給することができる。装置に入る圧力は、例えば空気レギュレータと装置との間に設置した圧力計によって確認することができる。装置によって生成される真空は、デジタル血圧計で記録することができる。最大真空は、装置の入力圧力及び間隙空間の一方又は両方を調整して最大真空を達成することによって記録することができる。
【０３２７】
図４０は、静的真空及びノイズ測定用に設定した試験装置を示すフローチャートである。この試験は静的真空試験と同様に行うことができるが、装置への空気の流量は流量計でも測定でき、装置のノイズは装置から約１メートル離れたデシベルで測定できる。デシベル・メーターは、装置から１．５メートル以上離して設置できる。
例
【０３２８】
この研究の目的は、流体の排出、煙の排気、液体の排出、空気及び液体の排出のため典型的な流量（立法フィート／毎分、ｃｆｍ）及び圧力（水銀柱ミリメートル、ｍｍＨｇ）を判定することであり、又、典型的な煙排出ユニット（Ｒａｐｉｄ  ＶＡＣ、ａｎｄ  Ｃｏｎｍｅｄ  ＡＥＲ  Ｄｅｆｅｎｓｅ）でノイズレベルを比較することである。テストは、２４１３１  Ｒｅｖ  Ｘ９及び最新のシャトル弁（２４４４４  Ｒｅｖ  Ｘ２）を用いて行った。時間はノートパソコンの時計で計時した。装置に接続された空気圧は、ＳＰＡＮ０−１００ｐｓｉ圧力計（ＱＭＳ−５９６）を用いて測定した。装置の調整アーム設定（０&#12316;１４）は、０インチから０．０１１５インチの間隙空間に対応していた。真空は、流量計出口（接続時）の大気に対する真空であり、Ｍｅｒｉａｍ  Ｍ２シリーズスマート血圧計、Ｐ／Ｎ  ＺＭ２００−ＤＮ０２００、ＱＭＳ−６８９で測定した。ΔＰは、接続時の流量計の圧力降下であり、Ｍｅｒｉａｍ  Ｍ２シリーズスマート血圧計、Ｐ／Ｎ  ＺＭ２００−ＤＮ０２００、ＱＭＳ−６４１で測定した。装置への空気の流速は、キーインスツルメントＦＲ４Ａ６７ＳＶＶＴ流量計を用いて装置入口で測定した。音は、Ｅｘｔｅｃｈ  Ｉｎｓｔｒｕｍｅｎｔｓ  ＳＬ１３０サウンドメータ、ＱＭＳ−５４８によって測定した。結果を以下に示す。
【表１】
0006714700.tif 000002
【０３２９】
表１は、豚実験における煙排出のための異なる装置条件を示す表である。
【表２】
0006714700.tif 000003
【０３３０】
表２は、豚実験における最大静的真空（ｍｍＨｇ）を示す表である。
【０３３１】
表３は、豚実験における最大静的真空（ｍｍＨｇ）を示すグラフである。
【表３】
0006714700.tif 000004
【表４】
0006714700.tif 000005
【０３３２】
表４は、豚実験における最大静的真空（ｍｍＨｇ）の関数としての聴覚ノイズレベルをデシベル（ｄＢ）で示す表である。
【０３３３】
本明細書に記載の様々な実施形態は、大気圧よりも高い圧力源から動作する。この圧力源は、圧縮空気容器、空気圧縮機、又は人間の呼吸によって供給されてもよい。戦場での使用や、あるいは電気が利用できない他の状況では、本明細書中に提示される吸引装置は、大気圧より高い圧力を供給することによって電気なしで作動され得る。現場では、圧縮空気シリンダが圧力を提供してもよい。あるいは、緊急時に、本明細書に提示された吸引装置は、人間の呼吸から動作することができる。真空源によって動作する従来の吸引装置は、吸引力を提供するために呼吸を使用する場合、人間に危険をもたらす可能性がある。吸引力を提供する人は、血液、体液、組織又は他の望ましくない要素を吸うことがある。人が息を吹き出して吸引力を発生させることができれば、このリスクは排除される。
【０３３４】
本発明の前述の説明は、例示及び説明のために提示されたものである。徹底的であること、又は本発明を開示した正確な形態をとることに限定するのを意図するものではなく、上記の教示に照らして他の変更及び変形が可能である。この実施形態は、本発明の原理及びその実際的な適用を最もよく説明し、それにより、意図された特定の用途に適した様々な実施形態及び様々な変更において本発明を、当業者が最も有効に利用できるように選択及び記載した。添付の特許請求の範囲は、従来技術によって制限される場合を除いて、本発明の他の代替実施形態を含むものであると解釈されることを意図したものである。
【図１】
0006714700.tif 000006
【図２】
0006714700.tif 000007
【図３】
0006714700.tif 000008
【図４】
0006714700.tif 000009
【図５】
0006714700.tif 000010
【図６】
0006714700.tif 000011
【図７】
0006714700.tif 000012
【図８】
0006714700.tif 000013
【図９】
0006714700.tif 000014
【図１０Ａ】
0006714700.tif 000015
【図１０Ｂ】
0006714700.tif 000016
【図１１】
0006714700.tif 000017
【図１２】
0006714700.tif 000018
【図１３】
0006714700.tif 000019
【図１４】
0006714700.tif 000020
【図１５】
0006714700.tif 000021
【図１６】
0006714700.tif 000022
【図１７】
0006714700.tif 000023
【図１８】
0006714700.tif 000024
【図１９】
0006714700.tif 000025
【図２０】
0006714700.tif 000026
【図２１Ａ】
0006714700.tif 000027
【図２１Ｂ】
0006714700.tif 000028
【図２１Ｂ１】
0006714700.tif 000029
【図２１Ｃ】
0006714700.tif 000030
【図２１Ｄ】
0006714700.tif 000031
【図２１Ｅ】
0006714700.tif 000032
【図２２Ａ】
0006714700.tif 000033
【図２２Ｂ】
0006714700.tif 000034
【図２２Ｃ】
0006714700.tif 000035
【図２３Ａ】
0006714700.tif 000036
【図２３Ｂ】
0006714700.tif 000037
【図２４Ａ】
0006714700.tif 000038
【図２４Ｂ】
0006714700.tif 000039
【図２４Ｃ】
0006714700.tif 000040
【図２４Ｄ】
0006714700.tif 000041
【図２４Ｅ】
0006714700.tif 000042
【図２５】
0006714700.tif 000043
【図２６】
0006714700.tif 000044
【図２７】
0006714700.tif 000045
【図２８Ａ】
0006714700.tif 000046
【図２９】
0006714700.tif 000047
【図３０】
0006714700.tif 000048
【図３１】
0006714700.tif 000049
【図３２】
0006714700.tif 000050
【図３３】
0006714700.tif 000051
【図３４】
0006714700.tif 000052
【図３５】
0006714700.tif 000053
【図３６】
0006714700.tif 000054
【図３７】
0006714700.tif 000055
【図３８】
0006714700.tif 000056
【図３９】
0006714700.tif 000057
【図４０】
0006714700.tif 000058